【事件の表示】
　特許第６７１３２７５号発明「遊技機」の特許異議申立事件について、次のとおり決定する。
【結　論】
　特許第６７１３２７５号の明細書、特許請求の範囲を訂正請求書に添付された訂正明細書、特許請求の範囲のとおり訂正することを認める。
　特許第６７１３２７５号の請求項１に係る特許を維持する。
【理　由】
第１　手続の経緯
　特許第６７１３２７５号（以下、「本件特許」という。）の請求項１に係る特許についての出願は、平成２７年１２月２４日に出願され、令和２年６月５日にその特許権の設定登録がされ、同年同月２４日に特許掲載公報が発行された。その後、その特許に対して、同年１１月３０日に特許異議申立人である日本電動式遊技機特許株式会社により特許異議の申立てがされ、当審において、令和３年３月２４日付けで取消理由が通知され、同年５月２６日に特許権者である株式会社三共により意見書が提出されるとともに訂正の請求（以下、「本件訂正請求」という。）がされ、これに対して、同年７月７日に特許異議申立人により意見書が提出されたものである。
第２　訂正請求について
１　請求の趣旨
　本件訂正請求の趣旨は、本件特許の明細書、特許請求の範囲を訂正請求書に添付した訂正明細書、訂正特許請求の範囲のとおり訂正することを求める、というものである。
２　訂正の内容
　本件訂正請求による訂正の内容は、次のとおりである。
（１）　訂正事項１
　特許請求の範囲の請求項１に、
「前記ベースユニットの第１領域を前記ベースユニットの一面側から開閉可能に設けられる第１開閉ユニットと、」とあるのを、
「前記ベースユニットの第１領域を前記ベースユニットの
前
（２）　訂正事項２
　特許請求の範囲の請求項１に、
「前記ベースユニットの前記第１領域とは異なる第２領域を前記ベースユニットの一面側から開閉可能に設けられる第２開閉ユニットと、」とあるのを、
「前記ベースユニットの前記第１領域とは異なる第２領域を前記ベースユニットの
前
（３）　訂正事項３
　特許請求の範囲の請求項１に、
「表示装置を有する表示ユニットと、を有し、」とあるのを、
「
液晶
（４）　訂正事項４
　特許請求の範囲の請求項１において、
　上記訂正事項３の「液晶表示装置を有する表示ユニットと、を有し、」の後に、
「
前記第１開閉ユニット及び前記第２開閉ユニットは、前記ベースユニットに対して交換可能に設けられ、
（５）　訂正事項５
　特許請求の範囲の請求項１において、
　上記訂正事項４の「前記第１開閉ユニット及び前記第２開閉ユニットは、前記ベースユニットに対して交換可能に設けられ、」の後に、
「
前記開閉扉部は、前記遊技機前面側から挿入された鍵の操作により前記本体部に対して開放可能であり、
（６）　訂正事項６
　特許請求の範囲の請求項１において、
　上記訂正事項５の「前記開閉扉部は、前記遊技機前面側から挿入された鍵の操作により前記本体部に対して開放可能であり、」の後に、
「
前記第１開閉ユニットは、前記開閉扉部を開放することで操作可能となる第１操作部を操作することで前記ベースユニットの前面側に開放可能となり、
（７）　訂正事項７
　特許請求の範囲の請求項１において、
　上記訂正事項６の「前記第１開閉ユニットは、前記開閉扉部を開放することで操作可能となる第１操作部を操作することで前記ベースユニットの前面側に開放可能となり、」の後に、
「
前記第２開閉ユニットは、前記開閉扉部を開放することで操作可能となる第２操作部を操作することで前記ベースユニットの前面側に開放可能となり、
（８）　訂正事項８
　特許請求の範囲の請求項１において、
　上記訂正事項７の「前記第２開閉ユニットは、前記開閉扉部を開放することで操作可能となる第２操作部を操作することで前記ベースユニットの前面側に開放可能となり、」の後に、
「
前記第１開閉ユニットは、規制手段により前記ベースユニットに対して開放不能に規制され、前記規制手段を破壊することで前記ベースユニットの前面側に開放可能となり、
（９）　訂正事項９
　特許請求の範囲の請求項１に、
「前記ベースユニットは開口部を有し、該開口部を前記ベースユニットの一面側と反対側の他面側から開閉可能に前記表示ユニットが設けられる」とあるのを、
「前記ベースユニットは
前記第１領域に
後
、
（１０）　訂正事項１０
　特許請求の範囲の請求項１において、
　上記訂正事項９の「前記ベースユニットは前記第１領域に開口部を有し、該開口部を前記ベースユニットの後面側から開閉可能に前記表示ユニットが設けられ、」の後に、
「
前記本体部は、前面が開口する箱状に形成され、
（１１）　訂正事項１１
　特許請求の範囲の請求項１において、
　上記訂正事項１０の「前記本体部は、前面が開口する箱状に形成され、」の後に、
「
該本体部の内部には、複数のリールを含むリールユニットと、前記リールの駆動制御を含む遊技の制御を行う遊技制御手段が搭載された遊技制御基板と、が収容され、
（１２）　訂正事項１２
　特許請求の範囲の請求項１において、
　上記訂正事項１１の「該本体部の内部には、複数のリールを含むリールユニットと、前記リールの駆動制御を含む遊技の制御を行う遊技制御手段が搭載された遊技制御基板と、が収容され、」の後に、
「
前記ベースユニットは、前記本体部の前面開口を塞ぐ板状に形成され、
（１３）　訂正事項１３
　特許請求の範囲の請求項１において、
　上記訂正事項１２の「前記ベースユニットは、前記本体部の前面開口を塞ぐ板状に形成され、」の後に、
「
前記表示ユニットの後面側に前記液晶表示装置の制御を行う演出制御手段が搭載された演出制御基板が配置され、
（１４）　訂正事項１４
　特許請求の範囲の請求項１において、
　上記訂正事項１３の「前記表示ユニットの後面側に前記液晶表示装置の制御を行う演出制御手段が搭載された演出制御基板が配置され、」の後に、
「
前記ベースユニットに前記第１開閉ユニット及び前記第２開閉ユニットを取り付けていない状態でも、前記開閉扉部を閉鎖することで前記ベースユニット及び前記表示ユニットにより前記本体部の前面開口が塞がれ、
（１５）　訂正事項１５
　特許請求の範囲の請求項１において、
　上記訂正事項１４の「前記ベースユニットに前記第１開閉ユニット及び前記第２開閉ユニットを取り付けていない状態でも、前記開閉扉部を閉鎖することで前記ベースユニット及び前記表示ユニットにより前記本体部の前面開口が塞がれ、」の後に、
「
前記第１開閉ユニット及び前記第２開閉ユニットは、前記ベースユニットから取外されたときに、直立状態で設置することが可能である
（１６）　訂正事項１６
　本件特許の願書に添付した明細書（以下、「本件特許明細書」という。）の段落【０００７】に、
「前記課題を解決するために、本発明の請求項１に記載の遊技機は、
　遊技が可能な遊技機であって、
　本体部と、
　前記本体部に対して一辺側を回動軸心として開閉可能に設けられる開閉扉部と、
　を備え、
　前記開閉扉部は、
　　板状に形成されるベースユニットと、
　　前記ベースユニットの第１領域を前記ベースユニットの一面側から開閉可能に設けられる第１開閉ユニットと、
　　前記ベースユニットの前記第１領域とは異なる第２領域を前記ベースユニットの一面側から開閉可能に設けられる第２開閉ユニットと、
　　表示装置を有する表示ユニットと、
　を有し、
　前記ベースユニットは開口部を有し、該開口部を前記ベースユニットの一面側と反対側の他面側から開閉可能に前記表示ユニットが設けられる
　ことを特徴としている。
　本発明の手段１の遊技機は、
　遊技が可能な遊技機（例えば、スロットマシン１）であって、
　本体部（例えば、筐体１ａ）と、
　前記本体部に対して一辺側を回動軸心として開閉可能に設けられる開閉扉部（例えば、前面扉１ｂ）と、
　を備え、
　前記開閉扉部は、
　板状に形成されるベースユニット（例えば、共通ユニット２００）と、
　前記ベースユニットの第１領域（例えば、前面上部）を開閉可能に設けられる第１開閉ユニット（例えば、上部開閉ユニット２１０）と、
　前記ベースユニットの前記第１領域とは異なる第２領域（例えば、前面下部）を開閉可能に設けられる第２開閉ユニット（例えば、下部開閉ユニット２２０）と、
　を有する
　ことを特徴としている。
　この特徴によれば、ベースユニットに対し第１開閉ユニットや第２開閉ユニットを開放させることでベースユニットの第１領域や第２領域を解放することができるため、メンテナンス性が向上する。また、ベースユニットは板状に形成されているため、開閉扉部を介して不正部材を本体部へ進入させることが困難となるため、不正行為を好適に抑制できる。」とあるのを、
「前記課題を解決するために、本発明の請求項１に記載の遊技機は、
　遊技が可能な遊技機であって、
　本体部と、
　前記本体部に対して一辺側を回動軸心として開閉可能に設けられる開閉扉部と、
　を備え、
　前記開閉扉部は、
　　板状に形成されるベースユニットと、
　　前記ベースユニットの第１領域を前記ベースユニットの
前
　　前記ベースユニットの前記第１領域とは異なる第２領域を前記ベースユニットの
前
　　
液晶
　を有し、
　前記第１開閉ユニット及び前記第２開閉ユニットは、前記ベースユニットに対して交換可能に設けられ、
　前記開閉扉部は、前記遊技機前面側から挿入された鍵の操作により前記本体部に対して開放可能であり、
　前記第１開閉ユニットは、前記開閉扉部を開放することで操作可能となる第１操作部を操作することで前記ベースユニットの前面側に開放可能となり、
　前記第２開閉ユニットは、前記開閉扉部を開放することで操作可能となる第２操作部を操作することで前記ベースユニットの前面側に開放可能となり、
　前記第１開閉ユニットは、規制手段により前記ベースユニットに対して開放不能に規制され、前記規制手段を破壊することで前記ベースユニットの前面側に開放可能となり、
　前記ベースユニットは
前記第１領域に
後
、
　前記本体部は、前面が開口する箱状に形成され、
　該本体部の内部には、複数のリールを含むリールユニットと、前記リールの駆動制御を含む遊技の制御を行う遊技制御手段が搭載された遊技制御基板と、が収容され、
　前記ベースユニットは、前記本体部の前面開口を塞ぐ板状に形成され、
　前記表示ユニットの後面側に前記液晶表示装置の制御を行う演出制御手段が搭載された演出制御基板が配置され、
　前記ベースユニットに前記第１開閉ユニット及び前記第２開閉ユニットを取り付けていない状態でも、前記開閉扉部を閉鎖することで前記ベースユニット及び前記表示ユニットにより前記本体部の前面開口が塞がれ、
　前記第１開閉ユニット及び前記第２開閉ユニットは、前記ベースユニットから取外されたときに、直立状態で設置することが可能である
　ことを特徴としている。
　本発明の手段１の遊技機は、
　遊技が可能な遊技機（例えば、スロットマシン１）であって、
　本体部（例えば、筐体１ａ）と、
　前記本体部に対して一辺側を回動軸心として開閉可能に設けられる開閉扉部（例えば、前面扉１ｂ）と、
　を備え、
　前記開閉扉部は、
　板状に形成されるベースユニット（例えば、共通ユニット２００）と、
　前記ベースユニットの第１領域（例えば、前面上部）を開閉可能に設けられる第１開閉ユニット（例えば、上部開閉ユニット２１０）と、
　前記ベースユニットの前記第１領域とは異なる第２領域（例えば、前面下部）を開閉可能に設けられる第２開閉ユニット（例えば、下部開閉ユニット２２０）と、
　を有する
　ことを特徴としている。
　この特徴によれば、ベースユニットに対し第１開閉ユニットや第２開閉ユニットを開放させることでベースユニットの第１領域や第２領域を解放することができるため、メンテナンス性が向上する。また、ベースユニットは板状に形成されているため、開閉扉部を介して不正部材を本体部へ進入させることが困難となるため、不正行為を好適に抑制できる。」に訂正する。
３　訂正の適否
（１）　訂正事項１
ア　訂正の目的について
　訂正事項１は、本件訂正前の「前記ベースユニットの一面側」を、「前記ベースユニットの
前
イ　実質上特許請求の範囲を拡張し、又は変更する訂正ではないこと
　訂正事項１は、本件訂正前の「前記ベースユニットの一面側」を、「前記ベースユニットの
前
ウ　本件特許の願書に添付した明細書、特許請求の範囲又は図面に記載した事項の範囲内の訂正であること
　本件特許明細書の段落【００１６】の「以下において、図１の手前側をスロットマシン１の前方（前面、正面）側、奥側を背面（後方）側とし、スロットマシン１を前面側から見たときの上下左右方向を基準として説明する。」との記載、本件特許明細書の段落【００８３】の「前面扉１ｂは、異なる遊技機で共通に用いられる共通ユニット２００と、共通ユニット２００の前面上部を開閉可能な上部開閉ユニット２１０と、共通ユニット２００の前面下部を開閉可能な下部開閉ユニット２２０と、から主に構成され、」との記載及び図１０から、ベースユニット（共通ユニット２００）の第１領域（前面上部）をベースユニット（共通ユニット２００）の前面側から開閉可能に設けられる第１開閉ユニット（上部開閉ユニット２１０）が導き出せる。
　したがって、訂正事項１は、本件特許明細書、特許請求の範囲又は図面（以下、「本件特許明細書等」という。）に記載した事項又は記載した事項から自明な事項の範囲内の訂正であり、本件特許明細書等の全ての記載を総合することにより導かれる技術的事項との関係において新たな技術的事項を導入しないものである。
　よって、訂正事項１は、本件特許明細書等に記載した事項の範囲内の訂正であり、特許法第１２０条の５第９項において準用する同法第１２６条第５項の規定に適合するものである。
（２）　訂正事項２
ア　訂正の目的について
　訂正事項２は、本件訂正前の「前記ベースユニットの一面側」を、「前記ベースユニットの
前
イ　実質上特許請求の範囲を拡張し、又は変更する訂正ではないこと
　訂正事項２は、本件訂正前の「前記ベースユニットの一面側」を、「前記ベースユニットの
前
ウ　本件特許の願書に添付した明細書、特許請求の範囲又は図面に記載した事項の範囲内の訂正であること
　本件特許明細書の段落【００１６】の「以下において、図１の手前側をスロットマシン１の前方（前面、正面）側、奥側を背面（後方）側とし、スロットマシン１を前面側から見たときの上下左右方向を基準として説明する。」との記載、本件特許明細書の段落【００８３】の「前面扉１ｂは、異なる遊技機で共通に用いられる共通ユニット２００と、共通ユニット２００の前面上部を開閉可能な上部開閉ユニット２１０と、共通ユニット２００の前面下部を開閉可能な下部開閉ユニット２２０と、から主に構成され、」との記載及び図１０から、ベースユニット（共通ユニット２００）の第１領域とは異なる第２領域（前面下部）をベースユニット（共通ユニット２００）の前面側から開閉可能に設けられる第２開閉ユニット（下部開閉ユニット２２０）が導き出せる。
　したがって、訂正事項２は、本件特許明細書等に記載した事項又は記載した事項から自明な事項の範囲内の訂正であり、本件特許明細書等の全ての記載を総合することにより導かれる技術的事項との関係において新たな技術的事項を導入しないものである。
　よって、訂正事項２は、本件特許明細書等に記載した事項の範囲内の訂正であり、特許法第１２０条の５第９項において準用する同法第１２６条第５項の規定に適合するものである。
（３）　訂正事項３
ア　訂正の目的について
　訂正事項３は、本件訂正前の「表示装置」を、「
液晶
イ　実質上特許請求の範囲を拡張し、又は変更する訂正ではないこと
　訂正事項３は、本件訂正前の「表示装置」を、「
液晶
ウ　本件特許の願書に添付した明細書、特許請求の範囲又は図面に記載した事項の範囲内の訂正であること
　本件特許明細書の段落【００８４】の「共通ユニット２００の上部には開口部２０１が形成されており、この開口部２０１には、液晶表示器５１を含む表示ユニット２０２が複数のネジＮ３等により背面側から交換可能に組付けられている。」との記載から、液晶表示装置（液晶表示器５１）を有する表示ユニット（表示ユニット２０２）が導き出せる。
　したがって、訂正事項３は、本件特許明細書等に記載した事項又は記載した事項から自明な事項の範囲内の訂正であり、本件特許明細書等の全ての記載を総合することにより導かれる技術的事項との関係において新たな技術的事項を導入しないものである。
　よって、訂正事項３は、本件特許明細書等に記載した事項の範囲内の訂正であり、特許法第１２０条の５第９項において準用する同法第１２６条第５項の規定に適合するものである。
（４）　訂正事項４
ア　訂正の目的について
　訂正事項４は、特許請求の範囲の請求項１に新たに「
前記第１開閉ユニット及び前記第２開閉ユニットは、前記ベースユニットに対して交換可能に設けられ、
イ　実質上特許請求の範囲を拡張し、又は変更する訂正ではないこと
　訂正事項４は、特許請求の範囲の請求項１に新たに「
前記第１開閉ユニット及び前記第２開閉ユニットは、前記ベースユニットに対して交換可能に設けられ、
ウ　本件特許の願書に添付した明細書、特許請求の範囲又は図面に記載した事項の範囲内の訂正であること
　本件特許明細書の段落【０１１４】の「そこで、本実施例のスロットマシン１は、筐体１ａを開閉可能とする前面扉１ｂを、共通ユニット２００、上部開閉ユニット２１０及び下部開閉ユニット２２０といった複数のユニット部材にて構成し、これらのうち上部開閉ユニット２１０及び下部開閉ユニット２２０ごと交換することで、多数の交換部品をまとめて簡単に交換することができるようにしている。」との記載から、第１開閉ユニット（上部開閉ユニット２１０）及び第２開閉ユニット（下部開閉ユニット２２０）は、ベースユニット（共通ユニット２００）に対して交換可能に設けられることが導き出せる。
　したがって、訂正事項４は、本件特許明細書等に記載した事項又は記載した事項から自明な事項の範囲内の訂正であり、本件特許明細書等の全ての記載を総合することにより導かれる技術的事項との関係において新たな技術的事項を導入しないものである。
　よって、訂正事項４は、本件特許明細書等に記載した事項の範囲内の訂正であり、特許法第１２０条の５第９項において準用する同法第１２６条第５項の規定に適合するものである。
（５）　訂正事項５
ア　訂正の目的について
　訂正事項５は、特許請求の範囲の請求項１に新たに「
前記開閉扉部は、前記遊技機前面側から挿入された鍵の操作により前記本体部に対して開放可能であり、
イ　実質上特許請求の範囲を拡張し、又は変更する訂正ではないこと
　訂正事項５は、特許請求の範囲の請求項１に新たに「
前記開閉扉部は、前記遊技機前面側から挿入された鍵の操作により前記本体部に対して開放可能であり、
ウ　本件特許の願書に添付した明細書、特許請求の範囲又は図面に記載した事項の範囲内の訂正であること
　本件特許明細書の段落【００８２】の「図２〜図８に示すように、本体部としての筐体１ａは、上板、底板、左側板、右側板及び背板により前面に開口１ｃを有する箱状に形成されている。開閉扉部としての前面扉１ｂは、開口１ｃを閉鎖する閉鎖位置と開口１ｃを開放する開放位置との間で回動可能に設けられ、開口１ｃを開閉可能としている。」との記載、本件特許明細書の段落【００８９】の「共通ユニット２００により開口１ｃが閉鎖された状態において、係止部３２４Ａ，３２４Ｂの被係止部３２６Ａ，３２６Ｂへの係止状態を解除するには、シリンダ錠３２７の前端面にある鍵穴３２７Ａに遊技場の店員など管理者のみが所持するキー３２８を挿入し、所定方向（例えば、右回り）に回転させる。これにより、動作板３２２が下降して係止部３２４Ａ，３２４Ｂが上方に向けて回動して被係止部３２６Ａ，３２６Ｂに対する係止状態が解除されるため、共通ユニット２００を開放位置へ回動させることが可能となる。」との記載及び図１から、開閉扉部（前面扉１ｂ）は、遊技機前面側から挿入された鍵（キー３２８）の操作により本体部（筐体１ａ）に対して開放可能であることが導き出せる。
　したがって、訂正事項５は、本件特許明細書等に記載した事項又は記載した事項から自明な事項の範囲内の訂正であり、本件特許明細書等の全ての記載を総合することにより導かれる技術的事項との関係において新たな技術的事項を導入しないものである。
　よって、訂正事項５は、本件特許明細書等に記載した事項の範囲内の訂正であり、特許法第１２０条の５第９項において準用する同法第１２６条第５項の規定に適合するものである。
（６）　訂正事項６
ア　訂正の目的について
　訂正事項６は、特許請求の範囲の請求項１に新たに「
前記第１開閉ユニットは、前記開閉扉部を開放することで操作可能となる第１操作部を操作することで前記ベースユニットの前面側に開放可能となり、
イ　実質上特許請求の範囲を拡張し、又は変更する訂正ではないこと
　訂正事項６は、特許請求の範囲の請求項１に新たに「
前記第１開閉ユニットは、前記開閉扉部を開放することで操作可能となる第１操作部を操作することで前記ベースユニットの前面側に開放可能となり、
ウ　本件特許の願書に添付した明細書、特許請求の範囲又は図面に記載した事項の範囲内の訂正であること
　本件特許明細書の段落【００９４】の「上部開閉ユニット２１０により共通ユニット２００の前面上部が閉鎖された状態において、係止部３５４Ａ，３５４Ｂの被係止部３５６Ａ，３５６Ｂへの係止状態を解除するには、操作片３５７を下降させることで、動作板３５２が下降して係止部３５４Ａ，３５４Ｂが上方に向けて回動して被係止部３５６Ａ，３５６Ｂに対する係止状態が解除されるため、上部開閉ユニット２１０を開放位置へ回動させることが可能となる。」との記載、本件特許明細書の段落【００９５】の「尚、操作片３５７は、上部開閉ユニット２１０が閉鎖位置にあるとき、共通ユニット２００の背面側に突出するように設けられているため（図４参照）、共通ユニット２００の背面側からしか操作できない。つまり、共通ユニット２００が閉鎖位置にある場合、遊技場の店員など管理者のみが所持するキー３２８を用いて共通ユニット２００を開放しない限り、上部開閉ユニット２１０を開放することができない構成とされている。」との記載から、第１開閉ユニット（上部開閉ユニット２１０）は、開閉扉部（前面扉１ｂの共通ユニット２００）を開放することで操作可能となる第１操作部（操作片３５７）を操作することでベースユニット（共通ユニット２００）の前面側に開放可能となることが導き出せる。
　したがって、訂正事項６は、本件特許明細書等に記載した事項又は記載した事項から自明な事項の範囲内の訂正であり、本件特許明細書等の全ての記載を総合することにより導かれる技術的事項との関係において新たな技術的事項を導入しないものである。
　よって、訂正事項６は、本件特許明細書等に記載した事項の範囲内の訂正であり、特許法第１２０条の５第９項において準用する同法第１２６条第５項の規定に適合するものである。
（７）　訂正事項７
ア　訂正の目的について
　訂正事項７は、特許請求の範囲の請求項１に新たに「
前記第２開閉ユニットは、前記開閉扉部を開放することで操作可能となる第２操作部を操作することで前記ベースユニットの前面側に開放可能となり、
イ　実質上特許請求の範囲を拡張し、又は変更する訂正ではないこと
　訂正事項７は、特許請求の範囲の請求項１に新たに「
前記第２開閉ユニットは、前記開閉扉部を開放することで操作可能となる第２操作部を操作することで前記ベースユニットの前面側に開放可能となり、
ウ　本件特許の願書に添付した明細書、特許請求の範囲又は図面に記載した事項の範囲内の訂正であること
　本件特許明細書の段落【０１０３】の「下部開閉ユニット２２０により共通ユニット２００の前面下部が閉鎖された状態において、係止部３６４Ａ，３６４Ｂの被係止部３６６Ａ，３６６Ｂへの係止状態を解除するには、操作片３６７を下降させることで、動作板３６２が下降して係止部３６４Ａ，３６４Ｂが上方に向けて回動して被係止部３６６Ａ，３６６Ｂに対する係止状態が解除されるため、下部開閉ユニット２２０を開放位置へ回動させることが可能となる。」との記載、本件特許明細書の段落【０１０４】の「尚、操作片３６７は、下部開閉ユニット２２０が閉鎖位置にあるとき、共通ユニット２００の背面側に突出するように設けられているため（図４参照）、共通ユニット２００の背面側からしか操作できない。つまり、共通ユニット２００が閉鎖位置にある場合、遊技場の店員など管理者のみが所持するキー３２８を用いて共通ユニット２００を開放しない限り、下部開閉ユニット２２０を開放することができない構成とされている。」との記載から、第２開閉ユニット（下部開閉ユニット２２０）は、開閉扉部（前面扉１ｂの共通ユニット２００）を開放することで操作可能となる第２操作部（操作片３６７）を操作することでベースユニット（共通ユニット２００）の前面側に開放可能となることが導き出せる。
　したがって、訂正事項７は、本件特許明細書等に記載した事項又は記載した事項から自明な事項の範囲内の訂正であり、本件特許明細書等の全ての記載を総合することにより導かれる技術的事項との関係において新たな技術的事項を導入しないものである。
　よって、訂正事項７は、本件特許明細書等に記載した事項の範囲内の訂正であり、特許法第１２０条の５第９項において準用する同法第１２６条第５項の規定に適合するものである。
（８）　訂正事項８
ア　訂正の目的について
　訂正事項８は、特許請求の範囲の請求項１に新たに「
前記第１開閉ユニットは、規制手段により前記ベースユニットに対して開放不能に規制され、前記規制手段を破壊することで前記ベースユニットの前面側に開放可能となり、
イ　実質上特許請求の範囲を拡張し、又は変更する訂正ではないこと
　訂正事項８は、特許請求の範囲の請求項１に新たに「
前記第１開閉ユニットは、規制手段により前記ベースユニットに対して開放不能に規制され、前記規制手段を破壊することで前記ベースユニットの前面側に開放可能となり、
ウ　本件特許の願書に添付した明細書、特許請求の範囲又は図面に記載した事項の範囲内の訂正であること
　本件特許明細書の段落【００９６】の「また、図６（Ｂ）に示すように、上部開閉ユニット２１０により共通ユニット２００の前面上部を閉鎖し、係止部３５４Ａ，３５４Ｂが被係止部３５６Ａ，３５６Ｂに係止された係止状態において、これら係止部３５４Ａ，３５４Ｂと被係止部３５６Ａ，３５６Ｂとを結束バンド３５８により連結されている。これにより、結束バンド３５８を切断するなどして係止状態を解除した場合にはその痕跡が残るようになるため、上部開閉ユニット２１０が不正に開放された場合でも、不正に開放された可能性があることを遊技場の店員等が発見することが可能となる。」との記載、本件特許明細書の段落【００９７】の「尚、本実施例では、係止部３５４Ａ，３５４Ｂと被係止部３５６Ａ，３５６Ｂとを結束バンド３５８により連結することで係止状態を解除した場合にはその痕跡が残るようにしていたが、本発明はこれに限定されるものではなく、結束バンド３５８で連結する以外の方法（例えば、貼付した場合には破断する封印シールを係止部３５４Ａ，３５４Ｂと被係止部３５６Ａ，３５６Ｂとに跨るように貼付しておくなど）で係止状態を解除した場合にはその痕跡が残るようにしてもよい。」との記載から、第１開閉ユニット（上部開閉ユニット２１０）は、規制手段（結束バンド３５８）によりベースユニット（共通ユニット２００）に対して開放不能に規制され、規制手段（結束バンド３５８）を破壊することでベースユニット（共通ユニット２００）の前面側に開放可能となることが導き出せる。
　したがって、訂正事項８は、本件特許明細書等に記載した事項又は記載した事項から自明な事項の範囲内の訂正であり、本件特許明細書等の全ての記載を総合することにより導かれる技術的事項との関係において新たな技術的事項を導入しないものである。
　よって、訂正事項８は、本件特許明細書等に記載した事項の範囲内の訂正であり、特許法第１２０条の５第９項において準用する同法第１２６条第５項の規定に適合するものである。
（９）　訂正事項９
ア　訂正の目的について
　訂正事項９は、本件訂正前の「前記ベースユニット」が「有」する「開口部」が、「
前記第１領域に
後
イ　実質上特許請求の範囲を拡張し、又は変更する訂正ではないこと
　訂正事項９は、本件訂正前の「前記ベースユニット」が「有」する「開口部」が、「
前記第１領域に
後
ウ　本件特許の願書に添付した明細書、特許請求の範囲又は図面に記載した事項の範囲内の訂正であること
　本件特許明細書の段落【００８４】の「共通ユニット２００の上部には開口部２０１が形成されており、この開口部２０１には、液晶表示器５１を含む表示ユニット２０２が複数のネジＮ３等により背面側から交換可能に組付けられている。」との記載及び図１０から、ベースユニット（共通ユニット２００）は第１領域（上部）に開口部（開口部２０１）を有し、該開口部（開口部２０１）をベースユニット（共通ユニット２００）の後面側（背面側）から開閉可能に表示ユニット（表示ユニット２０２）が設けられることが導き出せる。
　したがって、訂正事項９は、本件特許明細書等に記載した事項又は記載した事項から自明な事項の範囲内の訂正であり、本件特許明細書等の全ての記載を総合することにより導かれる技術的事項との関係において新たな技術的事項を導入しないものである。
　よって、訂正事項９は、本件特許明細書等に記載した事項の範囲内の訂正であり、特許法第１２０条の５第９項において準用する同法第１２６条第５項の規定に適合するものである。
（１０）　訂正事項１０
ア　訂正の目的について
　訂正事項１０は、特許請求の範囲の請求項１に新たに「
前記本体部は、前面が開口する箱状に形成され、
イ　実質上特許請求の範囲を拡張し、又は変更する訂正ではないこと
　訂正事項１０は、特許請求の範囲の請求項１に新たに「
前記本体部は、前面が開口する箱状に形成され、
ウ　本件特許の願書に添付した明細書、特許請求の範囲又は図面に記載した事項の範囲内の訂正であること
　本件特許明細書の段落【００８２】の「図２〜図８に示すように、本体部としての筐体１ａは、上板、底板、左側板、右側板及び背板により前面に開口１ｃを有する箱状に形成されている。」との記載から、本体部（筐体１ａ）は、前面が開口する箱状に形成されることが導き出せる。
　したがって、訂正事項１０は、本件特許明細書等に記載した事項又は記載した事項から自明な事項の範囲内の訂正であり、本件特許明細書等の全ての記載を総合することにより導かれる技術的事項との関係において新たな技術的事項を導入しないものである。
　よって、訂正事項１０は、本件特許明細書等に記載した事項の範囲内の訂正であり、特許法第１２０条の５第９項において準用する同法第１２６条第５項の規定に適合するものである。
（１１）　訂正事項１１
ア　訂正の目的について
　訂正事項１１は、特許請求の範囲の請求項１に新たに「
該本体部の内部には、複数のリールを含むリールユニットと、前記リールの駆動制御を含む遊技の制御を行う遊技制御手段が搭載された遊技制御基板と、が収容され、
イ　実質上特許請求の範囲を拡張し、又は変更する訂正ではないこと
　訂正事項１１は、特許請求の範囲の請求項１に新たに「
該本体部の内部には、複数のリールを含むリールユニットと、前記リールの駆動制御を含む遊技の制御を行う遊技制御手段が搭載された遊技制御基板と、が収容され、
ウ　本件特許の願書に添付した明細書、特許請求の範囲又は図面に記載した事項の範囲内の訂正であること
　本件特許明細書の段落【００４４】の「また、遊技制御基板４０には、前述したクレジット表示器１１、遊技補助表示器１２、１〜３ＢＥＴＬＥＤ１４〜１６、投入要求ＬＥＤ１７、スタート有効ＬＥＤ１８、ウェイト中ＬＥＤ１９、リプレイ中ＬＥＤ２０、ＢＥＴスイッチ有効ＬＥＤ２１、左、中、右停止有効ＬＥＤ２２Ｌ，２２Ｃ，２２Ｒ、設定値表示器２４、流路切替ソレノイド３０、リールモータ３２Ｌ，３２Ｃ，３２Ｒが接続されているとともに、電源基板１０１を介して前述したホッパーモータ３４ｂが接続されており、これら電気部品は、遊技制御基板４０に搭載された後述のメイン制御部４１の制御に基づいて駆動されるようになっている。」との記載、本件特許明細書の段落【００４５】の「遊技制御基板４０には、遊技の進行に関する処理を行うととともに遊技制御基板４０に搭載された制御回路の各部を直接的または間接的に制御するメイン制御部４１と、所定周波数の発振信号となる制御用クロックＣＣＬＫを生成する制御用クロック生成回路４２と、制御用クロックＣＣＬＫの発振周波数とは異なる所定周波数の発振信号となる乱数用クロックＲＣＬＫを生成する乱数用クロック生成回路４３と、遊技制御基板４０に直接または電源基板１０１を介して接続されたスイッチ類から入力された検出信号を取り込んでメイン制御部４１に伝送するスイッチ検出回路４４と、メイン制御部４１から出力されたモータ駆動信号（ステッピングモータの位相信号）をリールモータ３２Ｌ，３２Ｃ，３２Ｒに伝送するモータ駆動回路４５と、メイン制御部４１から出力されたソレノイド駆動信号を流路切替ソレノイド３０に伝送するソレノイド駆動回路４６と、メイン制御部４１から出力されたＬＥＤ駆動信号を遊技制御基板４０に接続された各種表示器やＬＥＤに伝送するＬＥＤ駆動回路４７と、スロットマシン１に供給される電源の電圧を監視して電圧の低下を検出したときに、その旨を示す電圧低下信号をメイン制御部４１に対して出力する電断検出回路４８と、電源投入時または電源遮断時等の電力供給が不安定な状態においてメイン制御部４１にシステムリセット信号を与えるリセット回路４９と、が搭載されている。」との記載、本件特許明細書の段落【０１０６】の「図２に示すように、筐体１ａには、リールユニット２（リール２Ｌ，２Ｃ，２Ｒ、リールモータ３２Ｌ，３２Ｃ，３２Ｒ、リールセンサ３３Ｌ，３３Ｃ，３３Ｒ、リールＬＥＤ５５）、ホッパーユニット３４（ホッパータンク３４ａ、ホッパーモータ３４ｂ、払出センサ３４ｃ）、オーバーフロータンク３５（満タンセンサ３５ａ）、電源ボックス１００（設定キースイッチ３７、リセット／設定スイッチ３８、電源スイッチ３９、電源基板１０１）、遊技制御基板ケース４０Ａ（遊技制御基板４０）が収容されている。」との記載から、該本体部（筐体１ａ）の内部には、複数のリールを含むリールユニット（リールユニット２）と、リールの駆動制御を含む遊技の制御を行う遊技制御手段（メイン制御部４１）が搭載された遊技制御基板（遊技制御基板４０）と、が収容されることが導き出せる。
　したがって、訂正事項１１は、本件特許明細書等に記載した事項又は記載した事項から自明な事項の範囲内の訂正であり、本件特許明細書等の全ての記載を総合することにより導かれる技術的事項との関係において新たな技術的事項を導入しないものである。
　よって、訂正事項１１は、本件特許明細書等に記載した事項の範囲内の訂正であり、特許法第１２０条の５第９項において準用する同法第１２６条第５項の規定に適合するものである。
（１２）　訂正事項１２
ア　訂正の目的について
　訂正事項１２は、特許請求の範囲の請求項１に新たに「
前記ベースユニットは、前記本体部の前面開口を塞ぐ板状に形成され、
イ　実質上特許請求の範囲を拡張し、又は変更する訂正ではないこと
　訂正事項１２は、特許請求の範囲の請求項１に新たに「
前記ベースユニットは、前記本体部の前面開口を塞ぐ板状に形成され、
ウ　本件特許の願書に添付した明細書、特許請求の範囲又は図面に記載した事項の範囲内の訂正であること
　本件特許明細書の段落【００８４】の「図５、図７及び図８に示すように、共通ユニット２００は、合成樹脂材により正面視縦長長方形状をなす板状部材からなり、開口１ｃを閉鎖可能な大きさに形成されている。」との記載、本件特許明細書の段落【０１２９】の「また、前面扉１ｂは、共通ユニット２００に上部開閉ユニット２１０及び下部開閉ユニット２２０を取付けていない状態でも、共通ユニット２００だけで筐体１ａを閉鎖することが可能であることで、上部開閉ユニット２１０や下部開閉ユニット２２０を共通ユニット２００から取外した状態でも、筐体１ａを閉鎖することができる。」との記載から、ベースユニット（共通ユニット２００）は、本体部（筐体１ａ）の前面開口（開口１ｃ）を塞ぐ板状に形成されることが導き出せる。
　したがって、訂正事項１２は、本件特許明細書等に記載した事項又は記載した事項から自明な事項の範囲内の訂正であり、本件特許明細書等の全ての記載を総合することにより導かれる技術的事項との関係において新たな技術的事項を導入しないものである。
　よって、訂正事項１２は、本件特許明細書等に記載した事項の範囲内の訂正であり、特許法第１２０条の５第９項において準用する同法第１２６条第５項の規定に適合するものである。
（１３）　訂正事項１３
ア　訂正の目的について
　訂正事項１３は、特許請求の範囲の請求項１に新たに「
前記表示ユニットの後面側に前記液晶表示装置の制御を行う演出制御手段が搭載された演出制御基板が配置され、
イ　実質上特許請求の範囲を拡張し、又は変更する訂正ではないこと
　訂正事項１３は、特許請求の範囲の請求項１に新たに「
前記表示ユニットの後面側に前記液晶表示装置の制御を行う演出制御手段が搭載された演出制御基板が配置され、
ウ　本件特許の願書に添付した明細書、特許請求の範囲又は図面に記載した事項の範囲内の訂正であること
　本件特許明細書の段落【００５３】の「演出制御基板９０は、サブＣＰＵ９１ａ、ＲＯＭ９１ｂ、ＲＡＭ９１ｃ、Ｉ／Ｏポート９１ｄを備えたマイクロコンピュータにより構成されて演出の制御を行うサブ制御部９１と、演出制御基板９０に接続された液晶表示器５１の表示制御を行う表示制御回路９２と、演出効果ＬＥＤ５２と、リールＬＥＤ５５の駆動制御を行うＬＥＤ駆動回路９３と、スピーカ５３，５４からの音声出力制御を行う音声出力回路９４と、電源投入時またはサブＣＰＵ９１ａからの初期化命令が一定時間入力されないときにサブＣＰＵ９１ａにリセット信号を与えるリセット回路９５と、演出制御基板９０に接続されたスイッチ類から入力された検出信号を検出するスイッチ検出回路９６と、日付情報及び時刻情報を含む時間情報を出力する時計装置９７と、スロットマシン１に供給される電源電圧を監視し、電圧低下を検出したときに、その旨を示す電圧低下信号をサブＣＰＵ９１ａに対して出力する電断検出回路９８と、演出用モータ等に対してサブ制御部９１から出力されたモータ駆動信号（ステッピングモータの位相信号）を伝送するモータ駆動回路９９と、その他の回路等、が搭載されている。」との記載、本件特許明細書の段落【００８４】の「開口部２０１は、表示ユニット２０２が組付けられることにより閉鎖されている。また、表示ユニット２０２の背面における透過領域３Ｌ，３Ｃ，３Ｒの上方には、演出制御基板９０が収納された演出制御基板ケース９０Ａが取付けられている（図４参照）。」との記載から、表示ユニット（表示ユニット２０２）の後面側に液晶表示装置（液晶表示器５１）の制御を行う演出制御手段（サブ制御部９１、表示制御回路９２）が搭載された演出制御基板（演出制御基板９０）が配置されることが導き出せる。
　したがって、訂正事項１３は、本件特許明細書等に記載した事項又は記載した事項から自明な事項の範囲内の訂正であり、本件特許明細書等の全ての記載を総合することにより導かれる技術的事項との関係において新たな技術的事項を導入しないものである。
　よって、訂正事項１３は、本件特許明細書等に記載した事項の範囲内の訂正であり、特許法第１２０条の５第９項において準用する同法第１２６条第５項の規定に適合するものである。
（１４）　訂正事項１４
ア　訂正の目的について
　訂正事項１４は、特許請求の範囲の請求項１に新たに「
前記ベースユニットに前記第１開閉ユニット及び前記第２開閉ユニットを取り付けていない状態でも、前記開閉扉部を閉鎖することで前記ベースユニット及び前記表示ユニットにより前記本体部の前面開口が塞がれ、
イ　実質上特許請求の範囲を拡張し、又は変更する訂正ではないこと
　訂正事項１４は、特許請求の範囲の請求項１に新たに「
前記ベースユニットに前記第１開閉ユニット及び前記第２開閉ユニットを取り付けていない状態でも、前記開閉扉部を閉鎖することで前記ベースユニット及び前記表示ユニットにより前記本体部の前面開口が塞がれ、
ウ　本件特許の願書に添付した明細書、特許請求の範囲又は図面に記載した事項の範囲内の訂正であること
　本件特許明細書の段落【０１２９】の「また、前面扉１ｂは、共通ユニット２００に上部開閉ユニット２１０及び下部開閉ユニット２２０を取付けていない状態でも、共通ユニット２００だけで筐体１ａを閉鎖することが可能であることで、上部開閉ユニット２１０や下部開閉ユニット２２０を共通ユニット２００から取外した状態でも、筐体１ａを閉鎖することができる。」との記載、本件特許明細書の段落【０１３５】の「また、共通ユニット２００は開口部２０１を有し、開口部２０１は表示手段としての液晶表示器５１を含む表示ユニット２０２により閉鎖されている。」との記載から、ベースユニット（共通ユニット２００）に第１開閉ユニット（上部開閉ユニット２１０）及び第２開閉ユニット（下部開閉ユニット２２０）を取り付けていない状態でも、開閉扉部（前面扉１ｂ）を閉鎖することでベースユニット（共通ユニット２００）及び表示ユニット（表示ユニット２０２）により本体部（筐体１ａ）の前面開口が塞がれることが導き出せる。
　したがって、訂正事項１４は、本件特許明細書等に記載した事項又は記載した事項から自明な事項の範囲内の訂正であり、本件特許明細書等の全ての記載を総合することにより導かれる技術的事項との関係において新たな技術的事項を導入しないものである。
　よって、訂正事項１４は、本件特許明細書等に記載した事項の範囲内の訂正であり、特許法第１２０条の５第９項において準用する同法第１２６条第５項の規定に適合するものである。
（１５）　訂正事項１５
ア　訂正の目的について
　訂正事項１５は、特許請求の範囲の請求項１に新たに「
前記第１開閉ユニット及び前記第２開閉ユニットは、前記ベースユニットから取外されたときに、直立状態で設置することが可能である
イ　実質上特許請求の範囲を拡張し、又は変更する訂正ではないこと
　訂正事項１５は、特許請求の範囲の請求項１に新たに「
前記第１開閉ユニット及び前記第２開閉ユニットは、前記ベースユニットから取外されたときに、直立状態で設置することが可能である
ウ　本件特許の願書に添付した明細書、特許請求の範囲又は図面に記載した事項の範囲内の訂正であること
　本件特許明細書の段落【０１３０】の「また、上部開閉ユニット２１０や下部開閉ユニット２２０は、図１７（Ａ）及び図１７（Ｂ）に示すように、共通ユニット２００から取外されたときに、直立状態で設置することが可能である。」との記載から、第１開閉ユニット（上部開閉ユニット２１０）及び第２開閉ユニット（下部開閉ユニット２２０）は、ベースユニット（共通ユニット２００）から取外されたときに、直立状態で設置することが可能であることが導き出せる。
　したがって、訂正事項１５は、本件特許明細書等に記載した事項又は記載した事項から自明な事項の範囲内の訂正であり、本件特許明細書等の全ての記載を総合することにより導かれる技術的事項との関係において新たな技術的事項を導入しないものである。
　よって、訂正事項１５は、本件特許明細書等に記載した事項の範囲内の訂正であり、特許法第１２０条の５第９項において準用する同法第１２６条第５項の規定に適合するものである。
（１６）　訂正事項１６
ア　訂正の目的について
　訂正事項１６は、訂正事項１−１５により、本件訂正前の請求項１における特許請求の範囲の減縮を目的とする訂正を行った結果、記載表現が一致しなくなった本件特許明細書の段落【０００７】の不明瞭な記載を、訂正後の請求項１の記載に整合させることにより明瞭にする訂正であるから、特許法第１２０条の５第２項ただし書第３号に掲げる明瞭でない記載の釈明を目的とするものである。
イ　実質上特許請求の範囲を拡張し、又は変更する訂正ではないこと
　上記アにて説示のとおり、訂正事項１６は、訂正事項１−１５に係る訂正に整合させるための訂正であるから、訂正事項１−１５と同様に、実質上特許請求の範囲を拡張し、又は変更するものには該当せず、特許法第１２０条の５第９項において準用する同法第１２６条第６項の規定に適合するものである。
ウ　本件特許の願書に添付した明細書、特許請求の範囲又は図面に記載した事項の範囲内の訂正であること
　上記アにて説示のとおり、訂正事項１６は、訂正事項１−１５に係る訂正に整合させるための訂正であるから、訂正事項１−１５と同様に、本件特許明細書等に記載した事項の範囲内の訂正であり、特許法第１２０条の５第９項において準用する同法第１２６条第５項の規定に適合するものである。
４　小括
　以上のとおりであるから、本件訂正請求に係る上記訂正事項１−１５に係る訂正は、特許法第１２０条の５第２項ただし書第１号に掲げる事項を目的とするものであり、かつ、同条第９項において準用する同法第１２６条第５項及び第６項の規定に適合し、上記訂正事項１６に係る訂正は、特許法第１２０条の５第２項ただし書第３号に掲げる事項を目的とするものであり、かつ、同条第９項において準用する同法第１２６条第５項及び第６項の規定に適合するので、本件訂正請求に係る訂正を認める。
第３　本件発明
　本件訂正請求により訂正された請求項１に係る発明（以下、「本件発明」という。）は、その特許請求の範囲の請求項１に記載された次のとおりのものである（Ａ等は、分説するために当審で付した。）。
「【請求項１】
Ａ　遊技が可能な遊技機であって、
Ｂ　本体部と、
Ｃ　前記本体部に対して一辺側を回動軸心として開閉可能に設けられる開閉扉部と、
　　を備え、
Ｄ　前記開閉扉部は、
Ｅ　　板状に形成されるベースユニットと、
Ｆ　　前記ベースユニットの第１領域を前記ベースユニットの前面側から開閉可能に設けられる第１開閉ユニットと、
Ｇ　　前記ベースユニットの前記第１領域とは異なる第２領域を前記ベースユニットの前面側から開閉可能に設けられる第２開閉ユニットと、
Ｈ　　液晶表示装置を有する表示ユニットと、
　　を有し、
Ｉ　前記第１開閉ユニット及び前記第２開閉ユニットは、前記ベースユニットに対して交換可能に設けられ、
Ｊ　前記開閉扉部は、前記遊技機前面側から挿入された鍵の操作により前記本体部に対して開放可能であり、
Ｋ　前記第１開閉ユニットは、前記開閉扉部を開放することで操作可能となる第１操作部を操作することで前記ベースユニットの前面側に開放可能となり、
Ｌ　前記第２開閉ユニットは、前記開閉扉部を開放することで操作可能となる第２操作部を操作することで前記ベースユニットの前面側に開放可能となり、
Ｍ　前記第１開閉ユニットは、規制手段により前記ベースユニットに対して開放不能に規制され、前記規制手段を破壊することで前記ベースユニットの前面側に開放可能となり、
Ｎ　前記ベースユニットは前記第１領域に開口部を有し、該開口部を前記ベースユニットの後面側から開閉可能に前記表示ユニットが設けられ、
Ｏ　前記本体部は、前面が開口する箱状に形成され、
Ｐ　該本体部の内部には、複数のリールを含むリールユニットと、前記リールの駆動制御を含む遊技の制御を行う遊技制御手段が搭載された遊技制御基板と、が収容され、
Ｑ　前記ベースユニットは、前記本体部の前面開口を塞ぐ板状に形成され、
Ｒ　前記表示ユニットの後面側に前記液晶表示装置の制御を行う演出制御手段が搭載された演出制御基板が配置され、
Ｓ　前記ベースユニットに前記第１開閉ユニット及び前記第２開閉ユニットを取り付けていない状態でも、前記開閉扉部を閉鎖することで前記ベースユニット及び前記表示ユニットにより前記本体部の前面開口が塞がれ、
Ｔ　前記第１開閉ユニット及び前記第２開閉ユニットは、前記ベースユニットから取外されたときに、直立状態で設置することが可能である
　　ことを特徴とする遊技機。」
第４　特許異議の申立てについて
１　特許異議の申立ての概要
　特許異議申立人は、特許異議申立書において、証拠方法として甲第１−２号証を提出し、訂正前の請求項１に係る発明は、甲第１号証に記載された発明及び甲第２号証に記載された事項に基いて、その出願前にその発明の属する技術の分野における通常の知識を有する者が容易に発明をすることができたものであり、訂正前の請求項１に係る特許は、特許法第２９条第２項の規定に違反してされたものであるから、特許法第１１３条第２号に該当し、取り消されるべきものである旨主張している。
（証拠方法）
甲第１号証：特開２００４−３４４５０３号公報
甲第２号証：特開２０１４−２２１２６７号公報
２　令和３年３月２４日付け取消理由の概要
　令和３年３月２４日付け取消理由通知は、訂正前の請求項１に係る発明は、甲第１号証に記載された発明及び甲第２号証に記載された事項に基いて、その出願前にその発明の属する技術の分野における通常の知識を有する者が容易に発明をすることができたものであり、訂正前の請求項１に係る特許は、特許法第２９条第２項の規定に違反してされたものであるから、特許法第１１３条第２号に該当し、取り消されるべきものである、とするものである。
３　令和３年５月２６日付け意見書（特許権者）の概要
　特許権者は、令和３年５月２６日付け意見書において、甲第１号証に記載された発明及び甲第２号証に記載された事項は、構成Ｈ、Ｉ、Ｊ、Ｋ、Ｌ、Ｍ、Ｎ、Ｏ、Ｐ、Ｑ、Ｒ、Ｓ及びＴを有していないから、訂正後の本件発明は、甲第１号証に記載された発明及び甲第２号証に記載された事項に基いて、その出願前にその発明の属する技術の分野における通常の知識を有する者が容易に発明をすることができたものではない旨主張している。
４　令和３年７月７日付け意見書（特許異議申立人）の概要
　特許異議申立人は、令和３年７月７日付け意見書において、訂正後の本件発明は、甲第１号証に記載された発明、甲第２−５号証に記載された事項、周知技術及び技術常識に基いて、その出願前にその発明の属する技術の分野における通常の知識を有する者が容易に発明をすることができたものであり、特許法第２９条第２項の規定により特許を受けることができないから、特許法第１１３条第２号に該当し、取り消されるべきものである旨主張している。
（証拠方法）
甲第３号証：平成１８年度　標準技術集　遊技機及びその関連技術
　　　　　　第２部パチスロ　２−１−３，３−１−１，３−２−５
　　　　　　各プリントアウト
甲第４号証：特開２０１５−２０２３８２号公報
甲第５号証：特開２００７−１７５３８７号公報
５　各甲号証に記載された事項
（１）　甲第１号証
　甲第１号証には、図面とともに次の事項が記載されている（下線は、当審で付した。以下、同じ。）。
ア　「【０００１】
【発明の属する技術分野】
本発明は、
パチンコ球等の遊技球を使用してゲームを行うことが可能なスロットマシン
イ　「【００１３】
まず、図１は、本発明が適用された遊技機の一例である遊技球としてのパチンコ球を用いたスロットマシン１の正面図であり、
図２は、スロットマシンの構造を示す斜視図であり、
【００１４】
図１に示す
スロットマシン１
機構ユニット９０１は、
遊技島Ｙの膳板Ｚの上面に設置固定するための四角枠状に形成された基枠９００に、一側辺を中心に回動自在に枢支されて
ウ　「【００２８】
装飾パネルユニット９０４における透視窓１４の後方位置には、図２に示されるように、
可変表示装置であるベルト５１Ｌ、５１Ｃ、５１Ｒを有
可変表示ユニット９０３
エ　「【００４３】
次に、本実施例におけるスロットマシン１の構造を図２〜図９に基づいて説明する。スロットマシン１は、図３に示されるように、
機構ユニット９０１に形成された設置用開口部９０２に分離自在に設置され
可変表示ユニット９０３
可変表示ユニット９０３の前面を閉塞するように配置され
装飾パネルユニット９０４
【００４４】
図２に示すように、
機構ユニット９０１は、
遊技島Ｙに設置固定された基枠９００の開口を開閉出来るようになって
この機構ユニット９０１は、設置用開口部９０２が形成された合成樹脂製の板部材からなる本体板９０５と、該本体板９０５の前面下部に開閉自在に枢着されるとともに、上段膨出部７を形成する開閉体としてのカバー体９０６と、本体板９０５の後面側に一体的に組み付けられる機構板５００と、から構成されている。
【００４５】
可変表示ユニット９０３における正面から見て左側の側辺部には、前面に配置される装飾パネルユニット９０４を開閉自在とするためのヒンジ装置９３６が上下所定箇所にそれぞれ取付けられており、装飾パネルユニット９０４が一側辺部を中心として開閉自在に枢着されている。
オ　「【００５３】
係止爪９１５ａは、本体板９０５の内側面に上下方向に移動自在に支持される上下方向を向く移動部材９１７の上下端部それぞれから前方に向けて突設されている。移動部材９１７は、
本体板９０５
に設けられ
施錠装置９１８
施錠装置９１８のシリンダ錠の
鍵穴９１８ａ
装飾パネルユニット９０４及びカバー体９０６を開放することなくスロットマシン１の前面側から操作可能に設けられた鍵穴９１８ａに挿入した所定のキー
を操作することで、カバー体９０６を本体板９０５に対して施解錠出来るようになって
カ　「【００８６】
このように構成された
結束バンド９２７は、本体板９０５から可変表示ユニット９０３を分離して持ち出されて不正に交換されるのを防止するために使用され
結束バンド９２７の具体的な取付方法
可変表示ユニット９０３を本体板９０５に設置した状態で、
鍵穴９１８ａに所定のキーを差し込んで、装飾パネルユニット９０４を開放する
【００８７】
そして、図９（ａ）に示されるように、可変表示ユニット９０３側に形成された二つの孔部９５３ａ、９５３ｂの内一方の孔部９５３ａから結束バンド９２７の先端を挿入し、本体板９０５側に形成された連結用リング部９０９に結束バンド９２７を挿通させ、さらに孔部９５３ｂから結束バンド９２７の先端部を取出し、図９（ｂ）に示されるように、
可変表示ユニット９０３の連結部９５４と、本体板９０５の連結用リング部９０９とを連結するように、バンドに緩みが生じないように張設した状態で結束してから再び装飾パネルユニット９０４を閉塞する
キ　「【００９１】
互いに一体化された可変表示ユニット９０３及び装飾パネルユニット９０４は、
本体板９０５から互いに一体的に係止した状態で一度に取外すことが出来
新機種に対応した新規な可変表示ユニット及び装飾パネルユニットを予め製造して遊技場に搬送しておけば、遊技場において、機種変更等に伴う交換作業を容易に、かつ、迅速に行うことができる
ク　「【００９３】
例えば通常時における可変表示ユニット９０３に組み込まれた各種部品や装置の点検やメンテナンス、及びベルト５１Ｌ、５１Ｃ、５１Ｒの図柄合わせ等の作業等を、可変表示ユニット９０３全体を本体板９０５から分離することなく、装飾パネルユニット９０４を開放させるだけの簡単な操作で行うことが出来るため、通常時における可変表示装置等のメンテナンス性が効果的に向上する。」
ケ　図２
　上記段落【００１３】の「図２は、スロットマシンの構造を示す斜視図であり、」との記載、上記段落【００４４】の「この機構ユニット９０１は、設置用開口部９０２が形成された合成樹脂製の板部材からなる本体板９０５と、該本体板９０５の前面下部に開閉自在に枢着されるとともに、上段膨出部７を形成する開閉体としてのカバー体９０６と、本体板９０５の後面側に一体的に組み付けられる機構板５００と、から構成されている。」との記載、上記段落【００４５】の「可変表示ユニット９０３における正面から見て左側の側辺部には、前面に配置される装飾パネルユニット９０４を開閉自在とするためのヒンジ装置９３６が上下所定箇所にそれぞれ取付けられており、装飾パネルユニット９０４が一側辺部を中心として開閉自在に枢着されている。」との記載を参酌すると、図２には、
装飾パネルユニット９０４が本体板９０５の前面上部を本体板９０５の前面側から開閉自在に枢着され
カバー体９０６が本体板９０５の前面下部を本体板９０５の前面側から開閉自在に枢着され
　上記ア−クの記載事項、上記ケの認定事項から、甲第１号証には、次の発明（以下、「甲１発明」という。）が記載されていると認められる（ａ１等は、発明の構成を分説するために本件発明の構成Ａ等に対応させて当審で付した。）。
「ａ１　パチンコ球等の遊技球を使用してゲームを行うことが可能な（段落【０００１】）スロットマシン１であって（段落【００１４】）、
ｂ１、ｃ１、ｄ１、ｅ１、ｈ１、ｊ１、ｎ１、ｏ１、ｑ１、ｓ１　可変表示ユニット９０３が機構ユニット９０１に形成された設置用開口部９０２に分離自在に設置され、装飾パネルユニット９０４が可変表示ユニット９０３の前面を閉塞するように配置され（段落【００４３】）、機構ユニット９０１は、遊技島Ｙの膳板Ｚの上面に設置固定するための四角枠状に形成された基枠９００に、一側辺を中心に回動自在に枢支されており（段落【００１４】）、機構ユニット９０１は、遊技島Ｙに設置固定された基枠９００の開口を開閉出来るようになっており、機構ユニット９０１は、設置用開口部９０２が形成された合成樹脂製の板部材からなる本体板９０５から構成され（段落【００４４】）、可変表示ユニット９０３が可変表示装置であるベルト５１Ｌ、５１Ｃ、５１Ｒを有し（段落【００２８】）、
ｄ１、ｆ１、ｋ１、ｍ１　可変表示ユニット９０３における正面から見て左側の側辺部には、前面に配置される装飾パネルユニット９０４を開閉自在とするためのヒンジ装置９３６が上下所定箇所にそれぞれ取付けられており、装飾パネルユニット９０４が一側辺部を中心として開閉自在に枢着されており（段落【００４５】）、装飾パネルユニット９０４が本体板９０５の前面上部を本体板９０５の前面側から開閉自在に枢着され（認定事項ケ）、
ｄ１、ｇ１、ｌ１　機構ユニット９０１は、該本体板９０５の前面下部に開閉自在に枢着されるとともに、上段膨出部７を形成する開閉体としてのカバー体９０６から構成され（段落【００４４】）、カバー体９０６が本体板９０５の前面下部を本体板９０５の前面側から開閉自在に枢着され（認定事項ケ）、
ｋ１、ｌ１　本体板９０５に施錠装置９１８のシリンダ錠の鍵穴９１８ａが設けられ、装飾パネルユニット９０４及びカバー体９０６を開放することなくスロットマシン１の前面側から操作可能に設けられた鍵穴９１８ａに挿入した所定のキーを操作することで、カバー体９０６を本体板９０５に対して施解錠出来るようになっており（段落【００５３】）、可変表示ユニット９０３を本体板９０５に設置した状態で、鍵穴９１８ａに所定のキーを差し込んで、装飾パネルユニット９０４を開放することができ（段落【００８６】）、
ｍ１　結束バンド９２７は、本体板９０５から可変表示ユニット９０３を分離して持ち出されて不正に交換されるのを防止するために使用され、結束バンド９２７の具体的な取付方法は、鍵穴９１８ａに所定のキーを差し込んで、装飾パネルユニット９０４を開放し（段落【００８６】）、可変表示ユニット９０３の連結部９５４と、本体板９０５の連結用リング部９０９とを連結するように、バンドに緩みが生じないように張設した状態で結束してから再び装飾パネルユニット９０４を閉塞するものであり（段落【００８７】）、
ｉ１、ｔ１　互いに一体化された可変表示ユニット９０３及び装飾パネルユニット９０４は、本体板９０５から互いに一体的に係止した状態で一度に取外すことが出来、新機種に対応した新規な可変表示ユニット及び装飾パネルユニットを予め製造して遊技場に搬送しておけば、遊技場において、機種変更等に伴う交換作業を容易に、かつ、迅速に行うことができる（段落【００９１】）、スロットマシン１（段落【００１４】）。」
（２）　甲第２号証
　甲第２号証には、図面とともに次の事項が記載されている。
ア　「【００６８】
　以下に、
遊技球を遊技媒体として用いて遊技を行う遊技球使用回胴遊技機
イ　「【００７０】
　まず、遊技機１の外観構成及び内部構造の概略を説明する。ここで、図１は遊技機１の全体を示す斜視図、図２は遊技機１の正面図、
図３及び図４は遊技機１の内部開放状態を示す斜視図、
【００７１】
　
遊技機１は、本体枠又は取付対象としての外枠２と、この外枠２に対して前方に回動可能に取り付けられた遊技機主部３とを有
【００７２】
　
遊技機主部３は、扉体ユニットであるドアブロック４と、絵柄表示ユニットである面替えブロック５と、遊技球の払出ユニットである払出ブロック６とから構成されて
遊技機１を正面から見て左側に回動軸線が設けられる構成となっており、遊技機主部３は正面から見て右側を回動先端部として開放され
左側
開閉中心側
右側
開放端側
【００７３】
　
面替えブロック５はドアブロック４の背面側に取り付けられ、更に面替えブロック５を背面側から覆うようにして払出ブロック６が取り付けられている。これら面替えブロック５と払出ブロック６はドアブロック４の一部にそれぞれ回動可能に支持されており、外枠２に対してドアブロック４と一体で回動可能となるとともに、ドアブロック４に対して各々個別に回動可能となる構造を有する。
ウ　「【００７８】
　
ドアブロック４において、前扉体１１は、前記外枠２とほぼ同等の大きさ（縦寸法及び横寸法）を有し、その背面側に重なるようにして内枠１２が取り付けられている。
エ　「【００９９】
　（内枠１２の説明）
　
図１０や図１１に示すように、内枠１２は、前扉体１１と相似形をなす矩形状をなしており、概ね等しい細幅の左枠部１０１、右枠部１０２及び上枠部１０３と、それらよりも広幅の下枠部１０４とを有する。これら各枠部１０１〜１０４に囲まれる部位が中央開口部１０５となっており、内枠１２の背面側には、下枠部１０４の上縁部の一部を除く範囲で中央開口部１０５を囲むようにして一定高さのリブ１０６が形成されている。
オ　「【０１９７】
　
面替えブロック５は主要な構成として、
図柄表示装置としてのリール装置５０３
を備え
カ　「【０２６６】
　ちなみに、リール装置５０３等のメンテナンス時や主制御装置５０５等の点検時などにおいては、ドアブロック４、面替えブロック５及び払出ブロック６の一体物の開放後に、各ロック部材６７８，６７９や結合フック部材５３１，５３２を結合解除操作して面替えブロック５と払出ブロック６とを分離させる（図４の状態）。そしてこの状態で、リール装置５０３等のメンテナンスや主制御装置５０５等の点検などが行われる。」
キ　図１０
　上記段落【００９９】の「図１０や図１１に示すように、内枠１２は、前扉体１１と相似形をなす矩形状をなしており、概ね等しい細幅の左枠部１０１、右枠部１０２及び上枠部１０３と、それらよりも広幅の下枠部１０４とを有する。」との記載を参酌すると、図１０には、
内枠１２が、下枠部１０４において広幅の板状であ
ク　図３
図４
　上記段落【００７０】の「図３及び図４は遊技機１の内部開放状態を示す斜視図、」との記載、上記段落【００７３】の「面替えブロック５はドアブロック４の背面側に取り付けられ、更に面替えブロック５を背面側から覆うようにして払出ブロック６が取り付けられている。これら面替えブロック５と払出ブロック６はドアブロック４の一部にそれぞれ回動可能に支持されており、外枠２に対してドアブロック４と一体で回動可能となるとともに、ドアブロック４に対して各々個別に回動可能となる構造を有する。」との記載、上記段落【００７８】の「ドアブロック４において、前扉体１１は、前記外枠２とほぼ同等の大きさ（縦寸法及び横寸法）を有し、その背面側に重なるようにして内枠１２が取り付けられている。」との記載、上記段落【００９９】の「図１０や図１１に示すように、内枠１２は、前扉体１１と相似形をなす矩形状をなしており、概ね等しい細幅の左枠部１０１、右枠部１０２及び上枠部１０３と、それらよりも広幅の下枠部１０４とを有する。これら各枠部１０１〜１０４に囲まれる部位が中央開口部１０５となっており、内枠１２の背面側には、下枠部１０４の上縁部の一部を除く範囲で中央開口部１０５を囲むようにして一定高さのリブ１０６が形成されている。」との記載及び図１０を参酌すると、図３及び図４には、
中央開口部１０５を内枠１２の背面側から開閉可能に面替えブロック５が設けられる
　上記ア−カの記載事項、上記キ−クの認定事項から、甲第２号証には、次の事項（以下、「甲第２号証に記載された事項」という。）が記載されていると認められる（ａ２等は、構成を分説するために本件発明の構成Ａ等に対応させて当審で付した。）。
「ａ２　遊技球を遊技媒体として用いて遊技を行う遊技球使用回胴遊技機であって（段落【００６８】）、
ｂ２、ｃ２　遊技機１は、本体枠又は取付対象としての外枠２と、この外枠２に対して前方に回動可能に取り付けられた遊技機主部３とを有し（段落【００７１】）、遊技機１を正面から見て開閉中心側である左側に回動軸線が設けられる構成となっており、遊技機主部３は正面から見て開放端側である右側を回動先端部として開放され（段落【００７２】）、
ｄ２、ｅ２　遊技機主部３は、扉体ユニットであるドアブロック４と、絵柄表示ユニットである面替えブロック５と、遊技球の払出ユニットである払出ブロック６とから構成されており（段落【００７２】）、ドアブロック４において、前扉体１１の背面側に重なるようにして内枠１２が取り付けられており（段落【００７８】）、内枠１２が、下枠部１０４において広幅の板状であり（認定事項キ）、
ｄ２、ｈ２　面替えブロック５は主要な構成として、図柄表示装置としてのリール装置５０３を備え（段落【０１９７】）、
ｎ２　内枠１２は、各枠部１０１〜１０４に囲まれる部位が中央開口部１０５となっており（段落【００９９】）、中央開口部１０５を内枠１２の背面側から開閉可能に面替えブロック５が設けられる（認定事項ク）、遊技球使用回胴遊技機（段落【００６８】）。」
（３）　甲第３号証
　甲第３号証（平成１８年度　標準技術集　遊技機及びその関連技術　第２部パチスロ　２−１−３，３−１−１，３−２−５　各プリントアウト）には、図面とともに次の事項が記載されている。
ア　「【技術内容】
　演出等の表示器として、液晶表示装置が搭載されているものがある。液晶の配置場所としては下図のようにリールの上部に配するのが主流である。この他には、リールの右側、リールの下（遊技者から見て手前）に配するのもある。なお、液晶をどこに配するかは、適宜設計出来ることである。」（第７２頁）
イ　「　通常の箱形筐体と異なり、カジノのスロットを意識したテーブル型の筐体である。形状以外は、通常のパチスロ機と同様である。
　テーブル型筐体はサイズが大きいために従来の島には設置できず、空スペース、もしくは島の改築を行なうことで設置可能となる。台数換算すると通常の箱形筐体50台設置可能なスペースに30台程度しか設置できない。」（第１１６頁）
ウ　「【技術内容】
　パチスロ機が４号機になり、演出面での多様化（主にドットや液晶を搭載した機種の台頭）によって、それまではメイン基板のみでプログラム（払い制御、内部抽選、リール制御など）を制御していたが、容量に限りがある主基盤のみでは、多彩な演出（音声やＢＧＭ、ランプや液晶演出等）を制御することが難しくなったために搭載されるようになった基板で、ゲームの中核となる内部抽選やリール制御には影響を与えないという意図で使用が認められている。
　サブ基板には搭載個数や処理速度等の制限がないため、制御対象それぞれに専用基板を設け、複数搭載している機種も存在している。また、機種によってサブ基板の設置場所は異なり、本体ドア裏側やリール横に設置されている。
　なお、メイン基板からサブ基板に対しては、信号を送信するのみで、受信することは禁じられ、片方向通信となる（別表第３（１）基板に関する規格内「イ」参照）。」（第１４２頁）
（４）　甲第４号証
　甲第４号証には、図面とともに次の事項が記載されている。
ア　「【０００５】
　すなわち本発明は、従来の技術に係る遊技機の枠部材に内在する前記問題に鑑み、これらを好適に解決するべく提案されたものであって、立てた姿勢での安定性を向上し得る遊技機の枠部材を提供することを目的とする。」
イ　「【０００７】
　請求項１に係る発明によれば、枠部材の下枠部を、金属製の第１部材および第２部材で構成すると共に、両部材の底面を同一平面に位置するように連結したので、枠部材を床に立てた姿勢で置いた場合の安定性を向上することができる。また、下枠部の重心を、該下枠部の前後方向の中央を挟んで枠構成部材の重心とは反対の端側に位置するよう構成したので、枠構成部材によって枠部材が傾倒するのを抑制することができ、枠部材を床に立てた姿勢で置いた場合の転倒を抑制し得る。」
（５）　甲第５号証
　甲第５号証には、図面とともに次の事項が記載されている。
ア　「【発明の開示】
【発明が解決しようとする課題】
【０００６】
　本発明は、この様な事情に鑑みこれを改善する目的で開発されたものであり、その主たる目的はアルミニウム合金の成形性を活用して安定した外枠の成形を図ると同時に、この外枠に備える装飾板の取付けを改善し、木製外枠からは得られない装飾性の高い外枠を得ること、また、パチンコ機の保管乃至運搬時における単独状態においての自立性を高めて安定性に優れ、且つ取扱いが容易なパチンコ機の外枠を提供しようとするものである。」
第５　当審の判断
１　特許法第２９条第２項について
　本件発明が、甲１発明及び甲第２−５号証に記載された事項に基いて、その出願前にその発明の属する技術の分野における通常の知識を有する者が容易に発明をすることができたものであるか検討する。
（１）　対比
　本件発明と甲１発明とを対比する。
ア　構成Ａについて
　甲１発明の「パチンコ球等の遊技球を使用してゲームを行うことが可能なスロットマシン１」は、本件発明の「遊技が可能な遊技機」に相当する。
　したがって、甲１発明の構成ａ１は、本件発明の構成Ａに相当する。
イ　構成Ｂについて
　甲１発明の「基枠９００」は、本件発明の「本体部」に相当する。
　したがって、甲１発明の構成ｂ１、ｃ１、ｄ１、ｅ１、ｈ１、ｊ１、ｎ１、ｏ１、ｑ１、ｓ１は、本件発明の構成Ｂに相当する構成を有している。
ウ　構成Ｃについて
　甲１発明の「装飾パネルユニット９０４が」「配置され」た「可変表示ユニット９０３が」「設置され」た「機構ユニット９０１」は、「基枠９００に、一側辺を中心に回動自在に枢支されており、」「基枠９００の開口を開閉出来るようになって」いるものであるから、本件発明の「前記本体部に対して一辺側を回動軸心として開閉可能に設けられる開閉扉部」に相当する。
　したがって、甲１発明の構成ｂ１、ｃ１、ｄ１、ｅ１、ｈ１、ｊ１、ｎ１、ｏ１、ｑ１、ｓ１は、本件発明の構成Ｃに相当する構成を有している。
エ　構成Ｄ、Ｅについて
　甲１発明の「板部材からなる本体板９０５」は、本件発明の「板状に形成されるベースユニット」に相当する。
　したがって、甲１発明の構成ｂ１、ｃ１、ｄ１、ｅ１、ｈ１、ｊ１、ｎ１、ｏ１、ｑ１、ｓ１は、本件発明の構成Ｄ、Ｅに相当する構成を有している。
オ　構成Ｄ、Ｆについて
　甲１発明の「本体板９０５の前面上部を本体板９０５の前面側から開閉自在に枢着され」る「装飾パネルユニット９０４」は、本件発明の「前記ベースユニットの第１領域を前記ベースユニットの前面側から開閉可能に設けられる第１開閉ユニット」に相当する。
　したがって、甲１発明の構成ｄ１、ｆ１、ｋ１、ｍ１は、本件発明の構成Ｄ、Ｆに相当する構成を有している。
カ　構成Ｄ、Ｇについて
　甲１発明の「本体板９０５の前面下部を本体板９０５の前面側から開閉自在に枢着され」る「カバー体９０６」は、本件発明の「前記ベースユニットの前記第１領域とは異なる第２領域を前記ベースユニットの前面側から開閉可能に設けられる第２開閉ユニット」に相当する。
　したがって、甲１発明の構成ｄ１、ｇ１、ｌ１は、本件発明の構成Ｄ、Ｇに相当する構成を有している。
キ　構成Ｄ、Ｈについて
　上記ウにて説示のとおり、甲１発明の「装飾パネルユニット９０４が」「配置され」た「可変表示ユニット９０３が」「設置され」た「機構ユニット９０１」は、本件発明の「開閉扉部」に相当する。
　また、甲１発明の「可変表示ユニット９０３」は、本件発明の「表示ユニット」に相当する。
　したがって、甲１発明の構成ｂ１、ｃ１、ｄ１、ｅ１、ｈ１、ｊ１、ｎ１、ｏ１、ｑ１、ｓ１における「機構ユニット９０１」に「可変表示ユニット９０３が」「設置され」ることは、本件発明の構成Ｄ、Ｈと、「前記開閉扉部は、」「表示ユニット」「を有」する点で共通している。
ク　構成Ｉについて
　甲１発明の「装飾パネルユニット９０４」は、「本体板９０５から」「取外すことが出来、」「新規な」「装飾パネルユニット」に「交換」することができるものであるから、本体板９０５に対して交換可能に設けられているといえる。
　したがって、甲１発明の構成ｉ１、ｔ１における「装飾パネルユニット９０４」が「本体板９０５から」「取外すことが出来、」「新規な」「装飾パネルユニット」に「交換」することができることは、本件発明の構成Ｉと、「前記第１開閉ユニット」「は、前記ベースユニットに対して交換可能に設けられ」る点で共通している。
ケ　構成Ｊについて
　甲１発明の「装飾パネルユニット９０４が」「配置され」た「可変表示ユニット９０３が」「設置され」た「機構ユニット９０１」は、「基枠９００の開口を開閉出来るようになって」いるものであるから、基枠９００に対して開放可能であるといえる。
　したがって、甲１発明の構成ｂ１、ｃ１、ｄ１、ｅ１、ｈ１、ｊ１、ｎ１、ｏ１、ｑ１、ｓ１における「装飾パネルユニット９０４が」「配置され」た「可変表示ユニット９０３が」「設置され」た「機構ユニット９０１」が「基枠９００の開口を開閉出来るようになって」いることは、本件発明の構成Ｊと、「前記開閉扉部は、」「前記本体部に対して開放可能であ」る点で共通している。
コ　構成Ｋについて
　甲１発明の「装飾パネルユニット９０４」は、「本体板９０５の前面上部を本体板９０５の前面側から開閉自在に枢着され」るものであるから、本体板９０５の前面側に開放可能となっているといえる。
　したがって、甲１発明の構成ｄ１、ｆ１、ｋ１、ｍ１における「装飾パネルユニット９０４」が「本体板９０５の前面上部を本体板９０５の前面側から開閉自在に枢着され」ることは、本件発明の構成Ｋと、「前記第１開閉ユニットは、」「前記ベースユニットの前面側に開放可能とな」る点で共通している。
サ　構成Ｌについて
　甲１発明の「カバー体９０６」は、「本体板９０５の前面下部を本体板９０５の前面側から開閉自在に枢着され」るものであるから、本体板９０５の前面側に開放可能となっているといえる。
　したがって、甲１発明の構成ｄ１、ｇ１、ｌ１における「カバー体９０６」が「本体板９０５の前面下部を本体板９０５の前面側から開閉自在に枢着され」ることは、本件発明の構成Ｌと、「前記第２開閉ユニットは、」「前記ベースユニットの前面側に開放可能とな」る点で共通している。
シ　構成Ｍについて
　上記コにて説示のとおり、甲１発明の「装飾パネルユニット９０４」は、本体板９０５の前面側に開放可能となっているといえる。
　したがって、甲１発明の構成ｄ１、ｆ１、ｋ１、ｍ１における「装飾パネルユニット９０４」が「本体板９０５の前面上部を本体板９０５の前面側から開閉自在に枢着され」ることは、本件発明の構成Ｍと、「前記第１開閉ユニットは、」「前記ベースユニットの前面側に開放可能とな」る点で共通している。
ス　構成Ｎについて
　甲１発明の「設置用開口部９０２」は、本件発明の「開口部」に相当する。
　また、甲１発明は、「本体板９０５」に「設置用開口部９０２が形成され」、「可変表示ユニット９０３が」「設置用開口部９０２に」「設置され」、「装飾パネルユニット９０４が可変表示ユニット９０３の前面を閉塞するように配置され」るものであるから、甲１発明の「本体板９０５」は、装飾パネルユニット９０４が設けられる領域に設置用開口部９０２を有しているといえ、設置用開口部９０２に可変表示ユニット９０３が設けられているといえる。
　したがって、甲１発明の構成ｂ１、ｃ１、ｄ１、ｅ１、ｈ１、ｊ１、ｎ１、ｏ１、ｑ１、ｓ１における「本体板９０５」に「設置用開口部９０２が形成され」、「可変表示ユニット９０３が」「設置用開口部９０２に」「設置され」、「装飾パネルユニット９０４が可変表示ユニット９０３の前面を閉塞するように配置され」ることは、本件発明の構成Ｎと、「前記ベースユニットは前記第１領域に開口部を有し、該開口部」「に前記表示ユニットが設けられ」る点で共通している。
セ　構成Ｏについて
　甲１発明の「基枠９００」は、「開口」を有し、「四角枠状に形成され」るものであるから、前面が開口する形状に形成されているといえる。
　したがって、甲１発明の構成ｂ１、ｃ１、ｄ１、ｅ１、ｈ１、ｊ１、ｎ１、ｏ１、ｑ１、ｓ１における「基枠９００」が「開口」を有し、「四角枠状に形成され」ることは、本件発明の構成Ｏと、「前記本体部は、前面が開口する」形状「に形成され」る点で共通している。
ソ　構成Ｑについて
　甲１発明の「本体板９０５」は、「板部材からなる」ものであるから、板状に形成されているといえる。
　また、甲１発明において、「本体板９０５から構成され」る「機構ユニット９０１は、」「基枠９００の開口を開閉出来るようになって」いるものであるから、甲１発明の「本体板９０５」は、基枠９００の開口の少なくとも一部を塞いでいるといえる。
　したがって、甲１発明の構成ｂ１、ｃ１、ｄ１、ｅ１、ｈ１、ｊ１、ｎ１、ｏ１、ｑ１、ｓ１は、本件発明の構成Ｑに相当する構成を有している。
タ　構成Ｓについて
　甲１発明において、「本体板９０５から構成され」る「機構ユニット９０１は、」「基枠９００の開口を開閉出来るようになって」いるものであるから、甲１発明は、本体板９０５に装飾パネルユニット９０４及びカバー体９０６を取り付けていない状態でも、機構ユニット９０１を閉鎖することで本体板９０５及び可変表示ユニット９０３により基枠９００の開口の少なくとも一部が塞がれているといえる。
　したがって、甲１発明の構成ｂ１、ｃ１、ｄ１、ｅ１、ｈ１、ｊ１、ｎ１、ｏ１、ｑ１、ｓ１は、本件発明の構成Ｓに相当する構成を有している。
チ　構成Ｔについて
　甲１発明の「装飾パネルユニット９０４」は、「本体板９０５から」「取外すことが出来」るものである。
　したがって、甲１発明の構成ｉ１、ｔ１における「装飾パネルユニット９０４」が「本体板９０５から」「取外すことが出来」る「スロットマシン１」は、本件発明の構成Ｔと、「前記第１開閉ユニット」「は、前記ベースユニットから取外され」る「遊技機」である点で共通している。
　以上のことから、本件発明と甲１発明とは、
［一致点］
「Ａ　遊技が可能な遊技機であって、
Ｂ　本体部と、
Ｃ　前記本体部に対して一辺側を回動軸心として開閉可能に設けられる開閉扉部と、
　　を備え、
Ｄ　前記開閉扉部は、
Ｅ　　板状に形成されるベースユニットと、
Ｆ　　前記ベースユニットの第１領域を前記ベースユニットの前面側から開閉可能に設けられる第１開閉ユニットと、
Ｇ　　前記ベースユニットの前記第１領域とは異なる第２領域を前記ベースユニットの前面側から開閉可能に設けられる第２開閉ユニットと、
Ｈ’　表示ユニットと、
　　を有し、
Ｉ’前記第１開閉ユニットは、前記ベースユニットに対して交換可能に設けられ、
Ｊ’前記開閉扉部は、前記本体部に対して開放可能であり、
Ｋ’前記第１開閉ユニットは、前記ベースユニットの前面側に開放可能となり、
Ｌ’前記第２開閉ユニットは、前記ベースユニットの前面側に開放可能となり、
Ｍ’前記第１開閉ユニットは、前記ベースユニットの前面側に開放可能となり、
Ｎ’前記ベースユニットは前記第１領域に開口部を有し、該開口部に前記表示ユニットが設けられ、
Ｏ’前記本体部は、前面が開口する形状に形成され、
Ｑ　前記ベースユニットは、前記本体部の前面開口を塞ぐ板状に形成され、
Ｓ　前記ベースユニットに前記第１開閉ユニット及び前記第２開閉ユニットを取り付けていない状態でも、前記開閉扉部を閉鎖することで前記ベースユニット及び前記表示ユニットにより前記本体部の前面開口が塞がれ、
Ｔ’前記第１開閉ユニットは、前記ベースユニットから取外される
　　遊技機。」
である点で一致し、以下の点で相違する。
［相違点１］（構成Ｄ、Ｈ）
　「前記開閉扉部」が「有」する「表示ユニット」に関して、
　本件発明は、「液晶表示装置を有」しているのに対して、
　甲１発明は、「可変表示装置であるベルト５１Ｌ、５１Ｃ、５１Ｒを有し」ている点。
［相違点２］（構成Ｉ）
　本件発明は、「前記第２開閉ユニット」が「前記ベースユニットに対して交換可能に設けられ」ているのに対して、
　甲１発明は、そのような構成を有しているのか不明である点。
［相違点３］（構成Ｊ）
　「前記開閉扉部」に関して、
　本件発明は、「前記遊技機前面側から挿入された鍵の操作により前記本体部に対して開放可能であ」るのに対して、
　甲１発明は、そのような構成を有しているのか不明である点。
［相違点４］（構成Ｋ）
　「前記第１開閉ユニット」に関して、
　本件発明は、「前記開閉扉部を開放することで操作可能となる第１操作部を操作することで前記ベースユニットの前面側に開放可能とな」っているのに対して、
　甲１発明は、「機構ユニット９０１」（開閉扉部）を「構成」する「本体板９０５」に、「施錠装置９１８のシリンダ錠の鍵穴９１８ａが設けられ、」「鍵穴９１８ａに所定のキーを差し込んで、装飾パネルユニット９０４」（第１開閉ユニット）「を開放することができ」る点。
［相違点５］（構成Ｌ）
　「前記第２開閉ユニット」に関して、
　本件発明は、「前記開閉扉部を開放することで操作可能となる第２操作部を操作することで前記ベースユニットの前面側に開放可能とな」っているのに対して、
　甲１発明は、「機構ユニット９０１」（開閉扉部）を「構成」する「本体板９０５」に、「施錠装置９１８のシリンダ錠の鍵穴９１８ａが設けられ、」「鍵穴９１８ａに挿入した所定のキーを操作することで、カバー体９０６」（第２開閉ユニット）「を本体板９０５に対して施解錠出来るようになって」いる点。
［相違点６］（構成Ｍ）
　「前記第１開閉ユニット」に関して、
　本件発明は、「規制手段により前記ベースユニットに対して開放不能に規制され、前記規制手段を破壊することで前記ベースユニットの前面側に開放可能とな」っているのに対して、
　甲１発明は、そのような構成を有していない点。
［相違点７］（構成Ｎ）
　「該開口部」に「設けられ」る「前記表示ユニット」に関して、
　本件発明は、「前記ベースユニットの後面側から開閉可能に設けられ」ているのに対して、
　甲１発明は、「分離自在に設置され」ている点。
［相違点８］（構成Ｏ）
　「前面が開口する」形状「に形成され」る「前記本体部」に関して、
　本件発明は、「箱状に形成され」ているのに対して、
　甲１発明は、「四角枠状に形成され」ている点。
［相違点９］（構成Ｐ）
　本件発明は、「該本体部の内部には、複数のリールを含むリールユニットと、前記リールの駆動制御を含む遊技の制御を行う遊技制御手段が搭載された遊技制御基板と、が収容され」ているのに対して、
　甲１発明は、そのような構成を有していない点。
［相違点１０］（構成Ｒ）
　本件発明は、「前記表示ユニットの後面側に前記液晶表示装置の制御を行う演出制御手段が搭載された演出制御基板が配置され」ているのに対して、
　甲１発明は、そのような構成を有していない点。
［相違点１１］（構成Ｔ）
　「前記第１開閉ユニット及び前記第２開閉ユニット」に関して、
　本件発明は、「前記ベースユニットから取外されたときに、直立状態で設置することが可能である」のに対して、
　甲１発明は、そのような構成を有しているのか不明である点。
（２）　判断
　まず、相違点４−６について検討する。
ア　相違点４−５について（構成Ｋ、Ｌ）
　相違点４−５は、関連するので、まとめて検討する。
　甲１発明は、機構ユニット９０１（開閉扉部）を構成する本体板９０５に、施錠装置９１８のシリンダ錠の鍵穴９１８ａが設けられ、解錠により、機構ユニット９０１（開閉扉部）を構成する本体板９０５から、装飾パネルユニット９０４（第１開閉ユニット）及びカバー体９０６（第２開閉ユニット）を開放することができるものであり、機構ユニット９０１（開閉扉部）を開放することなく、装飾パネルユニット９０４（第１開閉ユニット）及びカバー体９０６（第２開閉ユニット）を開放することができるものであるから、甲１発明には、装飾パネルユニット９０４（第１開閉ユニット）が機構ユニット９０１（開閉扉部）を開放することで操作可能となる第１操作部を操作することで本体板９０５の前面側に開放可能となる構成及びカバー体９０６（第２開閉ユニット）が機構ユニット９０１（開閉扉部）を開放することで操作可能となる第２操作部を操作することで本体板９０５の前面側に開放可能となる構成が記載されているとはいえない。
　特許異議申立人は、令和３年７月７日付け意見書において、「係止爪９３７ａ、９３７ｂは、本体板９０５を開放しても操作可能であることは、甲第１号証の図２からも明らかである。」、「この施錠装置９１８は、本体板９０５を開放しても操作可能であることは、甲第１号証の図１，図２および図５からも明らかである。」と主張しているが、「本体板９０５を開放しても操作可能であること」と本体板９０５を開放することで操作可能となることとは異なるから、甲１発明が本件発明の構成Ｋ、Ｌを備えているとの特許異議申立人の主張を採用することはできない。
　また、甲第２−５号証には、第１開閉ユニットが開閉扉部を開放することで操作可能となる第１操作部を操作することでベースユニットの前面側に開放可能となる構成及び第２開閉ユニットが開閉扉部を開放することで操作可能となる第２操作部を操作することでベースユニットの前面側に開放可能となる構成は、記載も示唆もされておらず、当該構成を備えることは、本件特許の出願前にその発明の属する技術の分野における通常の知識を有する者にとって自明な事項でも、周知技術でもない。
　そして、本件発明は、上記相違点４−５に係る構成を備えることにより、遊技機前面側から挿入された鍵の操作により誤って第１開閉ユニットや第２開閉ユニットがベースユニットの前面側に開放してしまうことを防止できるという効果を奏するものである。
　したがって、本件発明の上記相違点４−５に係る構成は、甲１発明及び甲第２−５号証に記載された事項に基いて、その出願前にその発明の属する技術の分野における通常の知識を有する者が容易になし得たものであるとはいえない。
イ　相違点６について（構成Ｍ）
　甲１発明には、装飾パネルユニット９０４（第１開閉ユニット）が規制手段により機構ユニット９０１（開閉扉部）を構成する本体板９０５に対して開放不能に規制され、規制手段を破壊することで本体板９０５の前面側に開放可能となる構成が記載されているとはいえない。
　特許異議申立人は、令和３年７月７日付け意見書において、甲１発明の「結束バンド９２７」は、本件発明の「規制手段」に相当すると主張しているが、甲１発明において、「結束バンド９２７の具体的な取付方法は、」「装飾パネルユニット９０４を開放し、可変表示ユニット９０３の連結部９５４と、本体板９０５の連結用リング部９０９とを連結するように、バンドに緩みが生じないように張設した状態で結束してから再び装飾パネルユニット９０４を閉塞するものであ」り、「結束バンド９２７」により装飾パネルユニット９０４（第１開閉ユニット）が機構ユニット９０１（開閉扉部）を構成する本体板９０５に対して開放不能に規制されるものでないことは明らかであるから、甲１発明が本件発明の構成Ｍを備えているとの特許異議申立人の主張を採用することはできない。
　また、甲第２−５号証には、第１開閉ユニットが規制手段によりベースユニットに対して開放不能に規制され、規制手段を破壊することでベースユニットの前面側に開放可能となる構成は、記載も示唆もされておらず、当該構成を備えることは、本件特許の出願前にその発明の属する技術の分野における通常の知識を有する者にとって自明な事項でも、周知技術でもない。
　そして、本件発明は、上記相違点６に係る構成を備えることにより、第１開閉ユニットが不正に開放されたことを特定できるという効果を奏するものである。
　したがって、本件発明の上記相違点６に係る構成は、甲１発明及び甲第２−５号証に記載された事項に基いて、その出願前にその発明の属する技術の分野における通常の知識を有する者が容易になし得たものであるとはいえない。
　以上のことから、上記相違点１−３，７−１１について検討するまでもなく、本件発明は、甲１発明及び甲第２−５号証に記載された事項に基いて、その出願前にその発明の属する技術の分野における通常の知識を有する者が容易に発明をすることができたものであるとはいえない。
２　特許異議の申立ての理由について
　当審による令和３年３月２４日付け取消理由通知は、上記第４　１−２にて説示のとおり、特許異議の申立ての理由と同じものであることから、特許異議の申立ての理由は、上記１において検討済みである。
３　令和３年７月７日付け意見書における特許異議申立人の主張について
　特許異議申立人は、令和３年７月７日付け意見書において、訂正後の本件発明は、甲第１号証に記載された発明、甲第２−５号証に記載された事項、周知技術及び技術常識に基いて、その出願前にその発明の属する技術の分野における通常の知識を有する者が容易に発明をすることができたものであり、特許法第２９条第２項の規定により特許を受けることができないから、特許法第１１３条第２号に該当し、取り消されるべきものである旨主張している。
　しかしながら、上記１にて説示のとおり、甲１発明及び甲第２−５号証には、相違点４の第１開閉ユニットが開閉扉部を開放することで操作可能となる第１操作部を操作することでベースユニットの前面側に開放可能となる構成、相違点５の第２開閉ユニットが開閉扉部を開放することで操作可能となる第２操作部を操作することでベースユニットの前面側に開放可能となる構成、相違点６の第１開閉ユニットが規制手段によりベースユニットに対して開放不能に規制され、規制手段を破壊することでベースユニットの前面側に開放可能となる構成は、記載も示唆もされておらず、当該構成を備えることは、本件特許の出願前にその発明の属する技術の分野における通常の知識を有する者にとって自明な事項でも、周知技術でもないから、特許異議申立人の主張を採用することはできない。
第６　むすび
　以上のとおりであるから、取消理由通知に記載した取消理由並びに特許異議の申立ての理由及び証拠方法によっては、訂正後の請求項１に係る特許を取り消すことはできない。
　また、他に訂正後の請求項１に係る特許を取り消すべき理由を発見しない。
　よって、結論のとおり決定する。
【異議決定日】
令和３年８月２４日（２０２１．８．２４）
【訂正の要旨】
審決（決定）の【理由】欄参照。
（５４）【発明の名称】
遊技機
　【技術分野】
　【０００１】
　本発明は、遊技が可能な遊技機に関する。
　【背景技術】
　【０００２】
　スロットマシンやパチンコ遊技機等の遊技機にあっては、旧機種から新機種への機種変更、あるいはスペックが異なる機種への機種変更を行う場合、例えば、既存の遊技機において、異なる遊技機で共通に用いられる共通ユニットはそのまま維持し、該共通ユニットに対して交換可能に設けられる交換ユニットのみを交換することにより、機種変更できるようにしたもの等がある。尚、このような交換ユニットの交換作業は、遊技場で行う場合もあれば、遊技機メーカーが回収先で行う場合もある。
　【０００３】
　この種の遊技機として、例えば、共通ユニットである枠状フレームに対し、交換ユニットである左サイドユニット、右サイドユニット、上部マスクユニット、下部マスクユニット、コンソールユニット及び窓パネルユニットを交換可能に設けて開閉扉部を構成したもの等があった（例えば、特許文献１参照）。
　【先行技術文献】
　【特許文献】
　【０００４】
　【特許文献１】特開２０１１−１８８９９３号公報
　【発明の概要】
　【発明が解決しようとする課題】
　【０００５】
　上記特許文献１に記載の遊技機にあっては、各交換ユニットは共通ユニットである枠状フレームに各々取付けられるため、一の交換ユニットに設けられた電気部品等のメンテナンス作業をする場合は枠状フレームから取外さなければならないという問題があった。また、交換ユニットの数が増加すると、交換ユニットの間に形成される隙間が多くなり、これにより開閉扉部を介して遊技機の本体部へ針金などの不正部材を進入させやすくなるため、セキュリティが低下するという問題があった。
　【０００６】
　本発明は、このような問題点に着目してなされたもので、交換ユニットのメンテナンス性高め、かつ、セキュリティを向上させることができる遊技機を提供することを目的とする。
　【課題を解決するための手段】
　【０００７】
　前記課題を解決するために、本発明の請求項１に記載の遊技機は、
　遊技が可能な遊技機であって、
　本体部と、
　前記本体部に対して一辺側を回動軸心として開閉可能に設けられる開閉扉部と、
　を備え、
　前記開閉扉部は、
　板状に形成されるベースユニットと、
　前記ベースユニットの第１領域を前記ベースユニットの
前
　前記ベースユニットの前記第１領域とは異なる第２領域を前記ベースユニットの
前
　
液晶
　を有し、
　前記第１開閉ユニット及び前記第２開閉ユニットは、前記ベースユニットに対して交換可能に設けられ、
　前記開閉扉部は、前記遊技機前面側から挿入された鍵の操作により前記本体部に対して開放可能であり、
　前記第１開閉ユニットは、前記開閉扉部を開放することで操作可能となる第１操作部を操作することで前記ベースユニットの前面側に開放可能となり、
　前記第２開閉ユニットは、前記開閉扉部を開放することで操作可能となる第２操作部を操作することで前記ベースユニットの前面側に開放可能となり、
　前記第１開閉ユニットは、規制手段により前記ベースユニットに対して開放不能に規制され、前記規制手段を破壊することで前記ベースユニットの前面側に開放可能となり、
　前記ベースユニットは
前記第１領域に
後
、
　前記本体部は、前面が開口する箱状に形成され、
　該本体部の内部には、複数のリールを含むリールユニットと、前記リールの駆動制御を含む遊技の制御を行う遊技制御手段が搭載された遊技制御基板と、が収容され、
　前記ベースユニットは、前記本体部の前面開口を塞ぐ板状に形成され、
　前記表示ユニットの後面側に前記液晶表示装置の制御を行う演出制御手段が搭載された演出制御基板が配置され、
　前記ベースユニットに前記第１開閉ユニット及び前記第２開閉ユニットを取り付けていない状態でも、前記開閉扉部を閉鎖することで前記ベースユニット及び前記表示ユニットにより前記本体部の前面開口が塞がれ、
　前記第１開閉ユニット及び前記第２開閉ユニットは、前記ベースユニットから取外されたときに、直立状態で設置することが可能である
　ことを特徴としている。
　本発明の手段１の遊技機は、
　遊技が可能な遊技機（例えば、スロットマシン１）であって、
　本体部（例えば、筐体１ａ）と、
　前記本体部に対して一辺側を回動軸心として開閉可能に設けられる開閉扉部（例えば、前面扉１ｂ）と、
　を備え、
　前記開閉扉部は、
　板状に形成されるベースユニット（例えば、共通ユニット２００）と、
　前記ベースユニットの第１領域（例えば、前面上部）を開閉可能に設けられる第１開閉ユニット（例えば、上部開閉ユニット２１０）と、
　前記ベースユニットの前記第１領域とは異なる第２領域（例えば、前面下部）を開閉可能に設けられる第２開閉ユニット（例えば、下部開閉ユニット２２０）と、
　を有する
　ことを特徴としている。
　この特徴によれば、ベースユニットに対し第１開閉ユニットや第２開閉ユニットを開放させることでベースユニットの第１領域や第２領域を解放することができるため、メンテナンス性が向上する。また、ベースユニットは板状に形成されているため、開閉扉部を介して不正部材を本体部へ進入させることが困難となるため、不正行為を好適に抑制できる。
　【０００８】
　本発明の手段２の遊技機は、手段１に記載の遊技機であって、
　前記ベースユニット（例えば、共通ユニット２００）に対する前記第１開閉ユニット（例えば、上部開閉ユニット２１０）及び前記第２開閉ユニット（例えば、下部開閉ユニット２２０）の回動軸心（例えば、回動軸３３０Ａ，３３０Ｂ、回動軸３４０Ａ，３４０Ｂと軸受孔３３１Ａ，３３１Ｂ、軸受孔３４１Ａ，３４１Ｂとにより形成される回動軸心）は、前記本体部に対する前記開閉扉部の回動軸心（例えば、回動軸３００Ａ，３００Ｂと軸受孔３０１Ａ，３０１Ｂとにより形成される回動軸心）と同じ一辺側に設けられる（図２、図９、図１０参照）
　ことを特徴としている。
　この特徴によれば、遊技機周辺に設置された他の遊技機や構造物等との接触を抑制することができる。
　【０００９】
　本発明の手段３の遊技機は、手段１または２に記載の遊技機であって、
　前記ベースユニット（例えば、共通ユニット２００）は開口（例えば、開口部２０１）を有し、前記開口は表示手段（例えば、液晶表示器５１を含む表示ユニット２０２）により閉鎖されている（図７参照）
　ことを特徴としている。
　この特徴によれば、表示手段があることで、開口を介して不正部材を本体部へ進入させることが困難となるため、不正行為を好適に抑制できる。
　【００１０】
　本発明の手段４の遊技機は、手段１〜３のいずれかに記載の遊技機であって、
　前記第１開閉ユニット（例えば、上部開閉ユニット２１０）を痕跡を残さずに開放できないようにする開放不可手段（例えば、結束バンド３５８）を備える
　ことを特徴としている。
　この特徴によれば、第１開閉ユニットを開放して取外すといった不正行為を抑制することができる。
　【００１１】
　本発明の手段５の遊技機は、手段１〜４のいずれかに記載の遊技機であって、
　前記開閉扉部（例えば、前面扉１ｂ）は、前記ベースユニット（例えば、共通ユニット２００）に前記第１開閉ユニット（例えば、上部開閉ユニット２１０）及び前記第２開閉ユニット（例えば、下部開閉ユニット２２０）を取付けていない状態でも、前記本体部（例えば、筐体１ａ）を閉鎖することが可能である
　ことを特徴としている。
　この特徴によれば、第１開閉ユニットや第２開閉ユニットを取外した状態でも、本体部を閉鎖することができるため、利便性が向上する。
収納性が向上する。
　【００１２】
　本発明の手段６の遊技機は、手段１〜５のいずれかに記載の遊技機であって、
　前記第１開閉ユニット（例えば、上部開閉ユニット２１０）及び前記第２開閉ユニット（例えば、下部開閉ユニット２２０）は、前記ベースユニット（例えば、共通ユニット２００）から取外されたときに、直立状態で設置することが可能である（図１７参照）
　ことを特徴としている。
　この特徴によれば、第１開閉ユニットや第２開閉ユニットの収納性が向上する。
　【００１３】
　尚、本発明は、本発明の請求項に記載された発明特定事項のみを有するものであっても良いし、本発明の請求項に記載された発明特定事項とともに該発明特定事項以外の構成を有するものであっても良い。
　【図面の簡単な説明】
　【００１４】
　【図１】本発明の実施例１のスロットマシンの正面図である。
　【図２】本発明の実施例１としてのスロットマシンの前面扉が開放された状態を示す斜視図である。
　【図３】スロットマシンの構成を示すブロック図である。
　【図４】前面扉を開放した状態を示す概略斜視図である。
　【図５】共通ユニットにより筐体の前面開口を閉鎖した状態を示す概略斜視図である。
　【図６】（Ａ）は各係止部の係止状態を示す説明図、（Ｂ）は係止部と被係止部とを結束バンドで連結した状態を示す要部拡大図である。
　【図７】共通ユニットを筐体に取付ける状態を示す分解斜視図である。
　【図８】共通ユニットに上部開閉ユニットと下部開閉ユニットとを取付ける状態を示す斜視図である。
　【図９】本発明の変形例１としてのスロットマシンの前面扉が開放された状態を示す斜視図である。
　【図１０】本発明の変形例２としてのスロットマシンの前面扉が開放された状態を示す斜視図である。
　【図１１】本発明の実施例２としてのスロットマシンの前面扉が開放された状態を示す斜視図である。
　【図１２】（Ａ）は上部開閉ユニットと被覆部材を共通ユニットから取外した状態を示す斜視図、（Ｂ）は係止部と被係止部とを結束バンドで連結した状態を示す要部拡大図である。
　【図１３】（Ａ）は共通ユニットの背面の一部を被覆部材により閉鎖する状態を示す図、（Ｂ）は被覆領域を示す共通ユニットの背面図である。
　【図１４】本発明の変形例３としてのスロットマシンの前面扉が開放された状態を示す斜視図である。
　【図１５】本発明の変形例４としてのスロットマシンの前面扉が開放された状態を示す斜視図である。
　【図１６】本発明の変形例５としてのスロットマシンの前面扉が開放された状態を示す斜視図である。
　【図１７】（Ａ）は上部開閉ユニット、（Ｂ）は下部開閉ユニットを直立姿勢で設置した状態を示す斜視図である。
　【発明を実施するための形態】
　【００１５】
　本発明に係る遊技機を実施するための形態を実施例に基づいて以下に説明する。
　【実施例１】
　【００１６】
　本発明が適用された遊技機であるスロットマシンの実施例１について図面を用いて説明する。図１は、スロットマシンを示す正面図である。図２は、本発明の実施例１としてのスロットマシンの前面扉が開放された状態を示す斜視図である。以下において、図１の手前側をスロットマシン１の前方（前面、正面）側、奥側を背面（後方）側とし、スロットマシン１を前面側から見たときの上下左右方向を基準として説明する。尚、本実施例におけるスロットマシン１の前面とは、該スロットマシン１にて遊技を行う遊技者と対向する対向面である。
　【００１７】
　本実施例のスロットマシン１は、図１及び図２に示すように、前面が開口する筐体１ａと、筐体１ａに対して左辺側を回動軸心として開閉可能に設けられる開閉扉部としての前面扉１ｂと、から構成されている。
　【００１８】
　本実施例のスロットマシン１の筐体１ａの内部には、図２に示すように、外周に複数種の図柄が配列されたリール２Ｌ，２Ｃ，２Ｒ（以下、左リール、中リール、右リール）が水平方向に並設されており、図１に示すように、これらリール２Ｌ，２Ｃ，２Ｒに配列された図柄のうち連続する３つの図柄が透過領域３Ｌ，３Ｃ，３Ｒから見えるように配置されている。
　【００１９】
　リール２Ｌ，２Ｃ，２Ｒの外周部には、特に図示しないが、それぞれ「赤７」、「青７」、「白７」、「ＢＡＲ」、「スイカ」、「チェリー」、「ベル」、「リプレイ」、「プラム」といった互いに識別可能な複数種類の図柄が所定の順序で、それぞれ２１個ずつ描かれている。リール２Ｌ，２Ｃ，２Ｒの外周部に描かれた図柄は、前面扉１ｂの略中央に設けられた透過領域３Ｌ，３Ｃ，３Ｒにおいて各々上中下三段に表示される。
　【００２０】
　各リール２Ｌ，２Ｃ，２Ｒは、各々対応して設けられたリールモータ３２Ｌ，３２Ｃ，３２Ｒ（図３参照）によって回転されることで、各リール２Ｌ，２Ｃ，２Ｒの図柄が透過領域３Ｌ，３Ｃ，３Ｒに連続的に変化しつつ表示される一方で、各リール２Ｌ，２Ｃ，２Ｒの回転が停止されることで、透過領域３Ｌ，３Ｃ，３Ｒを介して３つの連続する図柄が表示結果として導出表示されるようになっている。
　【００２１】
　リール２Ｌ，２Ｃ，２Ｒの内側には、リール２Ｌ，２Ｃ，２Ｒそれぞれに対して、基準位置を検出するリールセンサ３３Ｌ，３３Ｃ，３３Ｒと、リール２Ｌ，２Ｃ，２Ｒを背面から照射するリールＬＥＤ５５と、が設けられている。また、リールＬＥＤ５５は、リール２Ｌ，２Ｃ，２Ｒの連続する３つの図柄に対応する１２のＬＥＤからなり、各図柄をそれぞれ独立して照射可能とされている。
　【００２２】
　前面扉１ｂの各リール２Ｌ，２Ｃ，２Ｒの手前側（遊技者側）の位置には、液晶表示器５１（図１参照）の表示領域５１ａが配置されている。液晶表示器５１は、液晶素子に対して電圧が印加されていない状態で透過性を有する液晶パネルを有しており、表示領域５１ａの透過領域３Ｌ，３Ｃ，３Ｒに対応する透過領域及び透過領域３Ｌ，３Ｃ，３Ｒを介して遊技者側から各リール２Ｌ，２Ｃ，２Ｒが視認できるようになっている。
　【００２３】
　前面扉１ｂには、図１に示すように、メダルを投入可能なメダル投入部４、メダルが払い出されるメダル払出口９、クレジット（遊技者所有の遊技用価値として記憶されているメダル数）を用いて、その範囲内において遊技状態に応じて定められた規定数の賭数のうち最大の賭数を設定する際に操作されるＭＡＸＢＥＴスイッチ６、クレジットとして記憶されているメダル及び賭数の設定に用いたメダルを精算する（クレジット及び賭数の設定に用いた分のメダルを返却させる）際に操作される精算スイッチ１０、ゲームを開始する際に操作されるスタートスイッチ７、リール２Ｌ，２Ｃ，２Ｒの回転を各々停止する際に操作されるストップスイッチ８Ｌ，８Ｃ，８Ｒ、演出に用いられる演出用スイッチ５６が遊技者により操作可能にそれぞれ設けられている。
　【００２４】
　尚、本実施例では、回転を開始した３つのリール２Ｌ，２Ｃ，２Ｒのうち、最初に停止するリールを第１停止リールと称し、また、その停止を第１停止と称する。同様に、２番目に停止するリールを第２停止リールと称し、また、その停止を第２停止と称し、３番目に停止するリールを第３停止リールと称し、また、その停止を第３停止あるいは最終停止と称する。
　【００２５】
　また、前面扉１ｂには、図１に示すように、クレジットとして記憶されているメダル枚数が表示されるクレジット表示器１１、入賞の発生により払い出されたメダル枚数やエラー発生時にその内容を示すエラーコード、後述のナビ報知によるリールの停止順を識別可能な情報等が表示される遊技補助表示器１２、賭数が１設定されている旨を点灯により報知する１ＢＥＴＬＥＤ１４、賭数が２設定されている旨を点灯により報知する２ＢＥＴＬＥＤ１５、賭数が３設定されている旨を点灯により報知する３ＢＥＴＬＥＤ１６、メダルの投入が可能な状態を点灯により報知する投入要求ＬＥＤ１７、スタートスイッチ７の操作によるゲームのスタート操作が有効である旨を点灯により報知するスタート有効ＬＥＤ１８、ウェイト（前回のゲーム開始から一定期間経過していないためにリールの回転開始を待機している状態）中である旨を点灯により報知するウェイト中ＬＥＤ１９、リプレイゲーム中である旨を点灯により報知するリプレイ中ＬＥＤ２０が設けられた遊技用表示部１３、が設けられている。
　【００２６】
　ＭＡＸＢＥＴスイッチ６の内部には、ＭＡＸＢＥＴスイッチ６の操作による賭数の設定操作が有効である旨を点灯により報知するＢＥＴスイッチ有効ＬＥＤ２１（図３参照）が設けられており、ストップスイッチ８Ｌ，８Ｃ，８Ｒの内部には、該当するストップスイッチ８Ｌ，８Ｃ，８Ｒによるリールの停止操作が有効である旨を点灯により報知する左、中、右停止有効ＬＥＤ２２Ｌ，２２Ｃ，２２Ｒ（図３参照）がそれぞれ設けられており、演出用スイッチ５６の内部には、演出用スイッチ５６の操作が有効である旨を点灯により報知する演出用ＬＥＤ５６ａ（図３参照）が設けられている。
　【００２７】
　前面扉１ｂの内側には、図２に示すように、所定のキー操作により後述するエラー状態及び後述する打止状態を解除するためのリセット操作を検出するリセットスイッチ２３（図３参照）、後述する設定値の変更中や設定値の確認中にその時点の設定値が表示される設定値表示器２４（図３参照）、所定の契機（例えば、後述のＢＢ終了時）に打止状態（リセット操作がなされるまでゲームの進行が規制される状態）に制御する打止機能の有効／無効を選択するための打止スイッチ３６ａ（図３参照）、所定の契機（例えば、ＢＢ終了時）に自動精算処理（クレジットとして記憶されているメダルを遊技者の操作によらず精算（返却）する処理）に制御する自動精算機能の有効／無効を選択するための自動精算スイッチ３６ｂ（図３参照）、メダル投入部４から投入されたメダルの流路を、筐体１ａの内部に設けられた後述のホッパータンク３４ａ側またはメダル払出口９側のいずれか一方に選択的に切り替えるための流路切替ソレノイド３０（図３参照）、メダル投入部４から投入され、ホッパータンク３４ａ側に流下したメダルを検出する投入メダルセンサ３１（図３参照）、投入メダルセンサ３１の上流側で異物の挿入を検出する投入口センサ２６（図３参照）を有するメダルセレクタ２９、前面扉１ｂの開放状態を検出するドア開放検出スイッチ２５（図３参照）が設けられている。
　【００２８】
　筐体１ａの内部には、図２に示すように、前述したリール２Ｌ，２Ｃ，２Ｒ、リールモータ３２Ｌ，３２Ｃ，３２Ｒ（図３参照）、各リール２Ｌ，２Ｃ，２Ｒのリール基準位置をそれぞれ検出可能なリールセンサ３３Ｌ，３３Ｃ，３３Ｒ（図３参照）からなるリールユニット２、外部出力信号を出力するための外部出力基板１０００（図３参照）、メダル投入部４から投入されたメダルを貯留するホッパータンク３４ａ、ホッパータンク３４ａに貯留されたメダルをメダル払出口９より払い出すためのホッパーモータ３４ｂ（図３参照）、ホッパーモータ３４ｂの駆動により払い出されたメダルを検出する払出センサ３４ｃ（図３参照）からなるホッパーユニット３４、電源ボックス１００が設けられている。
　【００２９】
　ホッパーユニット３４の側部には、ホッパータンク３４ａから溢れたメダルが貯留されるオーバーフロータンク３５が設けられている。オーバーフロータンク３５の内部には、貯留されたメダルが満タン状態となったことを検出する満タンセンサ３５ａ（図３参照）が設けられている。
　【００３０】
　電源ボックス１００の前面には、図２に示すように、設定変更状態または設定確認状態に切り替えるための設定キースイッチ３７、通常時においてはエラー状態や打止状態を解除するためのリセットスイッチとして機能し、設定変更状態においては後述する内部抽選の当選確率（出玉率）の設定値を変更するための設定スイッチとして機能するリセット／設定スイッチ３８、電源をｏｎ／ｏｆｆする際に操作される電源スイッチ３９が設けられている。
　【００３１】
　尚、電源ボックス１００は、筐体１ａの内部に設けられており、さらに前面扉１ｂは、店員等が所持する所定のキー操作により開放可能な構成であるため、これら電源ボックス１００の前面に設けられた設定キースイッチ３７、リセット／設定スイッチ３８、電源スイッチ３９は、キーを所持する店員等の者のみが操作可能とされ、遊技者による操作ができないようになっている。また、所定のキー操作により検出されるリセットスイッチ２３も同様である。特に、設定キースイッチ３７は、キー操作により前面扉１ｂを開放したうえで、さらにキー操作を要することから、遊技場の店員のなかでも、設定キースイッチ３７の操作を行うキーを所持する店員のみ操作が可能とされている。
　【００３２】
　本実施例のスロットマシン１においてゲームを行う場合には、まず、メダルをメダル投入部４から投入するか、あるいはクレジットを使用して賭数を設定する。クレジットを使用するにはＭＡＸＢＥＴスイッチ６を操作すれば良い。遊技状態に応じて定められた規定数の賭数が設定されると、入賞ラインＬＮ（図１参照）が有効となり、スタートスイッチ７の操作が有効な状態、すなわち、ゲームが開始可能な状態となる。尚、遊技状態に対応する規定数のうち最大数を超えてメダルが投入された場合には、その分はクレジットに加算される。
　【００３３】
　入賞ラインとは、各リール２Ｌ，２Ｃ，２Ｒの透過領域３Ｌ，３Ｃ，３Ｒに表示された図柄の組合せが入賞図柄の組合せであるかを判定するために設定されるラインである。本実施例では、図１に示すように、リール２Ｌの中段、リール２Ｃの中段、リール２Ｒの中段、すなわち中段に水平方向に並んだ図柄に跨って設定された入賞ラインＬＮのみが入賞ラインとして定められている。尚、本実施例では、１本の入賞ラインのみを適用しているが、複数の入賞ラインを適用しても良い。
　【００３４】
　ゲームが開始可能な状態でスタートスイッチ７を操作すると、各リール２Ｌ，２Ｃ，２Ｒが回転し、各リール２Ｌ，２Ｃ，２Ｒの図柄が連続的に変動する。この状態でいずれかのストップスイッチ８Ｌ，８Ｃ，８Ｒを操作すると、対応するリール２Ｌ，２Ｃ，２Ｒの回転が停止し、透過領域３Ｌ，３Ｃ，３Ｒに表示結果が導出表示される。
　【００３５】
　そして全てのリール２Ｌ，２Ｃ，２Ｒが停止されることで１ゲームが終了し、入賞ラインＬＮ上に予め定められた図柄の組合せ（以下、役ともいう）が各リール２Ｌ，２Ｃ，２Ｒの表示結果として停止した場合には入賞が発生し、その入賞に応じて定められた枚数のメダルが遊技者に対して付与され、クレジットに加算される。また、クレジットが上限数（本実施例では５０）に達した場合には、メダルが直接メダル払出口９（図１参照）から払い出されるようになっている。また、入賞ラインＬＮ上に、遊技状態の移行を伴う図柄の組合せが各リール２Ｌ，２Ｃ，２Ｒの表示結果として停止した場合には図柄の組合せに応じた遊技状態に移行するようになっている。
　【００３６】
　尚、本実施例では、スタートスイッチ７の操作が有効な状態でスタートスイッチ７の操作が検出されたときにゲームが開始し、全てのリールが停止したときにゲームが終了する。また、ゲームを実行するための１単位の制御（ゲーム制御）は、前回のゲームの終了に伴う全ての制御が完了したときに開始し、当該ゲームの終了に伴う全ての制御が完了したときに終了する。
　【００３７】
　また、本実施例では、３つのリールを用いた構成を例示しているが、リールを１つのみ用いた構成、２つのリールを用いた構成、４つ以上のリールを用いた構成としても良く、２以上のリールを用いた構成においては、２以上の全てのリールに導出された表示結果の組合せに基づいて入賞を判定する構成とすれば良い。また、本実施例では、物理的なリールにて可変表示装置が構成されているが、液晶表示器などの画像表示装置にて可変表示装置が構成されていても良い。
　【００３８】
　また、本実施例におけるスロットマシン１にあっては、ゲームが開始されて各リール２Ｌ，２Ｃ，２Ｒが回転して図柄の変動が開始した後、いずれかのストップスイッチ８Ｌ，８Ｃ，８Ｒが操作されたときに、当該ストップスイッチ８Ｌ，８Ｃ，８Ｒに対応するリールの回転が停止して図柄が停止表示される。ストップスイッチ８Ｌ，８Ｃ，８Ｒの操作から対応するリール２Ｌ，２Ｃ，２Ｒの回転を停止するまでの最大停止遅延時間は１９０ｍｓ（ミリ秒）である。
　【００３９】
　リール２Ｌ，２Ｃ，２Ｒは、１分間に８０回転し、８０×２１（１リール当たりの図柄コマ数）＝１６８０コマ分の図柄を変動させるので、１９０ｍｓの間では最大で４コマの図柄を引き込むことができることとなる。つまり、停止図柄として選択可能なのは、ストップスイッチ８Ｌ，８Ｃ，８Ｒが操作されたときに表示されている図柄と、そこから４コマ先までにある図柄、合計５コマ分の図柄である。
　【００４０】
　このため、例えば、ストップスイッチ８Ｌ，８Ｃ，８Ｒのいずれかが操作されたときに当該ストップスイッチに対応するリールの下段に表示されている図柄を基準とした場合、当該図柄から４コマ先までの図柄を下段に表示させることができるため、リール２Ｌ，２Ｃ，２Ｒ各々において、ストップスイッチ８Ｌ、８Ｒのうちいずれかが操作されたときに当該ストップスイッチに対応するリールの中段に表示されている図柄を含めて５コマ以内に配置されている図柄を入賞ライン上に表示させることができる。
　【００４１】
　以下では、特に区別する必要がない場合にはリール２Ｌ，２Ｃ，２Ｒを単にリールという場合がある。また、リール２Ｌを左リール、リール２Ｃを中リール、リール２Ｒを右リールという場合がある。また、ストップスイッチ８Ｌ，８Ｃ，８Ｒの操作によりリール２Ｌ，２Ｃ，２Ｒを停止させる操作を停止操作という場合がある。
　【００４２】
　図３は、スロットマシン１の構成を示すブロック図である。スロットマシン１には、図３に示すように、遊技制御基板４０、演出制御基板９０、電源基板１０１が設けられており、遊技制御基板４０によって遊技状態が制御され、演出制御基板９０によって遊技状態に応じた演出が制御され、電源基板１０１によってスロットマシン１を構成する電気部品の駆動電源が生成され、各部に供給される。尚、遊技制御基板４０は遊技制御基板ケース４０Ａに収容され、演出制御基板９０は演出制御基板ケース９０Ａに収容されている。尚、これら遊技制御基板ケース４０Ａと演出制御基板ケース９０Ａとは、痕跡を残さずに開放することができないように封止された状態で取付けられている。
　【００４３】
　電源基板１０１には、外部からＡＣ１００Ｖの電源が供給されるとともに、このＡＣ１００Ｖの電源からスロットマシン１を構成する電気部品の駆動に必要な直流電圧が生成され、遊技制御基板４０及び演出制御基板９０に供給されるようになっている。また、電源基板１０１には、前述したホッパーモータ３４ｂ、払出センサ３４ｃ、満タンセンサ３５ａ、設定キースイッチ３７、リセット／設定スイッチ３８、電源スイッチ３９が接続されている。
　【００４４】
　遊技制御基板４０には、前述したＭＡＸＢＥＴスイッチ６、スタートスイッチ７、ストップスイッチ８Ｌ，８Ｃ，８Ｒ、精算スイッチ１０、リセットスイッチ２３、打止スイッチ３６ａ、自動精算スイッチ３６ｂ、投入メダルセンサ３１、ドア開放検出スイッチ２５、リールセンサ３３Ｌ，３３Ｃ，３３Ｒが接続されているとともに、電源基板１０１を介して前述した払出センサ３４ｃ、満タンセンサ３５ａ、設定キースイッチ３７、リセット／設定スイッチ３８が接続されており、これら接続されたスイッチ類の検出信号が入力されるようになっている。また、遊技制御基板４０には、前述したクレジット表示器１１、遊技補助表示器１２、１〜３ＢＥＴＬＥＤ１４〜１６、投入要求ＬＥＤ１７、スタート有効ＬＥＤ１８、ウェイト中ＬＥＤ１９、リプレイ中ＬＥＤ２０、ＢＥＴスイッチ有効ＬＥＤ２１、左、中、右停止有効ＬＥＤ２２Ｌ，２２Ｃ，２２Ｒ、設定値表示器２４、流路切替ソレノイド３０、リールモータ３２Ｌ，３２Ｃ，３２Ｒが接続されているとともに、電源基板１０１を介して前述したホッパーモータ３４ｂが接続されており、これら電気部品は、遊技制御基板４０に搭載された後述のメイン制御部４１の制御に基づいて駆動されるようになっている。
　【００４５】
　遊技制御基板４０には、遊技の進行に関する処理を行うととともに遊技制御基板４０に搭載された制御回路の各部を直接的または間接的に制御するメイン制御部４１と、所定周波数の発振信号となる制御用クロックＣＣＬＫを生成する制御用クロック生成回路４２と、制御用クロックＣＣＬＫの発振周波数とは異なる所定周波数の発振信号となる乱数用クロックＲＣＬＫを生成する乱数用クロック生成回路４３と、遊技制御基板４０に直接または電源基板１０１を介して接続されたスイッチ類から入力された検出信号を取り込んでメイン制御部４１に伝送するスイッチ検出回路４４と、メイン制御部４１から出力されたモータ駆動信号（ステッピングモータの位相信号）をリールモータ３２Ｌ，３２Ｃ，３２Ｒに伝送するモータ駆動回路４５と、メイン制御部４１から出力されたソレノイド駆動信号を流路切替ソレノイド３０に伝送するソレノイド駆動回路４６と、メイン制御部４１から出力されたＬＥＤ駆動信号を遊技制御基板４０に接続された各種表示器やＬＥＤに伝送するＬＥＤ駆動回路４７と、スロットマシン１に供給される電源の電圧を監視して電圧の低下を検出したときに、その旨を示す電圧低下信号をメイン制御部４１に対して出力する電断検出回路４８と、電源投入時または電源遮断時等の電力供給が不安定な状態においてメイン制御部４１にシステムリセット信号を与えるリセット回路４９と、が搭載されている。
　【００４６】
　メイン制御部４１は、１チップマイクロコンピュータであり、図示しない外部バスインターフェイスと、クロック回路と、照合用ブロックと、固有情報記憶回路と、演算回路と、リセット／割込コントローラと、ＣＰＵ（Ｃｅｎｔｒａｌ　Ｐｒｏｃｅｓｓｉｎｇ　Ｕｎｉｔ）と、ＲＯＭ（Ｒｅａｄ　Ｏｎｌｙ　Ｍｅｍｏｒｙ）と、ＲＡＭ（Ｒａｎｄｏｍ　Ａｃｃｅｓｓ　Ｍｅｍｏｒｙ）と、フリーランカウンタ回路と、乱数回路と、タイマ回路と、割込コントローラと、パラレル入力ポートと、シリアル通信回路と、パラレル出力ポートと、アドレスデコード回路と、を備えて構成される。
　【００４７】
　ＣＰＵは、ＲＯＭから読み出した制御コードに基づいてユーザプログラム（ゲーム制御用の遊技制御処理プログラム）を実行することにより、スロットマシン１における遊技制御を実行する制御用ＣＰＵである。こうした遊技制御が実行されるときには、ＣＰＵがＲＯＭから固定データを読み出す固定データ読出動作や、ＣＰＵがＲＡＭに各種の変動データを書き込んで一時記憶させる変動データ書込動作、ＣＰＵがＲＡＭに一時記憶されている各種の変動データを読み出す変動データ読出動作、ＣＰＵが外部バスインターフェイスやパラレル入力ポート、シリアル通信回路などを介してメイン制御部４１の外部から各種信号の入力を受け付ける受信動作、ＣＰＵが外部バスインターフェイスやシリアル通信回路、パラレル出力ポートなどを介してメイン制御部４１の外部へと各種信号を出力する送信動作等も行われる。
　【００４８】
　ＲＯＭには、ユーザプログラム（ゲーム制御用の遊技制御処理プログラム）を示す制御コードや固定データ等が記憶されている。ＲＡＭは、ゲーム制御用のワークエリア等を提供する。ここで、ＲＡＭの少なくとも一部は、バックアップ電源によってバックアップされているバックアップＲＡＭであれば良い。すなわち、スロットマシン１への電力供給が停止しても、所定期間はＲＡＭの少なくとも一部の内容が保存される。
　【００４９】
　メイン制御部４１は、パラレル出力ポートを介してサブ制御部９１に各種のコマンドを送信する。メイン制御部４１からサブ制御部９１へ送信されるコマンドは一方向のみで送られ、サブ制御部９１からメイン制御部４１へ向けてコマンドが送られることはない。また、本実施例では、パラレル出力ポートを介してサブ制御部９１に対してコマンドが送信される構成、すなわちコマンドがパラレル信号にて送信される構成であるが、シリアル通信回路を介してサブ制御部９１に対してコマンドを送信する構成、すなわちコマンドをシリアル信号にて送信する構成としても良い。
　【００５０】
　メイン制御部４１は、基本処理として遊技制御基板４０に接続された各種スイッチ類の検出状態が変化するまでは制御状態に応じた処理を繰り返しループし、各種スイッチ類の検出状態の変化に応じて段階的に移行する処理を実行する。また、メイン制御部４１は、一定時間間隔（本実施例では、約０．５６ｍｓ）毎にタイマ割込処理（メイン）を実行する。尚、タイマ割込処理（メイン）の実行間隔は、基本処理において制御状態に応じて繰り返す処理が一巡する時間とタイマ割込処理（メイン）の実行時間とを合わせた時間よりも長い時間に設定されており、今回と次回のタイマ割込処理（メイン）との間で必ず制御状態に応じて繰り返す処理が最低でも一巡することとなる。
　【００５１】
　演出制御基板９０には、前述した演出用スイッチ５６等が接続されており、これら接続されたスイッチ類の検出信号が入力されるようになっている。また、演出制御基板９０には、液晶表示器５１、演出効果ＬＥＤ５２、スピーカ５３，５４、リールＬＥＤ５５等の演出装置が接続されており、これら演出装置は、演出制御基板９０に搭載された後述のサブ制御部９１による制御に基づいて駆動されるようになっている。
　【００５２】
　尚、本実施例では、演出制御基板９０に搭載されたサブ制御部９１により、液晶表示器５１、演出効果ＬＥＤ５２、スピーカ５３，５４、リールＬＥＤ５５等の演出装置の出力制御が行われる構成であるが、サブ制御部９１とは別に演出装置の出力制御を直接的に行う出力制御部を演出制御基板９０または他の基板に搭載し、サブ制御部９１がメイン制御部４１からのコマンドに基づいて演出装置の出力パターンを決定し、サブ制御部９１が決定した出力パターンに基づいて出力制御部が演出装置の出力制御を行う構成としても良く、このような構成では、サブ制御部９１及び出力制御部の双方によって演出装置の出力制御が行われることとなる。
　【００５３】
　演出制御基板９０は、サブＣＰＵ９１ａ、ＲＯＭ９１ｂ、ＲＡＭ９１ｃ、Ｉ／Ｏポート９１ｄを備えたマイクロコンピュータにより構成されて演出の制御を行うサブ制御部９１と、演出制御基板９０に接続された液晶表示器５１の表示制御を行う表示制御回路９２と、演出効果ＬＥＤ５２と、リールＬＥＤ５５の駆動制御を行うＬＥＤ駆動回路９３と、スピーカ５３，５４からの音声出力制御を行う音声出力回路９４と、電源投入時またはサブＣＰＵ９１ａからの初期化命令が一定時間入力されないときにサブＣＰＵ９１ａにリセット信号を与えるリセット回路９５と、演出制御基板９０に接続されたスイッチ類から入力された検出信号を検出するスイッチ検出回路９６と、日付情報及び時刻情報を含む時間情報を出力する時計装置９７と、スロットマシン１に供給される電源電圧を監視し、電圧低下を検出したときに、その旨を示す電圧低下信号をサブＣＰＵ９１ａに対して出力する電断検出回路９８と、演出用モータ等に対してサブ制御部９１から出力されたモータ駆動信号（ステッピングモータの位相信号）を伝送するモータ駆動回路９９と、その他の回路等、が搭載されている。
　【００５４】
　サブＣＰＵ９１ａは、遊技制御基板４０から送信されるコマンドを受けて、演出を行うための各種の制御を行うとともに、演出制御基板９０に搭載された制御回路の各部を直接的または間接的に制御する。
　【００５５】
　サブ制御部９１は、メイン制御部４１と同様に、割込機能を備えており、メイン制御部４１からのコマンド受信時に割込を発生させて、メイン制御部４１から送信されたコマンドを取得し、バッファに格納するコマンド受信割込処理を実行する。また、サブ制御部９１は、システムクロックの入力数が一定数に到達する毎、すなわち一定時間間隔（約２ｍｓ）毎に割込を発生させて後述するタイマ割込処理（サブ）を実行する。また、サブ制御部９１は、メイン制御部４１とは異なり、コマンドの受信に基づいて割込が発生した場合には、タイマ割込処理（サブ）の実行中であっても、当該処理に割り込んでコマンド受信割込処理を実行し、タイマ割込処理（サブ）の契機となる割込が同時に発生してもコマンド受信割込処理を最優先で実行するようになっている。また、サブ制御部９１にも、停電時においてバックアップ電源が供給されており、バックアップ電源が供給されている間は、ＲＡＭ９１ｃに記憶されているデータが保持されるようになっている。
　【００５６】
　本実施例のスロットマシン１は、設定値に応じてメダルの払出率が変わるものである。詳しくは、後述する内部抽選、ナビストック抽選、上乗せ抽選等の遊技者に対する有利度に影響する抽選において設定値に応じた当選確率を用いることにより、メダルの払出率が変わるようになっている。設定値は１〜６の６段階からなり、６が最も払出率が高く、５、４、３、２、１の順に値が小さくなるほど払出率が低くなる。すなわち設定値として６が設定されている場合には、遊技者にとって最も有利度が高く、５、４、３、２、１の順に値が小さくなるほど有利度が段階的に低くなる。
　【００５７】
　設定値を変更するためには、設定キースイッチ３７をｏｎ状態としてからスロットマシン１の電源をｏｎする必要がある。設定キースイッチ３７をｏｎ状態として電源をｏｎすると、設定値表示器２４にＲＡＭから読み出された設定値が表示値として表示され、リセット／設定スイッチ３８の操作による設定値の変更が可能な設定変更状態に移行する。設定変更状態において、リセット／設定スイッチ３８が操作されると、設定値表示器２４に表示された表示値が１ずつ更新されていく（設定値６からさらに操作されたときは、設定値１に戻る）。そして、スタートスイッチ７が操作されると表示値を設定値として確定する。そして、設定キースイッチ３７がｏｆｆされると、確定した表示値（設定値）がメイン制御部４１のＲＡＭに格納され、遊技の進行が可能な状態に移行する。
　【００５８】
　また、設定値を確認するためには、ゲーム終了後、賭数が設定されていない状態で設定キースイッチ３７をｏｎ状態とすれば良い。このような状況で設定キースイッチ３７をｏｎ状態とすると、設定値表示器２４にＲＡＭから読み出された設定値が表示されることで設定値を確認可能な設定確認状態に移行する。設定確認状態においては、ゲームの進行が不能であり、設定キースイッチ３７をｏｆｆ状態とすることで、設定確認状態が終了し、ゲームの進行が可能な状態に復帰することとなる。
　【００５９】
　本実施例のスロットマシン１においては、メイン制御部４１は、タイマ割込処理（メイン）を実行する毎に、電断検出回路４８からの電圧低下信号が検出されているか否かを判定する停電判定処理を行い、停電判定処理において電圧低下信号が検出されていると判定した場合に、次回復帰時にＲＡＭのデータが正常か否かを判定するためのデータを設定する電断処理（メイン）を実行する。
　【００６０】
　そして、メイン制御部４１は、その起動時においてＲＡＭのデータが正常であることを条件に、ＲＡＭに記憶されているデータに基づいてメイン制御部４１の処理状態を電断前の状態に復帰させるが、ＲＡＭのデータが正常でない場合には、ＲＡＭ異常と判定し、ＲＡＭ異常エラーコードをレジスタにセットしてＲＡＭ異常エラー状態に制御し、遊技の進行を不能化させるようになっている。尚、遊技の進行とは、遊技を構成する一連のプロセスを進行させることであり、スロットマシンであれば、賭数を設定してゲームを開始可能とする段階、ゲームを開始してリールを回転させる段階、リールを停止させて表示結果を導出させる段階、表示結果に応じてメダル等の価値を付与する段階を進行させることである。
　【００６１】
　また、メイン制御部４１は、設定変更処理の終了後、遊技単位毎にゲームの進行に応じて段階的に処理を行うメイン処理を実行する。また、メイン処理では、遊技単位毎にＲＡＭの初期化を行うとともに、設定変更処理の終了時にもＲＡＭの初期化を行う。そして、設定変更処理の終了後、メイン処理においてＲＡＭの初期化を行う処理の前の段階からメイン処理を開始するようになっており、設定変更処理の終了後のＲＡＭの初期化と、遊技単位毎のＲＡＭの初期化と、を共通の処理にて行うことが可能となる。
　【００６２】
　本実施例のスロットマシン１は、遊技状態に応じて設定可能な賭数の規定数が定められており、遊技状態に応じて定められた規定数の賭数が設定されたことを条件にゲームを開始させることが可能となる。尚、本実施例では、遊技状態に応じた規定数の賭数が設定された時点で、入賞ラインＬＮが有効化される。
　【００６３】
　そして、本実施例では、全てのリール２Ｌ，２Ｃ，２Ｒが停止した際に、有効化された入賞ライン（本実施例の場合、常に全ての入賞ラインが有効化されるため、以下では、有効化された入賞ラインを単に入賞ラインという）上に役と呼ばれる図柄の組合せが揃うと入賞となる。役は、同一図柄の組合せであっても良いし、異なる図柄を含む組合せであっても良い。
　【００６４】
　入賞となる役の種類は、遊技状態に応じて定められているが、大きく分けて、メダルの払い出しを伴う小役と、賭数の設定を必要とせずに次のゲームを開始可能となる再遊技役と、遊技者にとって有利な遊技状態への移行を伴う特別役と、がある。以下では、小役と再遊技役をまとめて一般役とも呼ぶ。遊技状態に応じて定められた各役の入賞が発生するためには、後述する内部抽選に当選して、当該役の当選フラグがＲＡＭに設定されている必要がある。尚、これら各役の当選フラグのうち、小役及び再遊技役の当選フラグは、当該フラグが設定されたゲームにおいてのみ有効とされ、次のゲームでは無効となるが、特別役の当選フラグは、当該フラグにより許容された役の組合せが揃うまで有効とされ、許容された役の組合せが揃ったゲームにおいて無効となる。すなわち特別役の当選フラグが一度当選すると、例え、当該フラグにより許容された役の組合せを揃えることができなかった場合にも、その当選フラグは無効とされずに、次のゲームへ持ち越されることとなる。
　【００６５】
　以下、本実施例の内部抽選について説明する。内部抽選は、メイン制御部４１が、上記した各役への入賞を許容するか否かを、全てのリール２Ｌ，２Ｃ，２Ｒの表示結果が導出される以前（具体的には、スタートスイッチ７の検出時）に決定するものである。内部抽選では、まず、スタートスイッチ７の検出時に内部抽選用の乱数値（０〜６５５３５の整数）を取得する。詳しくは、乱数回路により生成され、乱数回路の乱数値レジスタに格納されている値をＲＡＭに割り当てられた抽選用ワークに設定する。そして、遊技状態に応じて定められた各役について、抽選用ワークに格納された数値データと、現在の遊技状態、賭数及び設定値に応じて定められた各役の判定値数に応じて入賞を許容するか否かの判定が行われる。
　【００６６】
　内部抽選では、内部抽選の対象となる役、現在の遊技状態及び設定値に対応して定められた判定値数を、内部抽選用の乱数値（抽選用ワークに格納された数値データ）に順次加算し、加算の結果がオーバーフローしたときに、当該役に当選したものと判定される。このため、判定値数の大小に応じた確率（判定値数／６５５３６）で役が当選することとなる。そして、いずれかの役の当選が判定された場合には、当選が判定された役に対応する当選フラグをＲＡＭに割り当てられた内部当選フラグ格納ワークに設定する。
　【００６７】
　本実施例においてメイン制御部４１は、ゲームの開始後、リールの回転を開始させる毎にその時点、すなわちリールの回転を開始させた時点から経過した時間であるゲーム時間を計時するようになっており、１ゲームの終了後、メダルの投入等により規定数の賭数が設定され、ゲームの開始操作が有効となった状態でゲームの開始操作がされたときに、前のゲームのリール回転開始時点から計時を開始したゲーム時間が規定時間（本実施例では４．１秒）以上であれば、すなわち前のゲームのリール回転開始時点から規定時間が経過していれば、ウェイトを発生させず、その時点で当該ゲームにおける遊技のためのリールの回転を開始させる。一方、１ゲームの終了後、メダルの投入等により規定数の賭数が設定され、ゲームの開始操作が有効となった状態でゲームの開始操作がされたときに、前のゲームのリール回転開始時点から計時を開始したゲーム時間が規定時間未満であれば、すなわち前のゲームのリール回転開始時点から規定時間が経過していなければ、ウェイトを発生させて、その時点ではリールの回転を開始させず、前のゲームのリール回転開始時点から計時を開始したゲーム時間が規定時間に到達するまで待機し、規定時間に到達した時点でリールの回転を開始させる。
　【００６８】
　本実施例においてメイン制御部４１は、遊技状態やエラーの発生状況などを示す外部出力信号を出力する制御を行う。これら外部出力信号は、外部出力基板１０００、スロットマシン１が設置される遊技店（ホール）の情報提供端子板を介してホールコンピュータなどのホール機器に出力されるようになっている。
　【００６９】
　メイン制御部４１は、賭数の設定に用いられたメダル数を示すメダルＩＮ信号、入賞の発生により遊技者に付与されたメダル数を示すメダルＯＵＴ信号、遊技状態が遊技者にとって有利なＲＢ（レギュラーボーナス）中の旨を示すＲＢ中信号、遊技状態が遊技者にとって有利なＢＢ（ビッグボーナス）中の旨を示すＢＢ中信号、後述するＡＲＴの開始を示すＡＲＴ信号、前面扉１ｂが開放中の旨を示すドア開放信号、後述する設定変更モードに移行している旨を示す設定変更信号、メダルセレクタの異常を示す投入エラー信号、ホッパーユニット３４の異常を示す払出エラー信号をそれぞれ出力する。
　【００７０】
　外部出力基板１０００には、リレー回路、パラレル・シリアル変換回路、出力信号毎の端子が設けられ、情報提供端子板の回路と電気的に接続するための接続されるコネクタが設けられている。遊技制御基板４０から出力された信号のうち、メダルＩＮ信号、メダルＯＵＴ信号、ＲＢ中信号、ＢＢ中信号、ＡＲＴ信号は、リレー回路を介して、そのままパルス信号として情報提供端子板に出力される。これに対してドア開放信号、設定変更信号、投入エラー信号、払出エラー信号は、パラレル・シリアル変換回路にて、これらの信号を個別に識別可能なシリアル信号であるセキュリティ信号に変換されて情報提供端子板に出力される。
　【００７１】
　次に、メイン制御部４１がサブ制御部９１に対して送信するコマンドについて説明する。本実施例では、メイン制御部４１は、サブ制御部９１に対して、投入枚数コマンド、クレジットコマンド、遊技状態コマンド、ＡＲＴ状態コマンド、内部当選コマンド、フリーズコマンド、リール加速情報コマンド、停止操作時コマンド、滑りコマ数コマンド、停止コマンド、遊技終了コマンド、入賞枚数コマンド、払出開始コマンド、払出終了コマンド、待機コマンド、打止コマンド、エラーコマンド、復帰コマンド、設定コマンド、設定確認コマンド、ドアコマンド、操作検出コマンドを含む複数種類のコマンドを送信する。これらコマンドは、コマンドの種類を示す１バイトの種類データとコマンドの内容を示す１バイトの拡張データとからなり、サブ制御部９１は、種類データからコマンドの種類を判別できるようになっている。
　【００７２】
　内部当選コマンドは、内部抽選結果を特定可能なコマンドであり、スタートスイッチ７が操作されてゲームが開始したときに送信される。内部当選コマンドは、第１の内部当選コマンドと、第２の内部当選コマンドと、を含み、内部抽選において後述のナビ報知の対象となる報知対象役が当選した場合に、ナビ報知が行われる状態であれば、当選した報知対象役の種類も遊技者にとって有利な停止順も特定可能な第１の内部当選コマンドが送信され、ナビ報知が行われない状態であれば、当選した報知対象役の種類は特定可能であるが遊技者にとって有利な停止順は特定不能な第２の内部当選コマンドが送信される。
　【００７３】
　遊技状態コマンド、内部当選コマンドは、スタートスイッチ７が操作されてゲームが開始したときに送信されるので、これらコマンドを受信することで、スタートスイッチ７が操作されてゲームが開始したことを特定可能である。
　【００７４】
　停止操作時コマンド、滑りコマ数コマンド、停止コマンドは、いずれも停止するリールが左リール、中リール、右リールのいずれのリールであるか、を特定可能であり、かつ各リールの停止操作に伴う停止制御が行われる毎に送信されるので、これらコマンドを受信することで、いずれかのリールの停止操作がされたこと及び停止するリールを特定可能である。
　【００７５】
　遊技終了コマンド、入賞枚数コマンドは、いずれも遊技者が第３停止リールを停止させるためにストップスイッチを押下して、そのストップスイッチを離したときに送信されるので、これらコマンドを受信することで、１ゲームを進行させるのに必要な全ての操作が終了したことを特定可能である。
　【００７６】
　次に、メイン制御部４１が演出制御基板９０に対して送信するコマンドに基づいてサブ制御部９１が実行する演出の制御について説明する。サブ制御部９１は、メイン制御部４１からのコマンドを受信した際に、コマンド受信割込処理を実行する。コマンド受信割込処理では、ＲＡＭ９１ｃに設けられた受信用バッファに、コマンド伝送ラインから取得したコマンドを格納する。
　【００７７】
　サブ制御部９１は、タイマ割込処理（サブ）において、受信用バッファに未処理のコマンドが格納されているか否かを判定し、未処理のコマンドが格納されている場合には、そのうち最も早い段階で受信したコマンドに基づいてＲＯＭ９１ｂに格納された制御パターンテーブルを参照し、制御パターンテーブルに登録された制御内容に基づいて液晶表示器５１、演出効果ＬＥＤ５２、スピーカ５３，５４、リールＬＥＤ５５等の各種演出装置の出力制御を行う。制御パターンテーブルには、複数種類の演出パターン毎に、コマンドの種類に対応する液晶表示器５１の表示パターン、演出効果ＬＥＤ５２の点灯態様、スピーカ５３，５４の出力態様、リールＬＥＤ５５の点灯態様等、これら演出装置の制御パターンが登録されており、サブ制御部９１は、コマンドを受信した際に、制御パターンテーブルの当該ゲームにおいてＲＡＭ９１ｃに設定されている演出パターンに対応して登録された制御パターンのうち、受信したコマンドの種類に対応する制御パターンを参照し、当該制御パターンに基づいて演出装置の出力制御を行う。これにより演出パターン及び遊技の進行状況に応じた演出が実行されることとなる。
　【００７８】
　メイン制御部４１は、遊技補助表示器１２の点灯態様を変化させることにより遊技者にとって有利な操作態様（停止順、停止タイミング等）等を識別可能に報知するナビ報知を実行可能である。また、サブ制御部９１は、ナビ報知が実行される場合に、ナビ報知により報知される操作態様を液晶表示器５１からのナビ画像の表示と、スピーカ５３，５４からのナビ音声の出力とによって報知するナビ演出を実行可能である。
　【００７９】
　また、ナビ演出は、スタートスイッチ７が操作され、ゲームが開始したときから第３停止操作が行われるまでの期間にわたり実行されるが、操作態様に応じて第１停止操作がされること、第２停止操作がされることで終了する構成でも良い。
　【００８０】
　遊技者にとって有利な特典とは、遊技者にとって有利な有利状態へ移行させることが可能となる権利（有利状態を発生するか否かを決定する抽選に当選すること、有利状態へ移行する入賞が許容されることなど）、遊技者にとって有利な操作態様が報知される権利、遊技用価値が付与される期待値が高い遊技状態に制御される権利、現在の遊技状態が遊技者にとって有利な遊技状態か否かが報知される権利、有利状態に制御される期間（固定ゲーム数、終了条件によって変動するゲーム数の平均値等）など、遊技者にとって直接的な有利な特典であっても良いし、遊技者にとって直接的に有利ではないが、例えば、インターネット上で特典を得るための条件となる等、遊技者にとって間接的に有利な特典であっても良い。
　【００８１】
　次に、スロットマシン１の構造について、図２及び図４〜図８に基づいて説明する。図４は、前面扉を開放した状態を示す概略斜視図である。図５は、共通ユニットにより筐体の前面開口を閉鎖した状態を示す概略斜視図である。図６は、（Ａ）は各係止部の係止状態を示す説明図、（Ｂ）は係止部と被係止部とを結束バンドで連結した状態を示す要部拡大図である。図７は、共通ユニットを筐体に取付ける状態を示す分解斜視図である。図８は、共通ユニットに上部開閉ユニットと下部開閉ユニットとを取付ける状態を示す斜視図である。尚、図４〜図８は、説明の便宜上、各種電気部品や部材等の図示を省略するものとする。
　【００８２】
　図２〜図８に示すように、本体部としての筐体１ａは、上板、底板、左側板、右側板及び背板により前面に開口１ｃを有する箱状に形成されている。開閉扉部としての前面扉１ｂは、開口１ｃを閉鎖する閉鎖位置と開口１ｃを開放する開放位置との間で回動可能に設けられ、開口１ｃを開閉可能としている。
　【００８３】
　前面扉１ｂは、異なる遊技機で共通に用いられる共通ユニット２００と、共通ユニット２００の前面上部を開閉可能な上部開閉ユニット２１０と、共通ユニット２００の前面下部を開閉可能な下部開閉ユニット２２０と、から主に構成され、共通ユニット２００に対し上部開閉ユニット２１０と下部開閉ユニット２２０とが取付けられ一体化されることにより前面扉１ｂが構成される。
　【００８４】
　図５、図７及び図８に示すように、共通ユニット２００は、合成樹脂材により正面視縦長長方形状をなす板状部材からなり、開口１ｃを閉鎖可能な大きさに形成されている。また、共通ユニット２００の上部には開口部２０１が形成されており、この開口部２０１には、液晶表示器５１を含む表示ユニット２０２が複数のネジＮ３等により背面側から交換可能に組付けられている。開口部２０１は、表示ユニット２０２が組付けられることにより閉鎖されている。また、表示ユニット２０２の背面における透過領域３Ｌ，３Ｃ，３Ｒの上方には、演出制御基板９０が収納された演出制御基板ケース９０Ａが取付けられている（図４参照）。
　【００８５】
　また、共通ユニット２００における表示ユニット２０２の下方には、下部開閉ユニット２２０のメダルセレクタ２９から筐体１ａのホッパータンク３４ａへ誘導されるメダルを通過可能とするメダル通過孔２０３と、筐体１ａのホッパータンク３４ａから下部開閉ユニット２２０のメダル払出口９へ誘導されるメダルを通過可能とするメダル通過孔２０４と、が形成されている。また、共通ユニット２００の前面部分には、クロムメッキ加工（メッキ処理）が施されている。
　【００８６】
　共通ユニット２００の左側辺には、筐体１ａの開口１ｃの左側辺、つまり、左側板の前端辺に固定された上下方向を向く回動軸３００Ａ，３００Ｂに上方から挿入可能な軸受孔３０１Ａ，３０１Ｂが固定されており、回動軸３００Ａ，３００Ｂに軸受孔３０１Ａ，３０１Ｂを挿入することで、共通ユニット２００が筐体１ａに対し左辺側を中心として、開口１ｃを閉鎖する閉鎖位置と開口１ｃを開放する開放位置との間で回動可能に枢支されるようになっている。また、共通ユニット２００を上方へ浮かせることで、共通ユニット２００を筐体１ａから取外すことができる。
　【００８７】
　共通ユニット２００の右側辺の背面側には、共通ユニット２００を閉鎖位置から開放位置への回動を規制するための施解錠装置３２０が設けられている。施解錠装置３２０は、図６（Ａ）に示すように、共通ユニット２００の右側辺に固定された上下方向を向くベース板３２１と、ベース板３２１に対し上下方向に移動可能な動作板３２２と、ベース板３２１の上下に設けられた左右方向を向く回動軸３２３Ａ，３２３Ｂを中心として回動可能に設けられた係止部３２４Ａ，３２４Ｂと、ベース板３２１に固定され動作板３２２を動作させるシリンダ錠３２７と、を主に有する。
　【００８８】
　係止部３２４Ａ，３２４Ｂは、前端が左右方向を向く連結軸３２５Ａ，３２５Ｂを介して動作板３２２に連結されており、動作板３２２は、図示しないバネにより常時上方へ向けて付勢されている。よって、共通ユニット２００を閉鎖位置へ回動することで、係止部３２４Ａ，３２４Ｂが筐体１ａの開口１ｃの右側辺、つまり、右側板の前端内側に固定された左右方向を向く柱状の被係止部３２６Ａ，３２６Ｂに係止され、共通ユニット２００の開放位置への回動が規制される。
　【００８９】
　共通ユニット２００により開口１ｃが閉鎖された状態において、係止部３２４Ａ，３２４Ｂの被係止部３２６Ａ，３２６Ｂへの係止状態を解除するには、シリンダ錠３２７の前端面にある鍵穴３２７Ａに遊技場の店員など管理者のみが所持するキー３２８を挿入し、所定方向（例えば、右回り）に回転させる。これにより、動作板３２２が下降して係止部３２４Ａ，３２４Ｂが上方に向けて回動して被係止部３２６Ａ，３２６Ｂに対する係止状態が解除されるため、共通ユニット２００を開放位置へ回動させることが可能となる。
　【００９０】
　図５、図７及び図８に示すように、上部開閉ユニット２１０は、合成樹脂材により正面視四角形状をなす枠状部材２１１と、透明な合成樹脂板からなり、枠状部材２１１の開口を閉鎖するように設けられ、液晶表示器５１の表示領域５１ａを前面側から保護するためのカバーパネル２１２と、カバーパネル２１２の上辺部及び左右側辺部に沿って設けられる装飾部材２１３と、を主に有し、共通ユニット２００の前面上部を閉鎖可能な大きさに形成されている。カバーパネル２１２及び装飾部材２１３は、枠状部材２１１に対し背面側から図示しないネジや係止片等を介して取付けられ、前面側から取外すことはできないようになっている。また、特に図示しないが、上部開閉ユニット２１０の背面（例えば、装飾部材２１３の背面側など）には、演出用駆動源により動作可能に設けられる可動部や発光部等を有する演出装置等が搭載されている。
　【００９１】
　上部開閉ユニット２１０の左側辺には、共通ユニット２００の前面における左側辺に固定された上下方向を向く回動軸３３０Ａ，３３０Ｂに上方から挿入可能な軸受孔３３１Ａ，３３１Ｂが固定されており、回動軸３３０Ａ，３３０Ｂに軸受孔３３１Ａ，３３１Ｂを挿入することで、上部開閉ユニット２１０が共通ユニット２００に対し左辺側を中心として、共通ユニット２００の前面上部を閉鎖する閉鎖位置と共通ユニット２００の前面上部を開放する開放位置との間で回動可能に枢支されるようになっている。また、上部開閉ユニット２１０を上方へ浮かせることで、上部開閉ユニット２１０を共通ユニット２００から取外すことができる。
　【００９２】
　上部開閉ユニット２１０の右側辺の背面側には、上部開閉ユニット２１０を閉鎖位置から開放位置への回動を規制するための係止装置３５０が設けられている。係止装置３５０は、図６（Ａ）に示すように、上部開閉ユニット２１０の右側辺に固定された上下方向を向くベース板３５１と、ベース板３５１に対し上下方向に移動可能な動作板３５２と、ベース板３５１の上下に設けられた左右方向を向く回動軸３５３Ａ，３５３Ｂを中心として回動可能に設けられた係止部３５４Ａ，３５４Ｂと、動作板３５２から後方へ向けて延設された操作片３５７と、を主に有する。
　【００９３】
　係止部３５４Ａ，３５４Ｂは、前端が左右方向を向く連結軸３５５Ａ，３５５Ｂを介して動作板３５２に連結されており、動作板３５２は、図示しないバネにより常時上方へ向けて付勢されている。よって、上部開閉ユニット２１０を閉鎖位置へ回動することで、係止部３５４Ａ，３５４Ｂが共通ユニット２００の前面における右側辺に固定された左右方向を向く柱状の被係止部３５６Ａ，３５６Ｂに係止され、上部開閉ユニット２１０の開放位置への回動が規制される。
　【００９４】
　上部開閉ユニット２１０により共通ユニット２００の前面上部が閉鎖された状態において、係止部３５４Ａ，３５４Ｂの被係止部３５６Ａ，３５６Ｂへの係止状態を解除するには、操作片３５７を下降させることで、動作板３５２が下降して係止部３５４Ａ，３５４Ｂが上方に向けて回動して被係止部３５６Ａ，３５６Ｂに対する係止状態が解除されるため、上部開閉ユニット２１０を開放位置へ回動させることが可能となる。
　【００９５】
　尚、操作片３５７は、上部開閉ユニット２１０が閉鎖位置にあるとき、共通ユニット２００の背面側に突出するように設けられているため（図４参照）、共通ユニット２００の背面側からしか操作できない。つまり、共通ユニット２００が閉鎖位置にある場合、遊技場の店員など管理者のみが所持するキー３２８を用いて共通ユニット２００を開放しない限り、上部開閉ユニット２１０を開放することができない構成とされている。
　【００９６】
　また、図６（Ｂ）に示すように、上部開閉ユニット２１０により共通ユニット２００の前面上部を閉鎖し、係止部３５４Ａ，３５４Ｂが被係止部３５６Ａ，３５６Ｂに係止された係止状態において、これら係止部３５４Ａ，３５４Ｂと被係止部３５６Ａ，３５６Ｂとを結束バンド３５８により連結されている。これにより、結束バンド３５８を切断するなどして係止状態を解除した場合にはその痕跡が残るようになるため、上部開閉ユニット２１０が不正に開放された場合でも、不正に開放された可能性があることを遊技場の店員等が発見することが可能となる。
　【００９７】
　尚、本実施例では、係止部３５４Ａ，３５４Ｂと被係止部３５６Ａ，３５６Ｂとを結束バンド３５８により連結することで係止状態を解除した場合にはその痕跡が残るようにしていたが、本発明はこれに限定されるものではなく、結束バンド３５８で連結する以外の方法（例えば、貼付した場合には破断する封印シールを係止部３５４Ａ，３５４Ｂと被係止部３５６Ａ，３５６Ｂとに跨るように貼付しておくなど）で係止状態を解除した場合にはその痕跡が残るようにしてもよい。
　【００９８】
　図２、図５、図７及び図８に示すように、下部開閉ユニット２２０は、合成樹脂材により正面視四角形状をなす板状のベース部材２２１と、ベース部材２２１の前面上部に設けられる操作基台部２２２と、操作基台部２２２の下方に設けられる表示パネル部材２２３と、表示パネル部材２２３の下方に設けられる下皿部２２４と、表示パネル部材２２３の左右側に設けられる装飾部材２２５と、を主に有し、共通ユニット２００の前面下部を閉鎖可能な大きさに形成されている。ベース部材２２１の右側辺上部には、シリンダ錠３２７を挿通して鍵穴３２７Ａを前面に臨ませる（図１参照）ための挿入孔２２６が形成されている。
　【００９９】
　表示パネル部材２２３及び装飾部材２２５は、ベース部材２２１に対し背面側から図示しないネジや係止片等を介して取付けられ、前面側から取外すことはできないようになっている。表示パネル部材２２３は、前面にスロットマシン１のタイトル名や演出に登場するキャラクタ等が描かれたパネルを有する。尚、本実施例では、表示パネル部材２２３はパネルにて構成されていたが、タイトル名や演出に登場するキャラクタ等を表示可能な液晶表示器などの演出表示装置により構成されていてもよい。
　【０１００】
　下部開閉ユニット２２０の左側辺には、共通ユニット２００の前面における左側辺に固定された上下方向を向く回動軸３４０Ａ，３４０Ｂに上方から挿入可能な軸受孔３４１Ａ，３４１Ｂが固定されており、回動軸３４０Ａ，３４０Ｂに軸受孔３４１Ａ，３４１Ｂを挿入することで、下部開閉ユニット２２０が共通ユニット２００に対し左辺側を中心として、共通ユニット２００の前面下部を閉鎖する閉鎖位置と共通ユニット２００の前面下部を開放する開放位置との間で回動可能に枢支される。また、下部開閉ユニット２２０を上方へ浮かせることで、下部開閉ユニット２２０を共通ユニット２００から取外すことができる。
　【０１０１】
　下部開閉ユニット２２０の右側辺の背面側には、下部開閉ユニット２２０の閉鎖位置から開放位置への回動を規制するための係止装置３６０が設けられている。係止装置３６０は、図６（Ａ）に示すように、下部開閉ユニット２２０の右側辺に固定された上下方向を向くベース板３６１と、ベース板３６１に対し上下方向に移動可能な動作板３６２と、ベース板３６１の上下に設けられた左右方向を向く回動軸３６３Ａ，３６３Ｂを中心として回動可能に設けられた係止部３６４Ａ，３６４Ｂと、動作板３６２から後方へ向けて延設された操作片３６７と、を主に有する。
　【０１０２】
　係止部３６４Ａ，３６４Ｂは、前端が左右方向を向く連結軸３６５Ａ，３６５Ｂを介して動作板３６２に連結されており、動作板３６２は、図示しないバネにより常時上方へ向けて付勢されている。よって、下部開閉ユニット２２０を閉鎖位置へ回動することで、係止部３６４Ａ，３６４Ｂが共通ユニット２００の前面における右側辺に固定された左右方向を向く柱状の被係止部３６６Ａ，３６６Ｂに係止され、上部開閉ユニット２１０の開放位置への回動が規制される。
　【０１０３】
　下部開閉ユニット２２０により共通ユニット２００の前面下部が閉鎖された状態において、係止部３６４Ａ，３６４Ｂの被係止部３６６Ａ，３６６Ｂへの係止状態を解除するには、操作片３６７を下降させることで、動作板３６２が下降して係止部３６４Ａ，３６４Ｂが上方に向けて回動して被係止部３６６Ａ，３６６Ｂに対する係止状態が解除されるため、下部開閉ユニット２２０を開放位置へ回動させることが可能となる。
　【０１０４】
　尚、操作片３６７は、下部開閉ユニット２２０が閉鎖位置にあるとき、共通ユニット２００の背面側に突出するように設けられているため（図４参照）、共通ユニット２００の背面側からしか操作できない。つまり、共通ユニット２００が閉鎖位置にある場合、遊技場の店員など管理者のみが所持するキー３２８を用いて共通ユニット２００を開放しない限り、下部開閉ユニット２２０を開放することができない構成とされている。
　【０１０５】
　次に、筐体１ａ、共通ユニット２００、上部開閉ユニット２１０及び下部開閉ユニット２２０に設けられる各種電気部品、部材、装置等について説明する。
　【０１０６】
　図２に示すように、筐体１ａには、リールユニット２（リール２Ｌ，２Ｃ，２Ｒ、リールモータ３２Ｌ，３２Ｃ，３２Ｒ、リールセンサ３３Ｌ，３３Ｃ，３３Ｒ、リールＬＥＤ５５）、ホッパーユニット３４（ホッパータンク３４ａ、ホッパーモータ３４ｂ、払出センサ３４ｃ）、オーバーフロータンク３５（満タンセンサ３５ａ）、電源ボックス１００（設定キースイッチ３７、リセット／設定スイッチ３８、電源スイッチ３９、電源基板１０１）、遊技制御基板ケース４０Ａ（遊技制御基板４０）が収容されている。
　【０１０７】
　これらのうち、ホッパーユニット３４（ホッパータンク３４ａ、ホッパーモータ３４ｂ、払出センサ３４ｃ）、オーバーフロータンク３５（満タンセンサ３５ａ）、電源ボックス１００（設定キースイッチ３７、リセット／設定スイッチ３８、電源スイッチ３９、電源基板１０１）は異なる遊技機で共通に用いられる共通部品であり、リールユニット２（リール２Ｌ，２Ｃ，２Ｒ、リールモータ３２Ｌ，３２Ｃ，３２Ｒ、リールセンサ３３Ｌ，３３Ｃ，３３Ｒ、リールＬＥＤ５５）、及び遊技制御基板ケース４０Ａ（遊技制御基板４０）は機種毎に交換の対象となる交換部品である。
　【０１０８】
　共通ユニット２００には、表示ユニット２０２（液晶表示器５１）、演出制御基板ケース９０Ａ（演出制御基板９０）（図４参照）が取付けられている。これらのうち、表示ユニット２０２（液晶表示器５１）は異なる遊技機で共通に用いられる共通部品であり、演出制御基板ケース９０Ａ（演出制御基板９０）は機種毎に交換の対象となる交換部品である。
　【０１０９】
　上部開閉ユニット２１０には、カバーパネル２１２、装飾部材２１３、装飾部材２１３に内蔵された演出効果ＬＥＤ５２や、駆動源により動作する可動部を有する図示しない演出装置等が設けられている。これらのうち、カバーパネル２１２は異なる遊技機で共通に用いられる共通部品であり、装飾部材２１３、演出効果ＬＥＤ５２や演出装置は、機種毎に交換の対象となる交換部品である。
　【０１１０】
　下部開閉ユニット２２０には、ＭＡＸＢＥＴスイッチ６、スタートスイッチ７、ストップスイッチ８Ｌ，８Ｃ，８Ｒ、精算スイッチ１０、クレジット表示器１１、遊技補助表示器１２、１〜３ＢＥＴＬＥＤ１４〜１６、投入要求ＬＥＤ１７、スタート有効ＬＥＤ１８、ウェイト中ＬＥＤ１９、リプレイ中ＬＥＤ２０、ＢＥＴスイッチ有効ＬＥＤ２１、左、中、右停止有効ＬＥＤ２２Ｌ，２２Ｃ，２２Ｒ、リセットスイッチ２３、設定値表示器２４、メダルセレクタ２９（流路切替ソレノイド３０、投入メダルセンサ３１）、打止スイッチ３６ａ、自動精算スイッチ３６ｂ、スピーカ５３，５４、演出用スイッチ５６、操作基台部２２２、表示パネル部材２２３、下皿部２２４、装飾部材２２５等が設けられている。
　【０１１１】
　これらのうち、操作基台部２２２に設けられるＭＡＸＢＥＴスイッチ６、スタートスイッチ７、ストップスイッチ８Ｌ，８Ｃ，８Ｒ、精算スイッチ１０、クレジット表示器１１、遊技補助表示器１２、１〜３ＢＥＴＬＥＤ１４〜１６、投入要求ＬＥＤ１７、スタート有効ＬＥＤ１８、ウェイト中ＬＥＤ１９、リプレイ中ＬＥＤ２０、ＢＥＴスイッチ有効ＬＥＤ２１、左、中、右停止有効ＬＥＤ２２Ｌ，２２Ｃ，２２Ｒ、リセットスイッチ２３、設定値表示器２４、メダルセレクタ２９（流路切替ソレノイド３０、投入メダルセンサ３１）、打止スイッチ３６ａ、自動精算スイッチ３６ｂ、スピーカ５３，５４、演出用スイッチ５６、液晶表示器５１を含む表示ユニット２０２、及び下皿部２２４は、異なる遊技機で共通に用いられる共通部品であり、表示パネル部材２２３と装飾部材２２５とは、機種毎に交換の対象となる交換部品である。
　【０１１２】
　このように、機種変更等を行う場合に交換の対象となる交換部品は、主に遊技の制御を行うメイン制御部４１（遊技制御手段）が設けられる遊技制御基板４０や演出の制御を行うサブ制御部９１（演出制御手段）が設けられる演出制御基板９０といった制御基板、機種固有の図柄を有するリール２Ｌ，２Ｃ，２Ｒを含むリールユニット２、機種固有の装飾が施される装飾部材２１３、可動部を有する演出装置、装飾部材２２５及び表示パネル部材２２３等である。尚、リールモータ３２Ｌ，３２Ｃ，３２Ｒ、リールセンサ３３Ｌ，３３Ｃ，３３Ｒ、リールＬＥＤ５５については異なる遊技機で共通に用いられる共通部品としての利用可能であるが、リールユニット２として一体化されているのでリールユニット２全体が交換部品とされている。
　【０１１３】
　このようなスロットマシン１において、旧機種から新機種への機種変更、あるいはスペックが異なる機種への機種変更は、遊技機メーカーが遊技場から既存のスロットマシンを回収して交換部品の交換作業を行う場合もあれば、遊技機メーカーが交換部品を遊技場へ納品し、遊技場側で交換部品の交換作業を行う場合もある。よって、上記したような交換部品の部品点数が多くなると、交換作業が煩雑になる。
　【０１１４】
　そこで、本実施例のスロットマシン１は、筐体１ａを開閉可能とする前面扉１ｂを、共通ユニット２００、上部開閉ユニット２１０及び下部開閉ユニット２２０といった複数のユニット部材にて構成し、これらのうち上部開閉ユニット２１０及び下部開閉ユニット２２０ごと交換することで、多数の交換部品をまとめて簡単に交換することができるようにしている。
　【０１１５】
　具体的には、遊技場に設置された既存のスロットマシン１を機種変更する場合、図８に示すように、まず、上部開閉ユニット２１０や下部開閉ユニット２２０に設けられた電気部品と遊技制御基板４０と演出制御基板９０との配線接続を解除する。そして、上部開閉ユニット２１０、下部開閉ユニット２２０を上方へ移動させて、回動軸３３０Ａ，３３０Ｂから軸受孔３３１Ａ，３３１Ｂ、回動軸３４０Ａ，３４０Ｂから軸受孔３４１Ａ，３４１Ｂをそれぞれ抜き出し、上部開閉ユニット２１０と下部開閉ユニット２２０とを共通ユニット２００から取外す。
　【０１１６】
　そして、取外した上部開閉ユニット２１０と下部開閉ユニット２２０を、新たな機種に対応する上部開閉ユニット２１０と下部開閉ユニット２２０に交換し、これら上部開閉ユニット２１０の軸受孔３３１Ａ，３３１Ｂを回動軸３３０Ａ，３３０Ｂへ挿入し、下部開閉ユニット２２０の軸受孔３４１Ａ，３４１Ｂを回動軸３４０Ａ，３４０Ｂへ挿入する。これにより、共通ユニット２００に対し上部開閉ユニット２１０と下部開閉ユニット２２０とが回動可能に軸支される。
　【０１１７】
　この状態で、上部開閉ユニット２１０と下部開閉ユニット２２０をそれぞれ閉鎖位置へ回動させる。閉鎖位置まで回動することで、上部開閉ユニット２１０の係止部３５４Ａ，３５４Ｂが被係止部３５６Ａ，３５６Ｂに係止され、下部開閉ユニット２２０の係止部３６４Ａ，３６４Ｂが被係止部３６６Ａ，３６６Ｂに係止される。これにより、上部開閉ユニット２１０と下部開閉ユニット２２０とが共通ユニット２００の前面を閉鎖した状態で取付けられる。
　【０１１８】
　また、上部開閉ユニット２１０の係止部３５４Ａ，３５４Ｂが被係止部３５６Ａ，３５６Ｂに係止され、下部開閉ユニット２２０の係止部３６４Ａ，３６４Ｂが被係止部３６６Ａ，３６６Ｂに係止されることで、共通ユニット２００を開放位置へ回動して該共通ユニット２００の背面側から操作片３５７，３６７により操作しない限り、上部開閉ユニット２１０と下部開閉ユニット２２０を閉鎖位置から開放位置へ回動させることができない状態となる。
　【０１１９】
　また、上部開閉ユニット２１０については、係止部３５４Ａと被係止部３５６Ａ及び係止部３５４Ｂと被係止部３５６Ｂを結束バンド３５８により連結する。これにより、上部開閉ユニット２１０は、係止部３５４Ａ，３５４Ｂと被係止部３５６Ａ，３５６Ｂとの係止を痕跡を残さずに解除することができない状態、つまり、係止状態を解除した場合にはその痕跡が残るようになる。
　【０１２０】
　そして、共通ユニット２００に取付けられた上部開閉ユニット２１０や下部開閉ユニット２２０に設けられた各種電気部品を新たな機種に対応する遊技制御基板４０や演出制御基板９０に配線接続するとともに、リールユニット２を交換することで、簡単な作業で機種変更を行うことができる。
　【０１２１】
　つまり、遊技場において機種変更する場合には、筐体１ａと共通ユニット２００とは据え置きにしたまま、遊技機メーカーから納品される新たな機種に対応する上部開閉ユニット２１０、下部開閉ユニット２２０と遊技制御基板４０や演出制御基板９０とを交換するだけで済む。また、遊技機メーカーが回収先で機種変更する場合も、上部開閉ユニット２１０、下部開閉ユニット２２０、リールユニット２及び遊技制御基板４０や演出制御基板９０を交換するだけで済む。
　【０１２２】
　また、下部開閉ユニット２２０は、共通ユニット２００に対し開閉可能に取付けられることで、下部開閉ユニット２２０の背面側に設けられる各種電子部品やメダルセレクタ２９でのメダル詰まりなどの不具合が発生した場合において、共通ユニット２００に対し下部開閉ユニット２２０を開放することで、メンテナンス作業等を簡単に行うことができる。
　【０１２３】
　一方、前面扉１ｂの前面側が上部開閉ユニット２１０と下部開閉ユニット２２０との２つのユニットに分割されることで、これら各ユニット間に隙間が生じやすく、これら隙間から針金等の不正部材を進入しやすくなるが、これら上部開閉ユニット２１０と下部開閉ユニット２２０との背面がこれら上部開閉ユニット２１０と下部開閉ユニット２２０と一体化する板状の共通ユニット２００により閉鎖されているため、前面側から不正部材などが進入されたとしても、筐体１ａの内部まで進入させることが困難となるため、共通ユニット２００の背面側に設けられた遊技制御基板４０や演出制御基板９０に対する不正行為を抑制できる。
　【０１２４】
　以上説明したように、本発明の実施例１としてのスロットマシン１にあっては、本体部としての筐体１ａと、筐体１ａに対して左辺側を回動軸心として開閉可能に設けられる開閉扉部としての前面扉１ｂと、を備え、前面扉１ｂは、異なるスロットマシンで共通に用いられる共通ユニット２００と、該共通ユニット２００に対して交換可能に設けられる交換ユニットとしての上部開閉ユニット２１０及び下部開閉ユニット２２０と、共通ユニット２００に設けられる軸部としての回動軸３３０Ａ，３３０Ｂ、回動軸３４０Ａ，３４０Ｂ及び上部開閉ユニット２１０と下部開閉ユニット２２０に設けられる軸受部としての軸受孔３３１Ａ，３３１Ｂ、軸受孔３４１Ａ，３４１Ｂと、共通ユニット２００に設けられる係止部としての係止部３５４Ａ，３５４Ｂ、係止部３６４Ａ，３６４Ｂ及び上部開閉ユニット２１０と下部開閉ユニット２２０に設けられる被係止部としての被係止部３５６Ａ，３５６Ｂ、被係止部３６６Ａ，３６６Ｂと、を有し、上部開閉ユニット２１０の軸受孔３３１Ａ，３３１Ｂを回動軸３３０Ａ，３３０Ｂへ挿入し、下部開閉ユニット２２０の軸受孔３４１Ａ，３４１Ｂを回動軸３４０Ａ，３４０Ｂへ挿入する。
　【０１２５】
　これにより、共通ユニット２００に対し上部開閉ユニット２１０と下部開閉ユニット２２０とが回動可能に軸支される。この状態で、上部開閉ユニット２１０と下部開閉ユニット２２０をそれぞれ閉鎖位置へ回動させる。閉鎖位置まで回動することで、上部開閉ユニット２１０の係止部３５４Ａ，３５４Ｂが被係止部３５６Ａ，３５６Ｂに係止され、下部開閉ユニット２２０の係止部３６４Ａ，３６４Ｂが被係止部３６６Ａ，３６６Ｂに係止される。これにより、上部開閉ユニット２１０と下部開閉ユニット２２０とが共通ユニット２００の前面を閉鎖した状態で取付けられ、共通ユニット２００と一体化されて前面扉１ｂが構成される。
　【０１２６】
　このように、軸受孔３３１Ａ，３３１Ｂや軸受孔３４１Ａ，３４１Ｂに回動軸３３０Ａ，３３０Ｂや回動軸３４０Ａ，３４０Ｂを軸支することで、共通ユニット２００に対し上部開閉ユニット２１０や下部開閉ユニット２２０を回動させることで係止部３５４Ａ，３５４Ｂ、係止部３６４Ａ，３６４Ｂを被係止部３５６Ａ，３５６Ｂ、被係止部３６６Ａ，３６６Ｂに簡単に係止させることができる。つまり、上部開閉ユニット２１０や下部開閉ユニット２２０を持って支えながら係止部３５４Ａ，３５４Ｂ、係止部３６４Ａ，３６４Ｂを被係止部３５６Ａ，３５６Ｂ、被係止部３６６Ａ，３６６Ｂに簡単に係止させる必要がないので、交換ユニットの交換作業時における利便性を高めることができる。
　【０１２７】
　また、係止部３５４Ａ，３５４Ｂ、係止部３６４Ａ，３６４Ｂと被係止部３５６Ａ，３５６Ｂ、被係止部３６６Ａ，３６６Ｂとの係止状態を、痕跡を残さずに解除できないようにする解除不可手段としての結束バンド３５８を備えることで、係止部と被係止部との係止状態を解除して上部開閉ユニット２１０や下部開閉ユニット２２０を取外すといった不正行為を抑制することができる。
　【０１２８】
　また、共通ユニット２００に対する上部開閉ユニット２１０及び下部開閉ユニット２２０の回動軸心を形成する回動軸３３０Ａ，３３０Ｂ、回動軸３４０Ａ，３４０Ｂ及び軸受孔３３１Ａ，３３１Ｂ、軸受孔３４１Ａ，３４１Ｂは、筐体１ａに対する共通ユニット２００の回動軸心（例えば、回動軸３００Ａ，３００Ｂと軸受孔３０１Ａ，３０１Ｂとにより形成される回動軸心）と同じ左辺側に設けられる。このようにすることで、上部開閉ユニット２１０や下部開閉ユニット２２０が共通ユニット２００と逆側に開いたりすることがないので、遊技場においてスロットマシン１の周辺に設置された他のスロットマシンや構造物等との接触を抑制することができるため、遊技場側で交換作業を行う場合における作業性がより向上する。
　【０１２９】
　また、前面扉１ｂは、共通ユニット２００に上部開閉ユニット２１０及び下部開閉ユニット２２０を取付けていない状態でも、共通ユニット２００だけで筐体１ａを閉鎖することが可能であることで、上部開閉ユニット２１０や下部開閉ユニット２２０を共通ユニット２００から取外した状態でも、筐体１ａを閉鎖することができる。これにより、機種変更作業を行う際において、共通ユニット２００から上部開閉ユニット２１０や下部開閉ユニット２２０を取外しても、共通ユニット２００だけで筐体１ａ内に各種部品が収納されている状態で閉鎖することができるので、利便性が向上する。
　【０１３０】
　また、上部開閉ユニット２１０や下部開閉ユニット２２０は、図１７（Ａ）及び図１７（Ｂ）に示すように、共通ユニット２００から取外されたときに、直立状態で設置することが可能である。このようにすることで、上部開閉ユニット２１０や下部開閉ユニット２２０の収納性が向上する。
　【０１３１】
　また、共通ユニット２００は、表示手段としての液晶表示器５１を含む表示ユニット２０２を有することで、液晶表示器５１の損傷や不具合の発生に応じて容易に交換することができる。
　【０１３２】
　また、本発明の実施例１としてのスロットマシン１にあっては、本体部としての筐体１ａと、筐体１ａに対して左辺側を回動軸心として開閉可能に設けられる開閉扉部としての前面扉１ｂと、を備え、前面扉１ｂは、板状に形成されるフレームユニットとしての共通ユニット２００と、共通ユニット２００の第１領域（例えば、前面上部）を開閉可能に設けられる第１開閉ユニットとしての上部開閉ユニット２１０と、共通ユニット２００の前記第１領域とは異なる第２領域（例えば、前面下部）を開閉可能に設けられる第２開閉ユニットとしての下部開閉ユニット２２０と、を有する。
　【０１３３】
　このようにすることで、共通ユニット２００に対し上部開閉ユニット２１０や下部開閉ユニット２２０を開放させることで共通ユニット２００の前面上部や前面下部を解放することができるため、上部開閉ユニット２１０や下部開閉ユニット２２０に設けられている各種装置や電気部品等のメンテナンス性が向上する。特に、遊技場における営業時間中に各種装置や電気部品の不具合が発生した場合でも、共通ユニット２００に対し上部開閉ユニット２１０や下部開閉ユニット２２０を取外さなくても、開放するだけで点検やメンテナンスを行うことができるため、作業性が向上する。一方、上部開閉ユニット２１０や下部開閉ユニット２２０を一体化する共通ユニット２００は板状に形成されているため、前面扉１ｂを介して不正部材を筐体１ａへ進入させることが困難となるため、不正行為を好適に抑制できる。
　【０１３４】
　また、共通ユニット２００に対する上部開閉ユニット２１０及び下部開閉ユニット２２０の回動軸心は、筐体１ａに対する共通ユニット２００の回動軸心と同じ左辺側に設けられることで、スロットマシン１の周辺に設置された他のスロットマシンや構造物等との接触を抑制することができる。
　【０１３５】
　また、共通ユニット２００は開口部２０１を有し、開口部２０１は表示手段としての液晶表示器５１を含む表示ユニット２０２により閉鎖されている。このようにすることで、表示ユニット２０２があることで、開口部２０１を介して不正部材を筐体１ａへ進入させることが困難となるため、不正行為を好適に抑制できる。
　【０１３６】
　次に、本発明の変形例１、２について、図９及び図１０に基づいて説明する。図９は、本発明の変形例１としてのスロットマシンの前面扉が開放された状態を示す斜視図である。図１０は、本発明の変形例２としてのスロットマシンの前面扉が開放された状態を示す斜視図である。
　【０１３７】
　前記実施例１では、表示ユニット２０２は、開口部２０１を閉鎖するように共通ユニット２００に取付けられていたが、本発明はこれに限定されるものではなく、図９に示すように、例えば、上部開閉ユニット２１０の背面側に取付け、上部開閉ユニット２１０を共通ユニット２００に取付け、閉鎖位置へ移動したときに開口部２０１を閉鎖するようにしてもよい。このようにすることで、液晶表示器５１を含む表示ユニット２０２を交換部品とし、上部開閉ユニット２１０とともに表示ユニット２０２を簡単に交換することができる。
　【０１３８】
　また、図１０に示すように、例えば、表示ユニット２０２は、共通ユニット２００の開口部２０１を開閉可能に取付けられていてもよい。このようにした場合、表示ユニット２０２に何らかの不具合が生じた場合、表示ユニット２０２を共通ユニット２００から取外さなくてもメンテナンス作業を行うことが可能となる。
　【０１３９】
　また、前記実施例１では、共通ユニット２００に軸部としての回動軸３３０Ａ，３３０Ｂ、３４０Ａ，３４０Ｂを設け、上部開閉ユニット２１０と下部開閉ユニット２２０に軸受部としての軸受孔３３１Ａ，３３１Ｂ、３４１Ａ，３４１Ｂを設けた形態を例示したが、本発明はこれに限定されるものではなく、共通ユニット２００に軸受部としての軸受部としての軸受孔３３１Ａ，３３１Ｂ、３４１Ａ，３４１Ｂを設け、上部開閉ユニット２１０と下部開閉ユニット２２０に軸部としての回動軸３３０Ａ，３３０Ｂ、３４０Ａ，３４０Ｂを設けてもよい。
　【０１４０】
　また、前記実施例１では、共通ユニット２００に被係止部としての被係止部３５６Ａ，３５６Ｂ、３６６Ａ，３６６Ｂを設け、上部開閉ユニット２１０と下部開閉ユニット２２０に係止部としての係止部３５４Ａ，３５４Ｂ、３６４Ａ，３６４Ｂを設けた形態を例示したが、本発明はこれに限定されるものではなく、共通ユニット２００に係止部としての係止部３５４Ａ，３５４Ｂ、３６４Ａ，３６４Ｂを設け、上部開閉ユニット２１０と下部開閉ユニット２２０に被係止部としての被係止部３５６Ａ，３５６Ｂ、３６６Ａ，３６６Ｂを設けてもよい。
　【０１４１】
　また、前記実施例１では、共通ユニット２００は上部開閉ユニット２１０と下部開閉ユニット２２０とが取付けられていない状態でも筐体１ａの開口１ｃを閉鎖可能に構成されている形態を例示したが、本発明はこれに限定されるものではなく、共通ユニット２００は上部開閉ユニット２１０と下部開閉ユニット２２０とのうち少なくとも一方が一体化されることで、筐体１ａの開口１ｃを閉鎖可能となるようにしてもよい。
　【０１４２】
　また、前記実施例１では、上部開閉ユニット２１０と下部開閉ユニット２２０とは、共通ユニット２００を開放しない限り該共通ユニット２００から取外すことができない形態を例示したが、本発明はこれに限定されるものではなく、共通ユニット２００を開放しなくても該共通ユニット２００から取外すことができるようにしてもよい。この場合、共通ユニット２００の施解錠装置３２０のように、例えば、前面扉１ｂが閉鎖位置にあるときに該前面扉１ｂの前方から所定の解錠操作をしない限り上部開閉ユニット２１０や下部開閉ユニット２２０を開放することができない構成とすることが好ましい。
　【０１４３】
　また、前記実施例１では、共通ユニット２００に対し上部開閉ユニット２１０と下部開閉ユニット２２０とが交換可能に取付けられる形態を例示したが、本発明はこれに限定されるものではなく、共通ユニット２００に対し上部開閉ユニット２１０と下部開閉ユニット２２０以外のユニットが交換可能に取付けられていてもよい。
　【０１４４】
　さらに、共通ユニット２００に対し交換可能な上部開閉ユニット２１０と下部開閉ユニット２２０とは、共通ユニット２００の前面上部と前面下部とを閉鎖可能な交換ユニットとして例示したが、本発明はこれに限定されるものではなく、共通ユニット２００の前面あるいは背面における所定領域を閉鎖可能に設けられていれば、上部と下部だけでなく、例えば、上部、中央部、下部といった３以上の領域をそれぞれ閉鎖可能な３以上の交換ユニットを交換可能に設けてもよい。
　【０１４５】
　また、前記実施例１では、共通ユニット２００は板状に形成され、少なくとも下部開閉ユニット２２０の背面を閉鎖可能な形態を例示したが、本発明はこれに限定されるものではなく、交換ユニットとしての上部開閉ユニット２１０や下部開閉ユニット２２０が軸受部に軸部を軸支した上で回動させて、係止部を被係止部に係止することにより共通ユニットに取付けられるものであれば、共通ユニット２００はフレーム部材などからなる枠状のユニット等であってもよい。
　【実施例２】
　【０１４６】
　次に、本発明の実施例２としてのスロットマシン１Ａについて、図１１〜図１３に基づいて説明する。図１１は、本発明の実施例２としてのスロットマシンの前面扉が開放された状態を示す斜視図である。図１２は、（Ａ）は上部開閉ユニットと被覆部材を共通ユニットから取外した状態を示す斜視図、（Ｂ）は係止部と被係止部とを結束バンドで連結した状態を示す要部拡大図である。図１３は、（Ａ）は共通ユニットの背面の一部を被覆部材により閉鎖する状態を示す図、（Ｂ）は被覆領域を示す共通ユニットの背面図である。尚、以下において、前記実施例１と同様の構成部位に関しては同様の符号を付すことで詳細な説明は省略することとする。
　【０１４７】
　前記実施例１では、共通ユニット２００に対し上部開閉ユニット２１０と下部開閉ユニット２２０とが交換可能に設けられていたが、図１１及び図１２に示すように、本実施例２のスロットマシン１Ａのように、下部開閉ユニット２２０は、共通ユニット２００と一体化されて共通ユニットの一部を構成するものであってもよい。つまり、本実施例２における前面扉１ｂは、異なる遊技機で共通に用いられる共通ユニット２００Ａと、共通ユニット２００Ａに対して交換可能に設けられる交換ユニットとしての上部開閉ユニット２１０と、を有している。
　【０１４８】
　尚、この場合、交換の対象となるのは主に上部開閉ユニット２１０と、共通ユニット２００Ａの表示パネル部材２２３である。また、上部開閉ユニット２１０は、上方へ移動させて回動軸３３０Ａ，３３０Ｂから軸受孔３３１Ａ，３３１Ｂをそれぞれ抜き出すことで、共通ユニット２００から取外すことができる。
　【０１４９】
　そして、取外した上部開閉ユニット２１０を新たな機種に対応する上部開閉ユニット２１０に交換し、上部開閉ユニット２１０の軸受孔３３１Ａ，３３１Ｂを回動軸３３０Ａ，３３０Ｂへ挿入することで、共通ユニット２００Ａに対し上部開閉ユニット２１０が回動可能に軸支される。この状態で、上部開閉ユニット２１０を閉鎖位置へ回動させることで、上部開閉ユニット２１０の係止部３５４Ａ，３５４Ｂが被係止部３５６Ａ，３５６Ｂに係止され、これにより、上部開閉ユニット２１０が共通ユニット２００Ａの前面を閉鎖した状態で取付けられる。
　【０１５０】
　また、上部開閉ユニット２１０の係止部３５４Ａ，３５４Ｂが被係止部３５６Ａ，３５６Ｂに係止されることで、共通ユニット２００Ａを開放位置へ回動して該共通ユニット２００Ａの背面側から操作片３５７により操作しない限り、上部開閉ユニット２１０を閉鎖位置から開放位置へ回動させることができない状態となる。
　【０１５１】
　また、上部開閉ユニット２１０については、図１２（Ｂ）に示すように、係止部３５４Ａと被係止部３５６Ａ及び係止部３５４Ｂと被係止部３５６Ｂを結束バンド３５８により連結する。これにより、上部開閉ユニット２１０は、係止部３５４Ａ，３５４Ｂと被係止部３５６Ａ，３５６Ｂとの係止状態を、痕跡を残さずに解除することができない状態、つまり、係止状態を解除した場合にはその痕跡が残るようになる。
　【０１５２】
　そして、共通ユニット２００に取付けられた上部開閉ユニット２１０に設けられた各種電気部品を新たな機種に対応する遊技制御基板４０や演出制御基板９０に配線接続するとともに、リールユニット２を交換することで、簡単な作業で機種変更を行うことができる。
　【０１５３】
　また、共通ユニット２００Ａの操作基台部２２２の表面を構成する装飾領域２２２Ａは、所定の装飾が施されている。そしてこの装飾領域２２２Ａは、ＭＡＸＢＥＴスイッチ６、スタートスイッチ７、ストップスイッチ８Ｌ，８Ｃ，８Ｒ、精算スイッチ１０及び演出用スイッチ５６といった遊技者が操作可能な操作部の周辺部に形成されており、遊技者が接触する割合が高い領域であるため、汚れが付着したり破損したりしやすい領域である。
　【０１５４】
　そこで、この装飾領域２２２Ａの表面には、透光性を有する合成樹脂材からなる被覆部材４００が、装飾領域２２２Ａ全域を被覆するように、複数のネジＮ１により交換可能に取付けられている。被覆部材４００は透光性を有することで、操作基台部２２２の表面に取付けられた状態において、該操作基台部２２２の表面を構成する装飾領域２２２Ａを視認可能とされる。
　【０１５５】
　このように、異なるスロットマシンで共通に用いられる共通ユニット２００Ａは、長期の仕様により汚れが付着したり傷がついたりする。そして特に操作部の周辺部である装飾領域２２２Ａなどは遊技者が接触する割合が高い領域であり、汚れが付着したり破損したりしやすいため、被覆部材４００により装飾領域２２２Ａを保護しておくことで、被覆部材４００を交換するだけで、新たな機種として共通ユニット２００Ａを使用する際に、汚れや破損等の少ない状態で装飾領域２２２Ａを提供することが可能となる。
　【０１５６】
　また、共通ユニット２００Ａの前面部分には、クロムメッキ加工が施されている。これにより、共通ユニット２００Ａの表面が汚れたり傷がついたりすることを抑制できるとともに、共通ユニット２００Ａの強度を高めることができる。
　【０１５７】
　また、図１３（Ａ）（Ｂ）に示すように、共通ユニット２００Ａにおいて、前記実施例１における下部開閉ユニット２２０に相当する領域には、メダルセレクタ２９や操作基台部２２２に設けられるＭＡＸＢＥＴスイッチ６、スタートスイッチ７、ストップスイッチ８Ｌ，８Ｃ，８Ｒ、精算スイッチ１０及び演出用スイッチ５６といった各種電気部品が設けられている。そしてこれら電気部品は、背面側に露出されているため、これら電気部品も長期の使用により汚れたり破損したりする可能性が高い。
　【０１５８】
　よって、図１３（Ａ）（Ｂ）に示すように、例えば、操作部であるＭＡＸＢＥＴスイッチ６、スタートスイッチ７、ストップスイッチ８Ｌ，８Ｃ，８Ｒ、精算スイッチ１０、クレジット表示器１１、遊技補助表示器１２、１ＢＥＴＬＥＤ１４、２ＢＥＴＬＥＤ１５、３ＢＥＴＬＥＤ１６、投入要求ＬＥＤ１７、スタート有効ＬＥＤ１８、ウェイト中ＬＥＤ１９、リプレイ中ＬＥＤ２０等が設けられた遊技用表示部１３や、打止スイッチ３６ａ、自動精算スイッチ３６ｂ、設定値表示器２４の背面側は、透光性を有する合成樹脂材からなる被覆部材４１０により被覆されている。
　【０１５９】
　被覆部材４１０は、複数のネジＮ２により共通ユニット２００の背面に交換可能に取付けられている。このように、複数の電気部品が背面側から単一の被覆部材４１０により被覆されていることで、電気部品が長期の使用により汚れたり破損したりすることが抑制される。また、被覆部材４１０を取外すことで、これら電気部品のメンテナンスや交換作業を必要に応じて簡単に行うことが可能となる。また、各種電気部品に対する不正行為を抑制することができる。さらに、被覆部材４１０透光性を有する合成樹脂材にて構成されているので、被覆部材４１０を取外さなくても各電子部品を確認できるので、電気部品に対し不正行為が行われた可能性があることを発見しやすくなる。
　【０１６０】
　本発明の実施例２としてのスロットマシン１Ａにあっては、筐体１ａに対して一辺側を回動軸心として開閉可能に設けられる開閉扉部としての前面扉１ｂを備え、前面扉１ｂは、異なる遊技機で共通に用いられる共通ユニット２００Ａと、該共通ユニット２００Ａに対して交換可能に設けられる交換ユニットとしての上部開閉ユニット２１０と、を有し、共通ユニット２Ａの表面における所定領域（例えば、装飾領域２２２Ａ）を被覆する被覆部材４００を交換可能に設けることで、共通ユニット２００Ａの表面における所定領域が汚れても、被覆部材４００を交換するだけで済むため、共通ユニット２００Ａをより長く使用することができる。
　【０１６１】
　このように、共通ユニット２００Ａの表面が汚れたり破損することがないので、遊技場においては、交換ユニットの交換とともに被覆部材４００を交換するだけで、共通ユニット２００Ａは長期にわたり綺麗な状態で繰り返し使用することが可能となる。
　【０１６２】
　また、共通ユニット２００Ａに設けられる電気部品（例えば、ＭＡＸＢＥＴスイッチ６、スタートスイッチ７、ストップスイッチ８Ｌ，８Ｃ，８Ｒ、精算スイッチ１０、クレジット表示器１１、遊技補助表示器１２、１ＢＥＴＬＥＤ１４、２ＢＥＴＬＥＤ１５、３ＢＥＴＬＥＤ１６、投入要求ＬＥＤ１７、スタート有効ＬＥＤ１８、ウェイト中ＬＥＤ１９、リプレイ中ＬＥＤ２０等が設けられた遊技用表示部１３や、打止スイッチ３６ａ、自動精算スイッチ３６ｂ、設定値表示器２４など）の少なくとも一部を被覆する被覆部材４１０を設けることで、共通ユニット２００Ａに設けられる電気部品の破損等が防止されるため、共通ユニット２００Ａをより長く使用することができる。
　【０１６３】
　また、電気部品が壊れたりすることを抑制できるため、遊技機メーカーにおいては、交換ユニットを交換するだけで、共通ユニット２００Ａに設けられる電気部品は長期にわたり繰り返し使用することが可能となる。
　【０１６４】
　また、被覆部材４１０は、複数の電気部品をまとめて被覆する単一の部材にて構成されていたが、本発明はこれに限定されるものではなく、一の電気部品のみを被覆する被覆部材とし、複数の電気部品を個別に被覆するようにしてもよい。また、必ずしも透過性部材にて構成されていなくてもよい。
　【０１６５】
　また、本実施例２では、操作基台部２２２の装飾領域２２２Ａを被覆する被覆部材として被覆部材４００を適用した形態を例示したが、本発明はこれに限定されるものではなく、共通ユニット２００Ａの表面における他の領域を被覆する被覆部材を設けてもよい。
　【０１６６】
　また、本実施例２では、共通ユニット２００の背面を被覆する被覆部材として被覆部材４１０を適用した形態を例示したが、本発明はこれに限定されるものではなく、共通ユニット２００Ａの背面における他の領域を被覆する被覆部材や、共通ユニット２００Ａの前面側に設けられる電気部品等を被覆する被覆部材を設けてもよい。
　【０１６７】
　また、本実施例２で説明した被覆部材４００，４１０等の被覆部材は、前記実施例１に記載のスロットマシン１にも適用可能である。
　【０１６８】
　次に、本発明の変形例３〜５について、図１４〜図１６に基づいて説明する。図１４は、本発明の変形例３としてのスロットマシンの前面扉が開放された状態を示す斜視図である。図１５は、本発明の変形例４としてのスロットマシンの前面扉が開放された状態を示す斜視図である。図１６は、本発明の変形例５としてのスロットマシンの前面扉が開放された状態を示す斜視図である。
　【０１６９】
　前記実施例２では、表示ユニット２０２は、開口部２０１を閉鎖するように共通ユニット２００Ａに取付けられていたが、本発明はこれに限定されるものではなく、図１４に示すように、例えば、上部開閉ユニット２１０の背面側に取付けてもよい。この場合、上部開閉ユニット２１０を共通ユニット２００に取付け、閉鎖位置へ移動したときに開口部２０１を閉鎖する。このようにすることで、液晶表示器５１を含む表示ユニット２０２を交換部品とし、上部開閉ユニット２１０とともに表示ユニット２０２を簡単に交換することができる。
　【０１７０】
　また、図１５に示すように、例えば、表示ユニット２０２は、共通ユニット２００Ａの開口部２０１を開閉可能に取付けられていてもよい。このようにした場合、表示ユニット２０２に何らかの不具合が生じた場合、表示ユニット２０２を共通ユニット２００から取外さなくてもメンテナンス作業を行うことが可能となる。
　【０１７１】
　また、前記実施例２では、上部開閉ユニット２１０は、共通ユニット２００Ａに対し開閉可能に取付けられていたが、本発明はこれに限定されるものではなく、例えば、共通ユニット２００Ａに対し上下方向にスライド移動させることで交換可能に取付けできるようにしてもよい。
　【０１７２】
　具体的には、図１６（Ａ）に示すように、共通ユニット２００Ａの前面上部の左右側には、上下方向を向く板状の案内部材５００Ｌ，５００Ｒが取付けられている。案内部材５００Ｌ，５００Ｒには、前端から後方へ向けて形成される水平部と、該水平部の後端から下方へ延設される垂直部とからなる溝状の案内部５０１Ａ，５０１Ｂが上下に形成されている。
　【０１７３】
　また、図１６（Ｃ）に示すように、案内部５０１Ａ，５０１Ｂの下部近傍には、係止部５０３が左右方向を向く回動軸５０２を中心として回動可能に設けられている。係止部５０３は、案内部５０１Ａ，５０１Ｂに突出する係止位置と案内部５０１Ａ，５０１Ｂから退避する解除位置との間で回動可能であり、図示しないバネにより常時係止位置へ向けて付勢されている。また、係止部５０３の回動軸５０２の反対側には規制孔５０４が形成されており、係止位置において、案内部材５００Ｌ，５００Ｒに形成されたネジ孔５０５に合致するようになっている。
　【０１７４】
　一方、上部開閉ユニット２１０の背面における左右側には、左右方向を向く柱状部材からなる被案内部５１０Ａ，５１０Ｂがそれぞれ上下に設けられている。被案内部５１０Ａ，５１０Ｂは案内部５０１Ａ，５０１Ｂに挿入可能な外径を有している。
　【０１７５】
　上部開閉ユニット２１０を共通ユニット２００Ａに取付けるには、図１６（Ｂ）に示すように、上部開閉ユニット２１０の被案内部５１０Ａ，５１０Ｂを案内部５０１Ａ，５０１Ｂの水平部に前方から差し込んだ後、垂直部に沿って下方へ移動させる。被案内部５１０Ａ，５１０Ｂが案内部５０１Ａ，５０１Ｂの垂直部により案内されることで、上部開閉ユニット２１０は共通ユニット２００Ａの前面に近接または当接した状態で下方へスライド移動する。
　【０１７６】
　図１６（Ｃ）に示すように、案内部５０１Ａ，５０１Ｂの垂直部を下降する被案内部５１０Ａ，５１０Ｂは、垂直部の下端に到達する前に、係止部５０３に接触して図示しないバネの付勢力に抗して係止部５０３を解除位置側へ回動させて下降する。そして垂直部の下端に到達して下方への移動が規制されたとき、係止部５０３が図示しないバネの付勢力により係止位置へ復帰して被案内部５１０Ａ，５１０Ｂに係止されることで、被案内部５１０Ａ，５１０Ｂの上方への移動が規制される。このように、係止部５０３により被案内部５１０Ａ，５１０Ｂの上方への移動が規制されることで、上部開閉ユニット２１０を共通ユニット２００Ａに取付けられる。
　【０１７７】
　また、上部開閉ユニット２１０を共通ユニット２００Ａから取外す場合には、共通ユニット２００Ａを開放し、共通ユニット２００Ａの背面側から係止部５０３を操作して解除位置へ回動させて、上部開閉ユニット２１０を共通ユニット２００Ａに対し上方へスライド移動させ、被案内部５１０Ａ，５１０Ｂを案内部５０１Ａ，５０１Ｂから逸脱させればよい。
　【０１７８】
　このように、上部開閉ユニット２１０を共通ユニット２００Ａに対し取付ける場合、案内部５０１Ａ，５０１Ｂに被案内部５１０Ａ，５１０Ｂを案内させた上で上部開閉ユニット２１０をスライド移動させて、係止部５０３を被案内部５１０Ａ，５１０Ｂに係止することにより、共通ユニット２００Ａに取付けることができる。つまり、係止部５０３により係止される被案内部５１０Ａ，５１０Ｂを、案内部５０１Ａ，５０１Ｂに案内させることにより簡単に係止部５０３により係止させることができるので、上部開閉ユニット２１０の交換作業を簡単に行うことができる。
　【０１７９】
　また、係止部５０３により被案内部５１０Ａ，５１０Ｂが係止されたとき、係止部５０３の規制孔５０４がネジ孔５０５に合致するため、図１６（Ｄ）に示すように、例えば、従来公知のワンウェイネジ５０６を規制孔５０４に差し込んでネジ孔５０５に螺入することで、係止状態を解除するには案内部材５００Ｌ，５００Ｒや係止部５０３等が破損するなど何らかの痕跡が残ることになる。つまり、痕跡を残さずに係止状態を解除して上部開閉ユニット２１０を共通ユニット２００Ａから取外すことはできないため、不正行為を抑制することができる。
　【０１８０】
　尚、本変形例５では、従来公知のワンウェイネジ５０６により係止部５０３と被案内部５１０Ａ，５１０Ｂとの係止状態を解除した場合にはその痕跡が残るようにしていたが、本発明はこれに限定されるものではなく、ワンウェイネジで連結する以外の方法（例えば、貼付した場合には破断する封印シールを係止部５０３と被案内部５１０Ａ，５１０Ｂとに跨るように貼付しておくなど）で係止状態を解除した場合にはその痕跡が残るようにしてもよい。
　【０１８１】
　本発明の変形例５としてのスロットマシン１Ａにあっては、本体部としての筐体１ａと、筐体１ａに対して一辺側を回動軸心として開閉可能に設けられる開閉扉部としての前面扉１ｂと、を備え、前面扉１ｂは、異なる遊技機で共通に用いられる共通ユニット２００Ａと、共通ユニット２００Ａに対して交換可能に設けられる交換ユニットとしての上部開閉ユニット２１０と、共通ユニット２００Ａに設けられる案内部５０１Ａ，５０１Ｂ及び上部開閉ユニット２１０に設けられる被案内部５１０Ａ，５１０Ｂと、共通ユニット２００Ａに設けられる係止部５０３及び上部開閉ユニット２１０に設けられる被案内部５１０Ａ，５１０Ｂと、を有し、上部開閉ユニット２１０は、案内部５０１Ａ，５０１Ｂに被案内部５１０Ａ，５１０Ｂを案内させた上で上部開閉ユニット２１０を下方へスライド移動させて、係止部５０３を被案内部５１０Ａ，５１０Ｂに係止することにより、共通ユニット２００Ａに取付けることができる。
　【０１８２】
　このようにすることで、案内部５０１Ａ，５０１Ｂに被案内部５１０Ａ，５１０Ｂを案内させ、共通ユニット２００Ａに対し上部開閉ユニット２１０をスライド移動させることで、係止部５０３を被案内部５１０Ａ，５１０Ｂに簡単に係止させることができるので、上部開閉ユニット２１０の交換作業時における利便性を高めることができる。
　【０１８３】
　また、上部開閉ユニット２１０を共通ユニット２００Ａに対し取付ける場合、案内部５０１Ａ，５０１Ｂに被案内部５１０Ａ，５１０Ｂを案内させた上で、重量を有する上部開閉ユニット２１０を下方へ向けてスライド移動させるだけで係止部５０３を被案内部５１０Ａ，５１０Ｂに容易に係止させることができるため、作業効率が高まる。
　【０１８４】
　また、本変形例５では、共通ユニット２００Ａに案内部５０１Ａ，５０１Ｂを設け、上部開閉ユニット２１０に被案内部５１０Ａ，５１０Ｂを設けた形態を例示したが、本発明はこれに限定されるものではなく、共通ユニット２００Ａに被案内部５１０Ａ，５１０Ｂを設け、上部開閉ユニット２１０に案内部５０１Ａ，５０１Ｂを設けてもよい。また、案内部は溝部等に限定されるものではなく、案内レールなど他の形態としてもよい。
　【０１８５】
　また、本変形例５では、共通ユニット２００Ａに係止部５０３を設け、上部開閉ユニット２１０に被係止部である被案内部５１０Ａ，５１０Ｂを設けた形態を例示したが、本発明はこれに限定されるものではなく、共通ユニット２００Ａに被案内部５１０Ａ，５１０Ｂを設け、上部開閉ユニット２１０に係止部５０３を設けてもよい。
　【０１８６】
　また、本変形例５では、被案内部５１０Ａ，５１０Ｂが係止部５０３に係止される被係止部を兼ねる形態を例示したが、本発明はこれに限定されるものではなく、係止部５０３に係止される被係止部を被案内部５１０Ａ，５１０Ｂとは別個に設けてもよい。
　【０１８７】
　また、本変形例５では、共通ユニット２００Ａに対し上部開閉ユニット２１０を上方から下方へ向けてスライド移動させて係止部５０３を被案内部５１０Ａ，５１０Ｂに係止することより、上部開閉ユニット２１０を共通ユニット２００Ａに取付ける形態を例示したが、本発明はこれに限定されるものではなく、共通ユニット２００Ａに対し上部開閉ユニット２１０を左側方、右側方、下方向のいずれからスライド移動させることにより上部開閉ユニット２１０を共通ユニット２００Ａに取付けるようにしてもよい。
　【０１８８】
　また、前記変形例５では、共通ユニット２００は板状に形成され、少なくとも下部開閉ユニット２２０の背面を閉鎖可能な形態を例示したが、本発明はこれに限定されるものではなく、交換ユニットとしての上部開閉ユニット２１０や下部開閉ユニット２２０が案内部に被案内部を案内させた上でスライド移動させて、係止部を被係止部に係止することにより共通ユニット２００Ａに取付けられるものであれば、共通ユニット２００はフレーム部材などからなる枠状のユニット等であってもよい。
　【０１８９】
　また、前記実施例１，２及び変形例では、本体部として前面が開口する筐体１ａを適用した形態を例示したが、本発明はこれに限定されるものではなく、本体部は枠状部材により構成されていてもよい。
　【０１９０】
　また、前記実施例１，２及び変形例では、前面扉部としての前面扉１ｂは、筐体１ａの左辺側を回動軸心として開閉可能に設けられていたが、本発明はこれに限定されるものではなく、筐体１ａの右辺側、上辺側、下辺側を回動軸心として開閉可能に設けられていてもよい。
　【０１９１】
　また、前記実施例１，２及び変形例では、上部開閉ユニット２１０と下部開閉ユニット２２０の回動軸心は、前面扉部としての前面扉１ｂに対する共通ユニット２００，２００Ａの回動軸心と同じ左辺側に設けられていたが、本発明はこれに限定されるものではなく、上部開閉ユニット２１０や下部開閉ユニット２２０の回動軸心は、前面扉１ｂに対する共通ユニット２００，２００Ａの回動軸心とは異なる位置（例えば、右辺側など）に設けられていてもよい。
　【０１９２】
　また、前記実施例１，２及び変形例では、共通ユニット２００は板状の部材にて形成されている形態を例示したが、本発明はこれに限定されるものではなく、枠状に形成されていてもよい。
　【０１９３】
　また、前記実施例１，２及び変形例では、筐体１ａに軸部としての回動軸３００Ａ，３００Ｂを設け、共通ユニット２００に軸受部としての軸受孔３０１Ａ，３０１Ｂを設けた形態を例示したが、本発明はこれに限定されるものではなく、共通ユニット２００に軸受部としての軸受孔３０１Ａ，３０１Ｂを設け、筐体１ａに軸部としての回動軸３００Ａ，３００Ｂを設けてもよい。また、共通ユニット２００は筐体１ａに対し交換可能に設けられていたが、交換が困難な状態に設けられていてもよい。
　【０１９４】
　また、実施例１，２及び変形例では、交換ユニットとしての上部開閉ユニット２１０や下部開閉ユニット２２０は、例えば、図１７に示すように、共通ユニット２００，２００Ａから取外されたときに、直立状態で設置することが可能であることで、複数の上部開閉ユニット２１０や下部開閉ユニット２２０を並べて設置すること等が可能となるため、複数台のスロットマシンの上部開閉ユニット２１０や下部開閉ユニット２２０を交換する際の利便性が向上するとともに、遊技機メーカーから遊技場への搬送や保管時の収納性が向上する。
　【０１９５】
　また、実施例１，２及び変形例では、共通ユニット２００，２００Ａに開口部２０１が形成され、該開口部２０１を閉鎖するように表示ユニット２０２が取付けられる形態を例示したが、特に開口部２０１を設けなくてもよい。また、表示ユニット２０２は交換部品の対象としていない形態を例示したが、本発明はこれに限定されるものではなく、表示ユニット２０２を交換部品としてもよい、この場合、変形例１，３のように、表示ユニット２０２を上部開閉ユニット２１０に設けることが好ましい。
　【０１９６】
　また、実施例１，２及び変形例１〜５では、異なる遊技機で共通に用いられる共通部品として、ＭＡＸＢＥＴスイッチ６、スタートスイッチ７、ストップスイッチ８Ｌ，８Ｃ，８Ｒ、精算スイッチ１０、クレジット表示器１１、遊技補助表示器１２、１〜３ＢＥＴＬＥＤ１４〜１６、投入要求ＬＥＤ１７、スタート有効ＬＥＤ１８、ウェイト中ＬＥＤ１９、リプレイ中ＬＥＤ２０、ＢＥＴスイッチ有効ＬＥＤ２１、左、中、右停止有効ＬＥＤ２２Ｌ，２２Ｃ，２２Ｒ、リセットスイッチ２３、設定値表示器２４、メダルセレクタ２９（流路切替ソレノイド３０、投入メダルセンサ３１）、打止スイッチ３６ａ、自動精算スイッチ３６ｂ、スピーカ５３，５４、演出用スイッチ５６、液晶表示器５１を含む表示ユニット２０２、及び下皿部２２４を例示し、機種毎に交換の対象となる交換部品として、遊技制御基板４０、演出制御基板９０、リール２Ｌ，２Ｃ，２Ｒを含むリールユニット２、装飾部材２１３、可動部を有する演出装置、装飾部材２２５及び表示パネル部材２２３を例示したが、本発明はこれに限定されるものではなく、上記した共通部品や交換部品以外の電気部品や装置、部材等を適用してもよい。
　【０１９７】
　また、上記共通部品の一部を交換部品としてもよいし、上記交換部品の一部を共通部品としてもよい。具体的には、例えば、共通部品としての液晶表示器５１を含む表示ユニット２０２を交換部品としたり、交換部品としての装飾部材２１３，２２５を共通部品としてもよく、種々に変更可能である。
　【０１９８】
　また、筐体１ａに設けられるリールユニット２や遊技制御基板４０は交換部品であるため、例えば、共通ユニット２００，２００Ａに取付け、共通ユニット２００，２００Ａを開放することにより、筐体１ａから前方へ移動されるようにしてもよい。あるいは、必要に応じて共通ユニット２００，２００Ａと一緒に、筐体１ａから取外すことができるようにしてもよい。
　【０１９９】
　また、実施例１，２及び変形例では、カバーパネル２１２は液晶表示器５１の表示領域５１ａの全域を前面側から被覆する部材であったため、装飾等は特に施されていなかったが、例えば、液晶表示器５１の表示領域５１ａがリール２Ｌ，２Ｃ，２Ｒの上方のみ等に設けられ、リール２Ｌ，２Ｃ，２Ｒの前面側のみを被覆するカバーパネルとした場合等、機種固有の装飾が施されていれば、交換部品として適用してもよい。
　【０２００】
　以上、本発明の実施例を図面により説明してきたが、本発明はこの実施例に限定されるものではなく、本発明の主旨を逸脱しない範囲における変更や追加があっても本発明に含まれることは言うまでもない。
　【０２０１】
　前記実施例では、本発明を遊技用価値としてメダル並びにクレジットを用いて賭数が設定されるスロットマシンに適用した例について説明したが、遊技用価値として遊技球を用いて賭数を設定するスロットマシンや、遊技用価値としてクレジットのみを使用して賭数を設定する完全クレジット式のスロットマシンに適用しても良い。遊技球を遊技用価値として用いる場合は、例えば、メダル１枚分を遊技球５個分に対応させることができ、前記実施例で賭数として３を設定する場合は、１５個の遊技球を用いて賭数を設定するものに相当する。
　【０２０２】
　さらに、メダル及び遊技球等の複数種類の遊技用価値のうちいずれか１種類のみを用いるものに限定されるものではなく、例えば、メダル及び遊技球等の複数種類の遊技用価値を併用できるものであっても良い。すなわち、メダル及び遊技球等の複数種類の遊技用価値のいずれを用いても賭数を設定してゲームを行うことが可能であり、かつ入賞の発生によってメダル及び遊技球等の複数種類の遊技用価値のいずれをも払い出し得るスロットマシンを適用しても良い。
　【０２０３】
　また、実施例では遊技機としてスロットマシンを例に説明したが、上記実施例で開示した構成を、他の遊技機、例えば、遊技領域に遊技球を発射させることで遊技が行われ、発射された遊技球が遊技領域内に設けられた入賞口に入って入賞が発生することで、賞球として遊技球が払い出されるパチンコ遊技機等に適用しても良い。
　【符号の説明】
　【０２０４】
１，１Ａ　スロットマシン
１ａ　　　筐体
１ｂ　　　前面扉
２００，２００Ａ　　共通ユニット
２０２　　表示ユニット
２１０　　上部開閉ユニット
２２０　　下部開閉ユニット
３３０Ａ，３３０Ｂ　回動軸
３３１Ａ，３３１Ｂ　軸受孔
３４０Ａ，３４０Ｂ　回動軸
３４１Ａ，３４１Ｂ　軸受孔
３５４Ａ，３５４Ｂ　係止部
３５６Ａ，３５６Ｂ　被係止部
３６４Ａ，３６４Ｂ　係止部
３６６Ａ，３６６Ｂ　被係止部
４００，４１０　　被覆部材
５０１Ａ，５０１Ｂ　案内部
５１０Ａ，５１０Ｂ　被案内部
（５７）【特許請求の範囲】
　【請求項１】
　遊技が可能な遊技機であって、
　本体部と、
　前記本体部に対して一辺側を回動軸心として開閉可能に設けられる開閉扉部と、
　を備え、
　前記開閉扉部は、
　板状に形成されるベースユニットと、
　前記ベースユニットの第１領域を前記ベースユニットの
前
　前記ベースユニットの前記第１領域とは異なる第２領域を前記ベースユニットの
前
　
液晶
　を有し、
　前記第１開閉ユニット及び前記第２開閉ユニットは、前記ベースユニットに対して交換可能に設けられ、
　前記開閉扉部は、前記遊技機前面側から挿入された鍵の操作により前記本体部に対して開放可能であり、
　前記第１開閉ユニットは、前記開閉扉部を開放することで操作可能となる第１操作部を操作することで前記ベースユニットの前面側に開放可能となり、
　前記第２開閉ユニットは、前記開閉扉部を開放することで操作可能となる第２操作部を操作することで前記ベースユニットの前面側に開放可能となり、
　前記第１開閉ユニットは、規制手段により前記ベースユニットに対して開放不能に規制され、前記規制手段を破壊することで前記ベースユニットの前面側に開放可能となり、
　前記ベースユニットは
前記第１領域に
後
、
　前記本体部は、前面が開口する箱状に形成され、
　該本体部の内部には、複数のリールを含むリールユニットと、前記リールの駆動制御を含む遊技の制御を行う遊技制御手段が搭載された遊技制御基板と、が収容され、
　前記ベースユニットは、前記本体部の前面開口を塞ぐ板状に形成され、
　前記表示ユニットの後面側に前記液晶表示装置の制御を行う演出制御手段が搭載された演出制御基板が配置され、
　前記ベースユニットに前記第１開閉ユニット及び前記第２開閉ユニットを取り付けていない状態でも、前記開閉扉部を閉鎖することで前記ベースユニット及び前記表示ユニットにより前記本体部の前面開口が塞がれ、
　前記第１開閉ユニット及び前記第２開閉ユニットは、前記ベースユニットから取外されたときに、直立状態で設置することが可能である
　ことを特徴とする遊技機。